(57)【要約】【課題】  本発明は、地球温暖化や大気汚染等の環境問題やエネルギー問題、化石燃料等の供給の不安定要因や、その枯渇の問題を一掃するための動力源装置及びその運転方法に関するものである。【解決手段】  水素燃料のロケットエンジン又は燃焼装置（１）とガスタービン（２）とを結合した装置で水素を燃焼させ、ガスタービン（２）を作動させ、発電機（３）で発電した電気で水の電気分解装置（４）内の電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で、蒸気タービン（６）を作動させ、動力装置（７）の動力源とするという手段を用いた動力源装置である。従って、水の分解と化合で当該動力源装置を運転するので、諸課題を一掃しうる動力源装置である。【選択図】図１
2006233951.tif 000002
【特許請求の範囲】
【請求項１】
一、水素燃料のロケットエンジン又は燃焼装置（１）と、その燃焼時の噴流で作動するガスタービン（２）とを結合し組み合わせた動力源装置。
【請求項２】
一、水素燃料のロケットエンジン又は燃焼装置（１）での水素の燃焼による噴流で、ガスタービン（２）を作動させ発電機（３）で発電した電気で水の電気分解装置（４）内の塩水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする動力源装置。
【請求項３】
一、水素燃料のロケットエンジン又は燃焼装置（１）での水素の燃焼による噴流で、ガスタービン（２）を作動させ発電機（３）で発電した電気で水の電気分解装置（４）内の塩水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする運転方法。
【請求項４】
一、水素燃料のロケットエンジン又は燃焼装置（８）での水素の燃焼による噴流で、ガスタービン（９）を作動させ動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の塩水又は電気伝導性を有する水溶液を電気分解し、そこで得られた水素と酸素を水素燃料のロケットエンジン又は燃焼装置（８）の燃料及び水素の酸化剤として利用する動力源装置。
【請求項５】
一、水素燃料のロケットエンジン又は燃焼装置（８）での水素の燃焼による噴流で、ガスタービン（９）を作動させ動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の塩水又は電気伝導性を有する水溶液を電気分解し、そこで得られた水素と酸素を水素燃料のロケットエンジン又は燃焼装置（８）の燃料及び水素の酸化剤として利用する運転方法。
【請求項６】
一、燃焼室で水素を燃焼させて水素燃料のガスタービン（１５）を作動させ、発電機（１６）で発電した電気で水の電気分解装置（１７）内の塩水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させて動力装置（２０）の動力源とする動力源装置。
【請求項７】
一、燃焼室で水素を燃焼させて水素燃料のガスタービン（１５）を作動させ、発電機（１６）で発電した電気で水の電気分解装置（１７）内の塩水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させて動力装置（２０）の動力源とする運転方法。
【請求項８】
一、燃焼室で水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の塩水又は電気伝導性を有する水溶液を電気分解し、そこで得られた水素と酸素を水素燃料のガスタービン（２１）の燃料及び水素の酸化剤として利用する動力源装置。
【請求項９】
一、燃焼室で水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の塩水又は電気伝導性を有する水溶液を電気分解し、そこで得られた水素と酸素を水素燃料のガスタービン（２１）の燃料及び水素の酸化剤として利用する運転方法。
【請求項１０】
一、水素燃料のロケットエンジン又は燃焼装置（２７）での水素の燃焼による噴流でガスタービン（２８）を作動させ発電機（２９）で発電した電気で水の電気分解装置（３０）内の塩水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させて動力装置（３３）の動力源とすると同時に、さらに蒸気タービン（３２）の排熱又は排気ガスを蒸気発生装置（３４）に通し、水よりも低い沸点の液体であるアンモニアの蒸気で蒸気タービン（３５）を作動させて動力装置（３６）の動力源とすると同時に、アンモニア蒸気を凝縮装置（２３９）に通し液化する動力源装置。
【請求項１１】
一、水素燃料のロケットエンジン又は燃焼装置（２７）での水素の燃焼による噴流でガスタービン（２８）を作動させ発電機（２９）で発電した電気で水の電気分解装置（３０）内の塩水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させて動力装置（３３）の動力源とすると同時に、さらに蒸気タービン（３２）の排熱又は排気ガスを蒸気発生装置（３４）に通し、水よりも低い沸点の液体であるアンモニアの蒸気で蒸気タービン（３５）を作動させて動力装置（３６）の動力源とすると同時に、アンモニア蒸気を凝縮装置（２３９）に通し液化する運転方法。
【請求項１２】
一、水素燃料のロケットエンジン又は燃焼装置（３７）での水素の燃焼による噴流でガスタービン（３８）を作動させて動力装置（３９）の動力源とすると同時に、燃焼時の排熱又は排気ガスを蒸気発生装置（４０）に通した蒸気で蒸気タービン（４１）を作動させ発電機（４２）で発電した電気で水の電気分解装置（４３）内の塩水又は電気伝導性を有する水溶液を電気分解し、そこで得られた水素と酸素を水素燃料のロケットエンジン又は燃焼装置（３７）の燃料及び水素の酸化剤として利用すると同時に、さらに蒸気タービン（４１）の排熱又は排気ガスを蒸気発生装置（４４）に通し、水よりも低い沸点の液体であるアンモニアの蒸気で蒸気タービン（４５）を作動させて動力装置（４６）の動力源とすると同時に、アンモニア蒸気を凝縮装置（２４０）に通し液化する動力源装置。
【請求項１３】
一、水素燃料のロケットエンジン又は燃焼装置（３７）での水素の燃焼による噴流でガスタービン（３８）を作動させて動力装置（３９）の動力源とすると同時に、燃焼時の排熱又は排気ガスを蒸気発生装置（４０）に通した蒸気で蒸気タービン（４１）を作動させ発電機（４２）で発電した電気で水の電気分解装置（４３）内の塩水又は電気伝導性を有する水溶液を電気分解し、そこで得られた水素と酸素を水素燃料のロケットエンジン又は燃焼装置（３７）の燃料及び水素の酸化剤として利用すると同時に、さらに蒸気タービン（４１）の排熱又は排気ガスを蒸気発生装置（４４）に通し、水よりも低い沸点の液体であるアンモニアの蒸気で蒸気タービン（４５）を作動させて動力装置（４６）の動力源とすると同時に、アンモニア蒸気を凝縮装置（２４０）に通し液化する運転方法。
【請求項１４】
一、燃焼室で水素を燃焼させて水素燃料のガスタービン（４７）を作動させ発電機（４８）で発電した電気で水の電気分解装置（４９）内の塩水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させて動力装置（５２）の動力源とすると同時に、さらに蒸気タービン（５１）の排熱又は排気ガスを蒸気発生装置（５３）に通し、水よりも低い沸点の液体であるアンモニアの蒸気で蒸気タービン（５４）を作動させて動力装置（５５）の動力源とすると同時に、アンモニア蒸気を凝縮装置（２４１）に通し液化する動力源装置。
【請求項１５】
一、燃焼室で水素を燃焼させて水素燃料のガスタービン（４７）を作動させ発電機（４８）で発電した電気で水の電気分解装置（４９）内の塩水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させて動力装置（５２）の動力源とすると同時に、さらに蒸気タービン（５１）の排熱又は排気ガスを蒸気発生装置（５３）に通し、水よりも低い沸点の液体であるアンモニアの蒸気で蒸気タービン（５４）を作動させて動力装置（５５）の動力源とすると同時に、アンモニア蒸気を凝縮装置（２４１）に通し液化する運転方法。
【請求項１６】
一、燃焼室で水素を燃焼させて水素燃料のガスタービン（５６）を作動させて動力装置（５７）の動力源とすると同時に、燃焼時の排熱又は排気ガスを蒸気発生装置（５８）に通した蒸気で蒸気タービン（５９）を作動させ発電機（６０）で発電した電気で水の電気分解装置（６１）内の塩水又は電気伝導性を有する水溶液を電気分解し、そこで得られた水素と酸素を水素燃料のガスタービン（５６）の燃料及び水素の酸化剤として利用すると同時に、さらに蒸気タービン（５９）の排熱又は排気ガスを蒸気発生装置（６２）に通し、水よりも低い沸点の液体であるアンモニアの蒸気で蒸気タービン（６３）を作動させて動力装置（６４）の動力源とすると同時に、アンモニア蒸気を凝縮装置（２４２）に通し液化する動力源装置。
【請求項１７】
一、燃焼室で水素を燃焼させて水素燃料のガスタービン（５６）を作動させて動力装置（５７）の動力源とすると同時に、燃焼時の排熱又は排気ガスを蒸気発生装置（５８）に通した蒸気で蒸気タービン（５９）を作動させ発電機（６０）で発電した電気で水の電気分解装置（６１）内の塩水又は電気伝導性を有する水溶液を電気分解し、そこで得られた水素と酸素を水素燃料のガスタービン（５６）の燃料及び水素の酸化剤として利用すると同時に、さらに蒸気タービン（５９）の排熱又は排気ガスを蒸気発生装置（６２）に通し、水よりも低い沸点の液体であるアンモニアの蒸気で蒸気タービン（６３）を作動させて動力装置（６４）の動力源とすると同時に、アンモニア蒸気を凝縮装置（２４２）に通し液化する運転方法。
【請求項１８】
一、水素燃料のロケットエンジン又は燃焼装置（６５）での水素の燃焼による排熱又は排気ガスから得られた蒸気で蒸気タービン（６７）を作動させ、発電機（６８）で発電した電気で水の電気分解装置（６９）内の塩水又は電気伝導性を有する水溶液を電気分解し、そこで得られた水素と酸素を水素燃料のロケットエンジン又は燃焼装置（６５）の燃料及び水素の酸化剤として利用する熱源としての燃焼装置。
【請求項１９】
一、水素燃料のロケットエンジン又は燃焼装置（６５）での水素の燃焼による排熱又は排気ガスから得られた蒸気で蒸気タービン（６７）を作動させ、発電機（６８）で発電した電気で水の電気分解装置（６９）内の塩水又は電気伝導性を有する水溶液を電気分解し、そこで得られた水素と酸素を水素燃料のロケットエンジン又は燃焼装置（６５）の燃料及び水素の酸化剤として利用する熱源としての運転方法。
【請求項２０】
一、水素燃料のロケットエンジン又は燃焼装置（７１）での水素の燃焼による排熱又は排気ガスから得られた水よりも低い沸点の液体であるアンモニアの蒸気で蒸気タービン（７２）を作動させ、発電機（７３）で発電した電気で水の電気分解装置（７４）内の塩水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化する熱源としての燃焼装置。
【請求項２１】
一、水素燃料のロケットエンジン又は燃焼装置（７１）での水素の燃焼による排熱又は排気ガスから得られた水よりも低い沸点の液体であるアンモニアの蒸気で蒸気タービン（７２）を作動させ、発電機（７３）で発電した電気で水の電気分解装置（７４）内の塩水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化する熱源としての運転方法。
【請求項２２】
一、水素燃料のロケットエンジン又は燃焼装置（７５）での水素の燃焼による噴流でガスタービン（７６）を作動させ、発電機（７７）で発電した電気で、水の電気分解装置（７８）内の塩水又は電気伝導性を有する水溶液を電気分解し、そこで得られた水素と酸素を水素燃料のロケットエンジン又は燃焼装置（７５）の燃料及び水素の酸化剤として利用すると同時に、燃焼時の排熱又は排気ガスを蒸気発生装置（７９）に通した蒸気で蒸気タービン（８０）を作動させ、発電機（８１）で発電する発電装置。
【請求項２３】
一、水素燃料のロケットエンジン又は燃焼装置（７５）での水素の燃焼による噴流でガスタービン（７６）を作動させ、発電機（７７）で発電した電気で、水の電気分解装置（７８）内の塩水又は電気伝導性を有する水溶液を電気分解し、そこで得られた水素と酸素を水素燃料のロケットエンジン又は燃焼装置（７５）の燃料及び水素の酸化剤として利用すると同時に、燃焼時の排熱又は排気ガスを蒸気発生装置（７９）に通した蒸気で蒸気タービン（８０）を作動させ、発電機（８１）で発電する発電方法。
【請求項２４】
一、燃焼室で水素を燃焼させて水素燃料のガスタービン（８２）を作動させ、発電機（８３）で発電した電気で水の電気分解装置（８４）内の塩水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電する発電装置。
【請求項２５】
一、燃焼室で水素を燃焼させて水素燃料のガスタービン（８２）を作動させ、発電機（８３）で発電した電気で水の電気分解装置（８４）内の塩水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電する発電方法。
【請求項２６】
一、水素燃料のロケットエンジン又は燃焼装置（８８）での水素の燃焼による噴流で、ガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の塩水又は電気伝導性を有する水溶液を電気分解し、そこで得られた水素と酸素を水素燃料のロケットエンジン又は燃焼装置（８８）の燃料及び水素の酸化剤として利用する発電装置。
【請求項２７】
一、水素燃料のロケットエンジン又は燃焼装置（８８）での水素の燃焼による噴流で、ガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の塩水又は電気伝導性を有する水溶液を電気分解し、そこで得られた水素と酸素を水素燃料のロケットエンジン又は燃焼装置（８８）の燃料及び水素の酸化剤として利用する発電方法。
【請求項２８】
一、燃焼室で水素を燃焼させて水素燃料のガスタービン（９５）を作動させ発電機（９６）で発電すると同時に、燃焼時の排熱又は排気ガスを蒸気発生装置（９７）に通した蒸気で蒸気タービン（９８）を作動させ、発電機（９９）で発電した電気で水の電気分解装置（１００）内の塩水又は電気伝導性を有する水溶液を電気分解し、そこで得られた水素と酸素を水素燃料のガスタービン（９５）の燃料及び水素の酸化剤として利用する発電装置。
【請求項２９】
一、燃焼室で水素を燃焼させて水素燃料のガスタービン（９５）を作動させ発電機（９６）で発電すると同時に、燃焼時の排熱又は排気ガスを蒸気発生装置（９７）に通した蒸気で蒸気タービン（９８）を作動させ、発電機（９９）で発電した電気で水の電気分解装置（１００）内の塩水又は電気伝導性を有する水溶液を電気分解し、そこで得られた水素と酸素を水素燃料のガスタービン（９５）の燃料及び水素の酸化剤として利用する発電方法。
【請求項３０】
一、水素燃料のロケットエンジン又は燃焼装置（１０１）での水素の燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の塩水又は電気伝導性を有する水溶液を電気分解し、そこで得られた水素と酸素を水素燃料のロケットエンジン又は燃焼装置（１０１）の燃料及び水素の酸化剤として利用すると同時に、アンモニア蒸気を凝縮装置（２４４）に通し液化する動力源装置。
【請求項３１】
一、水素燃料のロケットエンジン又は燃焼装置（１０１）での水素の燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の塩水又は電気伝導性を有する水溶液を電気分解し、そこで得られた水素と酸素を水素燃料のロケットエンジン又は燃焼装置（１０１）の燃料及び水素の酸化剤として利用すると同時に、アンモニア蒸気を凝縮装置（２４４）に通し液化する運転方法。
【請求項３２】
一、燃焼室で水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の塩水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化する動力源装置。
【請求項３３】
一、燃焼室で水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の塩水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化する運転方法。
【請求項３４】
一、水素燃料のロケットエンジン又は燃焼装置（１２０）での水素の燃焼による噴流で、ガスタービン（１２１）を作動させ発電機（１２２）で発電した電気で水の電気分解装置（１２３）内の塩水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ動力装置（１２６）の動力源とする動力源装置。
【請求項３５】
一、水素燃料のロケットエンジン又は燃焼装置（１２０）での水素の燃焼による噴流で、ガスタービン（１２１）を作動させ発電機（１２２）で発電した電気で水の電気分解装置（１２３）内の塩水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ動力装置（１２６）の動力源とする運転方法。
【請求項３６】
一、水素燃料のロケットエンジン又は燃焼装置（１２７）での水素の燃焼による噴流で、ガスタービン（１２８）を作動させ動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の塩水又は電気伝導性を有する水溶液を電気分解し、そこで得られた水素を水素燃料のロケットエンジン又は燃焼装置（１２７）の燃料として利用する動力源装置。
【請求項３７】
一、水素燃料のロケットエンジン又は燃焼装置（１２７）での水素の燃焼による噴流で、ガスタービン（１２８）を作動させ動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の塩水又は電気伝導性を有する水溶液を電気分解し、そこで得られた水素を水素燃料のロケットエンジン又は燃焼装置（１２７）の燃料として利用する運転方法。
【請求項３８】
一、燃焼室で水素を燃焼させて水素燃料のガスタービン（１３４）を作動させ、発電機（１３５）で発電した電気で水の電気分解装置（１３６）内の塩水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて動力装置（１３９）の動力源とする動力源装置。
【請求項３９】
一、燃焼室で水素を燃焼させて水素燃料のガスタービン（１３４）を作動させ、発電機（１３５）で発電した電気で水の電気分解装置（１３６）内の塩水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて動力装置（１３９）の動力源とする運転方法。
【請求項４０】
一、燃焼室で水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の塩水又は電気伝導性を有する水溶液を電気分解し、そこで得られた水素を水素燃料のガスタービン（１４０）の燃料として利用する動力源装置。
【請求項４１】
一、燃焼室で水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の塩水又は電気伝導性を有する水溶液を電気分解し、そこで得られた水素を水素燃料のガスタービン（１４０）の燃料として利用する運転方法。
【請求項４２】
一、水素燃料のロケットエンジン又は燃焼装置（１４６）での水素の燃焼による噴流でガスタービン（１４７）を作動させ発電機（１４８）で発電した電気で水の電気分解装置（１４９）内の塩水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させて動力装置（１５２）の動力源とすると同時に、さらに蒸気タービン（１５１）の排熱又は排気ガスを蒸気発生装置（１５３）に通し、水よりも低い沸点の液体であるアンモニアの蒸気で蒸気タービン（１５４）を作動させて動力装置（１５５）の動力源とすると同時に、アンモニア蒸気を凝縮装置（２４６）に通し液化する動力源装置。
【請求項４３】
一、水素燃料のロケットエンジン又は燃焼装置（１４６）での水素の燃焼による噴流でガスタービン（１４７）を作動させ発電機（１４８）で発電した電気で水の電気分解装置（１４９）内の塩水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させて動力装置（１５２）の動力源とすると同時に、さらに蒸気タービン（１５１）の排熱又は排気ガスを蒸気発生装置（１５３）に通し、水よりも低い沸点の液体であるアンモニアの蒸気で蒸気タービン（１５４）を作動させて動力装置（１５５）の動力源とすると同時に、アンモニア蒸気を凝縮装置（２４６）に通し液化する運転方法。
【請求項４４】
一、水素燃料のロケットエンジン又は燃焼装置（１５６）での水素の燃焼による噴流でガスタービン（１５７）を作動させて動力装置（１５８）の動力源とすると同時に、燃焼時の排熱又は排気ガスを蒸気発生装置（１５９）に通した蒸気で蒸気タービン（１６０）を作動させ発電機（１６１）で発電した電気で水の電気分解装置（１６２）内の塩水又は電気伝導性を有する水溶液を電気分解し、そこで得られた水素を水素燃料のロケットエンジン又は燃焼装置（１５６）の燃料として利用すると同時に、さらに蒸気タービン（１６０）の排熱又は排気ガスを蒸気発生装置（１６３）に通し水よりも低い沸点の液体であるアンモニアの蒸気で蒸気タービン（１６４）を作動させて動力装置（１６５）の動力源とすると同時に、アンモニア蒸気を凝縮装置（２４７）に通し液化する動力源装置。
【請求項４５】
一、水素燃料のロケットエンジン又は燃焼装置（１５６）での水素の燃焼による噴流でガスタービン（１５７）を作動させて動力装置（１５８）の動力源とすると同時に、燃焼時の排熱又は排気ガスを蒸気発生装置（１５９）に通した蒸気で蒸気タービン（１６０）を作動させ発電機（１６１）で発電した電気で水の電気分解装置（１６２）内の塩水又は電気伝導性を有する水溶液を電気分解し、そこで得られた水素を水素燃料のロケットエンジン又は燃焼装置（１５６）の燃料として利用すると同時に、さらに蒸気タービン（１６０）の排熱又は排気ガスを蒸気発生装置（１６３）に通し、水よりも低い沸点の液体であるアンモニアの蒸気で蒸気タービン（１６４）を作動させて動力装置（１６５）の動力源とすると同時に、アンモニア蒸気を凝縮装置（２４７）に通し液化する運転方法。
【請求項４６】
一、燃焼室で水素を燃焼させて水素燃料のガスタービン（１６６）を作動させ発電機（１６７）で発電した電気で水の電気分解装置（１６８）内の塩水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させて動力装置（１７１）の動力源とすると同時に、さらに蒸気タービン（１７０）の排熱又は排気ガスを蒸気発生装置（１７２）に通し、水よりも低い沸点の液体であるアンモニアの蒸気で蒸気タービン（１７３）を作動させて動力装置（１７４）の動力源とすると同時に、アンモニア蒸気を凝縮装置（２４８）に通し液化する動力源装置。
【請求項４７】
一、燃焼室で水素を燃焼させて水素燃料のガスタービン（１６６）を作動させ発電機（１６７）で発電した電気で水の電気分解装置（１６８）内の塩水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させて動力装置（１７１）の動力源とすると同時に、さらに蒸気タービン（１７０）の排熱又は排気ガスを蒸気発生装置（１７２）に通し、水よりも低い沸点の液体であるアンモニアの蒸気で蒸気タービン（１７３）を作動させて動力装置（１７４）の動力源とすると同時に、アンモニア蒸気を凝縮装置（２４８）に通し液化する運転方法。
【請求項４８】
一、燃焼室で水素を燃焼させて水素燃料のガスタービン（１７５）を作動させて動力装置（１７６）の動力源とすると同時に、燃焼時の排熱又は排気ガスを蒸気発生装置（１７７）に通した蒸気で蒸気タービン（１７８）を作動させ発電機（１７９）で発電した電気で水の電気分解装置（１８０）内の塩水又は電気伝導性を有する水溶液を電気分解し、そこで得られた水素を水素燃料のガスタービン（１７５）の燃料として利用すると同時に、さらに蒸気タービン（１７８）の排熱又は排気ガスを蒸気発生装置（１８１）に通し、水よりも低い沸点の液体であるアンモニアの蒸気で蒸気タービン（１８２）を作動させて動力装置（１８３）の動力源とすると同時に、アンモニア蒸気を凝縮装置（２４９）に通し液化する動力源装置。
【請求項４９】
一、燃焼室で水素を燃焼させて水素燃料のガスタービン（１７５）を作動させて動力装置（１７６）の動力源とすると同時に、燃焼時の排熱又は排気ガスを蒸気発生装置（１７７）に通した蒸気で蒸気タービン（１７８）を作動させ発電機（１７９）で発電した電気で水の電気分解装置（１８０）内の塩水又は電気伝導性を有する水溶液を電気分解し、そこで得られた水素を水素燃料のガスタービン（１７５）の燃料として利用すると同時に、さらに蒸気タービン（１７８）の排熱又は排気ガスを蒸気発生装置（１８１）に通し、水よりも低い沸点の液体であるアンモニアの蒸気で蒸気タービン（１８２）を作動させて動力装置（１８３）の動力源とすると同時に、アンモニア蒸気を凝縮装置（２４９）に通し液化する運転方法。
【請求項５０】
一、水素燃料のロケットエンジン又は燃焼装置（１８４）での水素の燃焼による排熱又は排気ガスから得られた蒸気で蒸気タービン（１８６）を作動させ、発電機（１８７）で発電した電気で水の電気分解装置（１８８）内の塩水又は電気伝導性を有する水溶液を電気分解し、そこで得られた水素を水素燃料のロケットエンジン又は燃焼装置（１８４）の燃料として利用する熱源としての燃焼装置。
【請求項５１】
一、水素燃料のロケットエンジン又は燃焼装置（１８４）での水素の燃焼による排熱又は排気ガスから得られた蒸気で蒸気タービン（１８６）を作動させ、発電機（１８７）で発電した電気で水の電気分解装置（１８８）内の塩水又は電気伝導性を有する水溶液を電気分解し、そこで得られた水素を水素燃料のロケットエンジン又は燃焼装置（１８４）の燃料として利用する熱源としての運転方法。
【請求項５２】
一、水素燃料のロケットエンジン又は燃焼装置（１８９）での水素の燃焼による排熱又は排気ガスから得られた水よりも低い沸点の液体であるアンモニアの蒸気で蒸気タービン（１９１）を作動させ、発電機（１９２）で発電した電気で水の電気分解装置（１９３）内の塩水又は電気伝導性を有する水溶液を電気分解し、そこで得られた水素を水素燃料のロケットエンジン又は燃焼装置（１８９）の燃料として利用すると同時に、アンモニア蒸気を凝縮装置（２５０）に通し液化する熱源としての燃焼装置。
【請求項５３】
一、水素燃料のロケットエンジン又は燃焼装置（１８９）での水素の燃焼による排熱又は排気ガスから得られた水よりも低い沸点の液体であるアンモニアの蒸気で蒸気タービン（１９１）を作動させ、発電機（１９２）で発電した電気で水の電気分解装置（１９３）内の塩水又は電気伝導性を有する水溶液を電気分解し、そこで得られた水素を水素燃料のロケットエンジン又は燃焼装置（１８９）の燃料として利用すると同時に、アンモニア蒸気を凝縮装置（２５０）に通し液化する熱源としての運転方法。
【請求項５４】
一、水素燃料のロケットエンジン又は燃焼装置（１９４）での水素の燃焼による噴流でガスタービン（１９５）を作動させ、発電機（１９６）で発電した電気で、水の電気分解装置（１９７）内の塩水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電する発電装置。
【請求項５５】
一、水素燃料のロケットエンジン又は燃焼装置（１９４）での水素の燃焼による噴流でガスタービン（１９５）を作動させ、発電機（１９６）で発電した電気で、水の電気分解装置（１９７）内の塩水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電をする発電方法。
【請求項５６】
一、燃焼室で水素を燃焼させて水素燃料のガスタービン（２０１）を作動させ、発電機（２０２）で発電した電気で水の電気分解装置（２０３）内の塩水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電する発電装置。
【請求項５７】
一、燃焼室で水素を燃焼させて水素燃料のガスタービン（２０１）を作動させ、発電機（２０２）で発電した電気で水の電気分解装置（２０３）内の塩水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電する発電方法。
【請求項５８】
一、水素燃料のロケットエンジン又は燃焼装置（２０７）での水素の燃焼による噴流で、ガスタービン（２０８）を作動させ、発電機（２０９）で発電すると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の塩水又は電気伝導性を有する水溶液を電気分解し、そこで得られた水素を水素燃料のロケットエンジン又は燃焼装置（２０７）の燃料として利用する発電装置。
【請求項５９】
一、水素燃料のロケットエンジン又は燃焼装置（２０７）での水素の燃焼による噴流で、ガスタービン（２０８）を作動させ、発電機（２０９）で発電すると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の塩水又は電気伝導性を有する水溶液を電気分解し、そこで得られた水素を水素燃料のロケットエンジン又は燃焼装置（２０７）の燃料として利用する発電方法。
【請求項６０】
一、燃焼室で水素を燃焼させて水素燃料のガスタービン（２１４）を作動させ発電機（２１５）で発電すると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の塩水又は電気伝導性を有する水溶液を電気分解し、そこで得られた水素を水素燃料のガスタービン（２１４）の燃料として利用する発電装置。
【請求項６１】
一、燃焼室で水素を燃焼させて水素燃料のガスタービン（２１４）を作動させ発電機（２１５）で発電すると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の塩水又は電気伝導性を有する水溶液を電気分解し、そこで得られた水素を水素燃料のガスタービン（２１４）の燃料として利用する発電方法。
【請求項６２】
一、水素燃料のロケットエンジン又は燃焼装置（２２０）での水素の燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（２２７）を作動させ、発電機（２２８）で発電した電気で水の電気分解装置（２２９）内の塩水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化する動力源装置。
【請求項６３】
一、水素燃料のロケットエンジン又は燃焼装置（２２０）での水素の燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（２２７）を作動させ、発電機（２２８）で発電した電気で水の電気分解装置（２２９）内の塩水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化する運転方法。
【請求項６４】
一、燃焼室で水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の塩水又は電気伝導性を有する水溶液を電気分解し、そこで得られた水素を水素燃料のガスタービン（２３０）の燃料として利用すると同時に、アンモニア蒸気を凝縮装置（２５２）に通し液化する動力源装置。
【請求項６５】
一、燃焼室で水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の塩水又は電気伝導性を有する水溶液を電気分解し、そこで得られた水素を水素燃料のガスタービン（２３０）の燃料として利用すると同時に、アンモニア蒸気を凝縮装置（２５２）に通し液化する運転方法。
【請求項６６】
一、水素燃料のロケットエンジン又は燃焼装置（２５３）での水素の燃焼による噴流で、ガスタービン（２５４）を作動させ発電機（２５５）で発電した電気で水の電気分解装置（２５６）内の塩水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置。
【請求項６７】
一、水素燃料のロケットエンジン又は燃焼装置（２５３）での水素の燃焼による噴流で、ガスタービン（２５４）を作動させ発電機（２５５）で発電した電気で水の電気分解装置（２５６）内の塩水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置の運転方法。
【請求項６８】
一、水素燃料のロケットエンジン又は燃焼装置（２６２）での水素の燃焼による噴流で、ガスタービン（２６３）を作動させ動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の塩水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用する動力源装置。
【請求項６９】
一、水素燃料のロケットエンジン又は燃焼装置（２６２）での水素の燃焼による噴流で、ガスタービン（２６３）を作動させ動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の塩水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用する動力源装置の運転方法。
【請求項７０】
一、燃焼室で水素を燃焼させて水素燃料のガスタービン（２７１）を作動させ、発電機（２７２）で発電した電気で水の電気分解装置（２７３）内の塩水又は電気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させて動力装置（２７８）の動力源とする動力源装置。
【請求項７１】
一、燃焼室で水素を燃焼させて水素燃料のガスタービン（２７１）を作動させ、発電機（２７２）で発電した電気で水の電気分解装置（２７３）内の塩水又は電気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させて動力装置（２７８）の動力源とする動力源装置の運転方法。
【請求項７２】
一、燃焼室で水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の塩水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用する動力源装置。
【請求項７３】
一、燃焼室で水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の塩水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用する動力源装置の運転方法。
【請求項７４】
一、水素燃料のロケットエンジン又は燃焼装置（２８８）での水素の燃焼による排熱又は排気ガスから得られた蒸気で蒸気タービン（２８９）を作動させ、発電機（２９０）で発電した電気で水の電気分解装置（２９１）内の塩水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用する熱源としての燃焼装置。
【請求項７５】
一、水素燃料のロケットエンジン又は燃焼装置（２８８）での水素の燃焼による排熱又は排気ガスから得られた蒸気で蒸気タービン（２８９）を作動させ、発電機（２９０）で発電した電気で水の電気分解装置（２９１）内の塩水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用する熱源としての運転方法。
【請求項７６】
一、水素燃料のロケットエンジン又は燃焼装置（２９４）での水素の燃焼による噴流で、ガスタービン（２９５）を作動させ発電機（２９６）で発電した電気で水の電気分解装置（２９７）内の塩水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ動力装置（３０１）の動力源とする動力源装置。
【請求項７７】
一、水素燃料のロケットエンジン又は燃焼装置（２９４）での水素の燃焼による噴流で、ガスタービン（２９５）を作動させ発電機（２９６）で発電した電気で水の電気分解装置（２９７）内の塩水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ動力装置（３０１）の動力源とする動力源装置の運転方法。
【請求項７８】
一、水素燃料のロケットエンジン又は燃焼装置（３０２）での水素の燃焼による噴流で、ガスタービン（３０３）を作動させ動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の塩水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用する動力源装置。
【請求項７９】
一、水素燃料のロケットエンジン又は燃焼装置（３０２）での水素の燃焼による噴流で、ガスタービン（３０３）を作動させ動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の塩水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用する動力源装置の運転方法。
【請求項８０】
一、燃焼室で水素を燃焼させて水素燃料のガスタービン（３１０）を作動させ、発電機（３１１）で発電した電気で水の電気分解装置（３１２）内の塩水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて動力装置（３１６）の動力源とする動力源装置。
【請求項８１】
一、燃焼室で水素を燃焼させて水素燃料のガスタービン（３１０）を作動させ、発電機（３１１）で発電した電気で水の電気分解装置（３１２）内の塩水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて動力装置（３１６）の動力源とする動力源装置の運転方法。
【請求項８２】
一、燃焼室で水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の塩水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用する動力源装置。
【請求項８３】
一、燃焼室で水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の塩水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用する動力源装置の運転方法。
【請求項８４】
一、水素燃料のロケットエンジン又は燃焼装置（３２５）での水素の燃焼による排熱又は排気ガスから得られた蒸気で蒸気タービン（３２６）を作動させ、発電機（３２７）で発電した電気で水の電気分解装置（３２８）内の塩水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用する熱源としての燃焼装置。
【請求項８５】
一、水素燃料のロケットエンジン又は燃焼装置（３２５）での水素の燃焼による排熱又は排気ガスから得られた蒸気で蒸気タービン（３２６）を作動させ、発電機（３２７）で発電した電気で水の電気分解装置（３２８）内の塩水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用する熱源としての運転方法。
【請求項８６】
一、請求項２、４、６、８、１０、１２、１４、１６のいずれかに記載の動力源装置、請求項１８、２０のいずれかに記載の燃焼装置、請求項２２、２４、２６，２８のいずれかに記載の発電装置、請求項３０、３２、３４、３６、３８、４０、４２、４４、４６、４８のいずれかに記載の動力源装置、請求項５０、５２、７４、８４のいずれかに記載の燃焼装置、請求項５４、５６、５８、６０のいずれかに記載の発電装置、請求項６２、６４、６６、６８、７０、７２、７６、７８、８０，８２のいずれかに記載の動力源装置において、塩水又は電気伝導性を有する水溶液を電気分解して得られる水素と酸素を当該装置の燃料及び水素の酸化剤以外の目的で製造、使用し、また増殖炉として使用する水素と酸素の製造装置。
【請求項８７】
一、請求項２、４、６、８、１０、１２、１４、１６のいずれかに記載の動力源装置、請求項１８、２０のいずれかに記載の燃焼装置、請求項２２、２４、２６，２８のいずれかに記載の発電装置、請求項３０、３２、３４、３６、３８、４０、４２、４４、４６、４８のいずれかに記載の動力源装置、請求項５０、５２、７４、８４のいずれかに記載の燃焼装置、請求項５４、５６、５８、６０のいずれかに記載の発電装置、請求項６２、６４、６６、６８、７０、７２、７６、７８、８０、８２のいずれかに記載の動力源装置において、塩水又は電気伝導性を有する水溶液を電気分解して得られる水素と酸素を当該装置の燃料及び水素の酸化剤以外の目的で製造、使用し、また増殖炉として使用する水素と酸素の製造方法。
【発明の詳細な説明】
【技術分野】
【０００１】  本発明は、基本的には、水素を燃料とするロケットエンジン又は燃焼装置で水素を燃焼させ、ガスタービンを作動させて発電した電気で塩水又は電気伝導性を有する水溶液を電気分解し、そこで得られた水素と酸素を水素を燃料とするロケットエンジン又は燃焼装置の燃料及び水素の酸化剤として利用すると同時に、燃焼時の排熱又は排気ガスで蒸気タービンを作動させ、発電又は動力源とする運転方法および動力源装置に関するものである。
【背景技術】
【０００２】  従来の発電装置や動力源装置では、燃料に石油や天然ガスなどの化石燃料等を使用しており、その燃焼に伴い、地球温暖化の原因である二酸化炭素を排出し、また、窒素酸化物や硫黄酸化物等の大気汚染物質も排出し、深刻な環境問題を引き起こしており、さらに、燃料となる資源の枯渇という問題もあった。
【発明の開示】
【発明が解決しようとする課題】
【０００３】  したがって従来の技術では避けて通ることができなかった課題である二酸化炭素や大気汚染物質の排出や、また、従来の技術では資源の枯渇という課題もあった。本発明は、こうした環境問題や資源問題等の諸問題を一掃するために発明されたものである。
【課題を解決するための手段】
【０００４】  上記課題を解決するための手段としては、従来の化石燃料の代わりに、地球上に大量に存在する水を使用し、装置を作動させる過程で発電した電気で水を電気分解し、そこで得られた水素と酸素を当該装置を作動させる燃料及び水素の酸化剤として利用し、この繰り返しで永続的に装置を作動させる。そのために二酸化炭素や大気汚染物質の排出もなく、また、その場で当該装置の燃料及びその酸化剤を生産するため、燃料の供給不能や枯渇する問題もなくなるものと思われる。
【発明の効果】
【０００５】  本発明の効果は、水素を燃料としているので燃焼しても二酸化炭素や大気汚染物質の排出はなく、また、装置が作動している間に、同時進行で当該装置の燃料となる水素を水の電気分解によって生産し、それを燃料として利用しているので、燃料供給の不安定要因や資源の枯渇といった問題もなく、また、放射性物質等の有害廃棄物の排出やその処理問題もない点で、エネルギーや環境の諸問題を一掃しうる理想的な動力源装置であるといえる。
【発明を実施するための最良の形態】
【０００６】  本発明の実施形態を述べると、請求項１は、水素燃料のロケットエンジン又は燃焼装置（１）とガスタービン（２）を結合し組み合わせた動力源装置であり、水素燃料のロケットエンジン又は燃焼装置での燃焼による噴流でガスタービンを作動させて仕事をさせる動力源装置である。【０００７】  請求項２では、水素燃料のロケットエンジン又は燃焼装置（１）での燃焼による噴流で、ガスタービン（２）を作動させ、発電機（３）で発電した電気で水の電気分解装置（４）内の塩水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする動力源装置である。動力装置の利用例としては、発電装置や船舶のスクリューなど。【０００８】  請求項３では、水素燃料のロケットエンジン又は燃焼装置（１）での燃焼による噴流で、ガスタービン（２）を作動させ、発電機（３）で発電した電気で水の電気分解装置（４）内の塩水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする動力源装置の運転方法である。従って、動力源とする一方で当該装置の燃料及びその酸化剤をも生産するので永続的に装置が作動する。【０００９】  請求項４では、水素燃料のロケットエンジン又は燃焼装置（８）での燃焼による噴流で、ガスタービン（９）を作動させ、動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の塩水又は電気伝導性を有する水溶液を電気分解し、そこで得られた水素と酸素を水素燃料のロケットエンジン又は燃焼装置（８）の燃料及び水素の酸化剤として利用するという動力源装置である。動力装置の利用例としては、発電装置や船舶のスクリューなど。【００１０】  請求項５では、水素燃料のロケットエンジン又は燃焼装置（８）での燃焼による噴流で、ガスタービン（９）を作動させ、動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の塩水又は電気伝導性を有する水溶液を電気分解し、そこで得られた水素と酸素を水素燃料のロケットエンジン又は燃焼装置（８）の燃料及び水素の酸化剤として利用するという動力源装置の運転方法である。従って、動力源とする一方で当該装置の燃料及びその酸化剤をも生産するので永続的に装置が作動する。【００１１】  請求項６では、燃焼室で水素を燃焼させて水素燃料のガスタービン（１５）を作動させ、発電機（１６）で発電した電気で水の電気分解装置（１７）内の塩水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させ、動力装置（２０）の動力源とするという動力源装置である。動力装置の利用例としては、発電装置や船舶のスクリューなど。【００１２】  請求項７では、燃焼室で水素を燃焼させて水素燃料のガスタービン（１５）を作動させ、発電機（１６）で発電した電気で水の電気分解装置（１７）内の塩水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させ、動力装置（２０）の動力源とするという動力源装置の運転方法である。従って、動力源とする一方で当該装置の燃料及びその酸化剤をも生産するので永続的に装置が作動する。【００１３】  請求項８は、燃焼室で水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の塩水又は電気伝導性を有する水溶液を電気分解し、そこで得られた水素と酸素を水素燃料のガスタービン（２１）の燃料及び水素の酸化剤として利用するという動力源装置である。動力装置の利用例としては、発電装置や船舶のスクリューなど。【００１４】  請求項９は、燃焼室で水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の塩水又は電気伝導性を有する水溶液を電気分解し、そこで得られた水素と酸素を水素燃料のガスタービン（２１）の燃料及び水素の酸化剤として利用するという動力源装置の運転方法である。従って、動力源とする一方で当該装置の燃料及びその酸化剤をも生産するので永続的に装置が作動する。【００１５】  請求項１０は、請求項２記載の動力源装置に、さらに水よりも低い沸点の液体であるアンモニアを利用した装置を組み合わせたもので、水素を燃焼させて水素燃料のロケットエンジン又は燃焼装置（２７）側のガスタービン（２８）を作動させ、発電機（２９）で発電した電気で水の電気分解装置（３０）内の塩水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させ、動力装置（３３）の動力源とすると同時に、さらに、蒸気タービン（３２）の排熱又は排気ガスを蒸気発生装置（３４）に通し、水よりも低い沸点の液体の蒸気で、もう一方の蒸気タービン（３５）を作動させ、動力装置（３６）の動力源として利用すると同時に、アンモニア蒸気を凝縮装置（２３９）に通し液化するという動力源���置である。動力装置の利用例としては、発電装置など。【００１６】  請求項１１は、請求項２記載の動力源装置に、さらに水よりも低い沸点の液体であるアンモニアを利用した装置を組み合わせたもので、水素を燃焼させて水素燃料のロケットエンジン又は燃焼装置（２７）側のガスタービン（２８）を作動させ、発電機（２９）で発電した電気で水の電気分解装置（３０）内の塩水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させ、動力装置（３３）の動力源とすると同時に、さらに、蒸気タービン（３２）の排熱又は排気ガスを蒸気発生装置（３４）に通し、水よりも低い沸点の液体の蒸気で、もう一方の蒸気タービン（３５）を作動させ、動力装置（３６）の動力源として利用すると同時に、アンモニア蒸気を凝縮装置（２３９）に通し、液化するという動力源装置の運転方法である。従って、動力源とする一方で当該装置の燃料及びその酸化剤をも生産するので永続的に装置が作動する。【００１７】請求項１２は、請求項４記載の動力源装置に、さらに水よりも低い沸点の液体であるアンモニアを利用した装置を組み合わせたもので、水素を燃焼させて水素燃料のロケットエンジン又は燃焼装置（３７）側のガスタービン（３８）を作動させ、動力装置（３９）の動力源とすると同時に、燃焼時の排熱又は排気ガスを蒸気発生装置（４０）に通した蒸気で蒸気タービン（４１）を作動させ、発電機（４２）で発電した電気で水の電気分解装置（４３）内の塩水又は電気伝導性を有する水溶液を電気分解し、そこで得られた水素と酸素を水素燃料のロケットエンジン又は燃焼装置（３７）の燃料及び水素の酸化剤として利用し、さらに、蒸気タービン（４１）の排熱又は排気ガスを蒸気発生装置（４４）に通し、水よりも低い沸点の液体の蒸気で、もう一方の蒸気タービン（４５）を作動させ、動力装置（４６）の動力源として利用すると同時に、アンモニア蒸気を凝縮装置（２４０）に通し液化するという動力源装置である。動力装置の利用例としては、発電装置など。【００１８】  請求項１３は、請求項４記載の動力源装置に、さらに水よりも低い沸点の液体であるアンモニアを利用した装置を組み合わせたもので、水素を燃焼させて水素燃料のロケットエンジン又は燃焼装置（３７）側のガスタービン（３８）を作動させ、動力装置（３９）の動力源とすると同時に、燃焼時の排熱又は排気ガスを蒸気発生装置（４０）に通した蒸気で蒸気タービン（４１）を作動させ、発電機（４２）で発電した電気で水の電気分解装置（４３）内の塩水又は電気伝導性を有する水溶液を電気分解し、そこで得られた水素と酸素を水素燃料のロケットエンジン又は燃焼装置（３７）の燃料及び水素の酸化剤として利用し、さらに、蒸気タービン（４１）の排熱又は排気ガスを蒸気発生装置（４４）に通し、水よりも低い沸点の液体の蒸気で、もう一方の蒸気タービン（４５）を作動させ、動力装置（４６）の動力源として利用すると同時に、アンモニア蒸気を凝縮装置（２４０）に通し液化するという動力源装置の運転方法である。従って、動力源とする一方で当該装置の燃料及びその酸化剤をも生産するので永続的に装置が作動する。【００１９】  請求項１４は、請求項６記載の動力源装置に、さらに水よりも低い沸点の液体であるアンモニアを利用した装置を組み合わせたもので、水素を燃焼させて水素燃料のガスタービン（４７）を作動させ発電機（４８）で発電した電気で水の電気分解装置（４９）内の塩水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させ、動力装置（５２）の動力源とすると同時に、さらに、蒸気タービン（５１）の排熱又は排気ガスを蒸気発生装置（５３）に通し、水よりも低い沸点の液体の蒸気で、もう一方の蒸気タービン（５４）を作動させ、動力装置（５５）の動力源として利用すると同時に、アンモニア蒸気を凝縮装置（２４１）に通し液化するという動力源装置である。動力装置の利用例としては、発電装置など。【００２０】  請求項１５は、請求項６記載の動力源装置に、さらに水よりも低い沸点の液体であるアンモニアを利用した装置を組み合わせたもので、水素を燃焼させて水素燃料のガスタービン（４７）を作動させ発電機（４８）で発電した電気で水の電気分解装置（４９）内の塩水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させ、動力装置（５２）の動力源とすると同時に、さらに、蒸気タービン（５１）の排熱又は排気ガスを蒸気発生装置（５３）に通し、水よりも低い沸点の液体の蒸気で、もう一方の蒸気タービン（５４）を作動させ、動力装置（５５）の動力源として利用すると同時に、アンモニア蒸気を凝縮装置（２４１）に通し液化するという動力源装置の運転方法である。従って、動力源とする一方で当該装置の燃料及びその酸化剤をも生産するので永続的に装置が作動する。【００２１】  請求項１６は、請求項８記載の動力源装置に、さらに水よりも低い沸点の液体であるアンモニアを利用した装置を組み合わせたもので、水素を燃焼させて水素燃料のガスタービン（５６）を作動させ動力装置（５７）の動力源とすると同時に、燃焼時の排熱又は排気ガスを蒸気発生装置（５８）に通した蒸気で蒸気タービン（５９）を作動させ、発電機（６０）で発電した電気で水の電気分解装置（６１）内の塩水又は電気伝導性を有する水溶液を電気分解し、そこで得られた水素と酸素を水素燃料のガスタービン（５６）の燃料及び水素の酸化剤として利用し、さらに、蒸気タービン（５９）の排熱又は排気ガスを蒸気発生装置（６２）に通し、水よりも低い沸点の液体の蒸気で、もう一方の蒸気タービン（６３）を作動させ、動力装置（６４）の動力源として利用すると同時に、アンモニア蒸気を凝縮装置（２４２）に通し液化するという動力源装置である。動力装置の利用例としては、発電装置など。【００２２】  請求項１７は、請求項８���載の動力源装置に、さらに水よりも低い沸点の液体であるアンモニアを利用した装置を組み合わせたもので、水素を燃焼させて水素燃料のガスタービン（５６）を作動させ動力装置（５７）の動力源とすると同時に、燃焼時の排熱又は排気ガスを蒸気発生装置（５８）に通した蒸気で蒸気タービン（５９）を作動させ、発電機（６０）で発電した電気で水の電気分解装置（６１）内の塩水又は電気伝導性を有する水溶液を電気分解し、そこで得られた水素と酸素を水素燃料のガスタービン（５６）の燃料及び水素の酸化剤として利用し、さらに、蒸気タービン（５９）の排熱又は排気ガスを蒸気発生装置（６２）に通し、水よりも低い沸点の液体の蒸気で、もう一方の蒸気タービン（６３）を作動させ、動力装置（６４）の動力源として利用すると同時に、アンモニア蒸気を凝縮装置（２４２）に通し液化するという動力源装置の運転方法である。従って、動力源とする一方で当該装置の燃料及びその酸化剤をも生産するので永続的に装置が作動する。【００２３】  請求項１８は、水素燃料のロケットエンジン又は燃焼装置（６５）の燃料及びその酸化剤を当該ロケットエンジン又は燃焼装置（６５）の排熱又は排気ガスを利用して生産するもので、水素燃料のロケットエンジン又は燃焼装置（６５）の排熱又は排気ガスで得られた蒸気で蒸気タービン（６７）を作動させ、発電機（６８）で発電した電気で水の電気分解装置（６９）内の塩水又は電気伝導性を有する水溶液を電気分解し、そこで得られた水素と酸素を水素燃料のロケットエンジン又は燃焼装置（６５）の燃料及び水素の酸化剤として利用するという熱源としての燃焼装置である。燃焼装置の利用例としては、溶鉱炉等の熱源やゴミ焼却炉など。【００２４】  請求項１９は、水素燃料のロケットエンジン又は燃焼装置（６５）の燃料及びその酸化剤を当該ロケットエンジン又は燃焼装置（６５）の排熱又は排気ガスを利用して生産するもので、水素燃料のロケットエンジン又は燃焼装置（６５）の排熱又は排気ガスで得られた蒸気で蒸気タービン（６７）を作動させ、発電機（６８）で発電した電気で水の電気分解装置（６９）内の塩水又は電気伝導性を有する水溶液を電気分解し、そこで得られた水素と酸素を水素燃料のロケットエンジン又は燃焼装置（６５）の燃料及び水素の酸化剤として利用するという熱源としての燃焼装置の運転方法である。従って、熱源とする一方で当該装置の燃料及びその酸化剤をも生産するので永続的に装置が作動する。【００２５】  請求項２０は、水素燃料のロケットエンジン又は燃焼装置（７１）の燃料及びその酸化剤を当該ロケットエンジン又は燃焼装置（７１）の排熱又は排気ガスを利用して生産するもので、水素燃料のロケットエンジン又は燃焼装置（７１）の排熱又は排気ガスで得られた水よりも低い沸点の液体であるアンモニアの蒸気で蒸気タービン（７２）を作動させ、発電機（７３）で発電した電気で水の電気分解装置（７４）内の塩水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化するという熱源としての燃焼装置である。燃���装置の利用例としては、溶鉱炉等の熱源やゴミ焼却炉など。【００２６】  請求項２１は、水素燃料のロケットエンジン又は燃焼装置（７１）の燃料及びその酸化剤を当該ロケットエンジン又は燃焼装置（７１）の排熱又は排気ガスを利用して生産するもので、水素燃料のロケットエンジン又は燃焼装置（７１）の排熱又は排気ガスで得られた水よりも低い沸点の液体であるアンモニアの蒸気で蒸気タービン（７２）を作動させ、発電機（７３）で発電した電気で水の電気分解装置（７４）内の塩水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化するという熱源としての燃焼装置の運転方法である。従って、熱源とする一方で当該装置の燃料及びその酸化剤をも生産するので永続的に装置が作動する。【００２７】  請求項２２は、水素燃料のロケットエンジン又は燃焼装置（７５）での燃焼による噴流でガスタービン（７６）を作動させ、発電機（７７）で発電した電気で水の電気分解装置（７８）内の塩水又は電気伝導性を有する水溶液を電気分解し、そこで得られた水素と酸素を水素燃料のロケットエンジン又は燃焼装置（７５）の燃料及び水素の酸化剤として利用する一方で、燃焼時の排熱又は排気ガスを蒸気発生装置（７９）に通した蒸気で蒸気タービン（８０）を作動させ、発電機（８１）で発電するという発電装置である。【００２８】  請求項２３は、水素燃料のロケットエンジン又は燃焼装置（７５）での燃焼による噴流でガスタービン（７６）を作動させ、発電機（７７）で発電した電気で水の電気分解装置（７８）内の塩水又は電気伝導性を有する水溶液を電気分解し、そこで得られた水素と酸素を水素燃料のロケットエンジン又は燃焼装置（７５）の燃料及び水素の酸化剤として利用する一方で、燃焼時の排熱又は排気ガスを蒸気発生装置（７９）に通した蒸気で蒸気タービン（８０）を作動させ、発電機（８１）で発電するという発電方法である。従って、発電をする一方で当該装置の燃料及びその酸化剤をも生産するので永続的に装置が作動する。【００２９】  請求項２４は、燃焼室で水素を燃焼させて水素燃料のガスタービン（８２）を作動させ、発電機（８３）で発電した電気で水の電気分解装置（８４）内の塩水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電するという発電装置である。【００３０】  請求項２５は、燃焼室で水素を燃焼させて水素燃料のガスタービン（８２）を作動させ、発電機（８３）で発電した電気で水の電気分解装置（８４）内の塩水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電するという発電方法である。従って、発電をする一方で当該装置の燃料及びその酸化剤をも生産するので永続的に装置が作動する。【００３１】  請求項２６は、水素燃料のロケットエンジン又は燃焼装置（８８）での燃焼による噴流でガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の塩水又は電気伝導性を有する水溶液を電気分解し、そこで得られた水素と酸素を水素燃料のロケットエンジン又は燃焼装置（８８）の燃料及び水素の酸化剤として利用するという発電装置である。【００３２】  請求項２７は、水素燃料のロケットエンジン又は燃焼装置（８８）での燃焼による噴流でガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の塩水又は電気伝導性を有する水溶液を電気分解し、そこで得られた水素と酸素を水素燃料のロケットエンジン又は燃焼装置（８８）の燃料及び水素の酸化剤として利用するという発電方法である。従って、発電をする一方で当該装置の燃料及びその酸化剤をも生産するので永続的に装置が作動する。【００３３】  請求項２８は、燃焼室で水素を燃焼させて水素燃料のガスタービン（９５）を作動させ、発電機（９６）で発電をすると同時に、燃焼時の排熱又は排気ガスを蒸気発生装置（９７）に通した蒸気で蒸気タービン（９８）を作動させ、発電機（９９）で発電した電気で水の電気分解装置（１００）内の塩水又は電気伝導性を有する水溶液を電気分解し、そこで得られた水素と酸素を水素燃料のガスタービン（９５）の燃料及び水素の酸化剤として利用するという発電装置である。【００３４】  請求項２９は、燃焼室で水素を燃焼させて水素燃料のガスタービン（９５）を作動させ、発電機（９６）で発電をすると同時に、燃焼時の排熱又は排気ガスを蒸気発生装置（９７）に通した蒸気で蒸気タービン（９８）を作動させ、発電機（９９）で発電した電気で水の電気分解装置（１００）内の塩水又は電気伝導性を有する水溶液を電気分解し、そこで得られた水素と酸素を水素燃料のガスタービン（９５）の燃料及び水素の酸化剤として利用するという発電方法である。従って、発電をする一方で当該装置の燃料及びその酸化剤をも生産するので永続的に装置が作動する。【００３５】  請求項３０は、水素燃料のロケットエンジン又は燃焼装置（１０１）での燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の塩水又は電気伝導性を有する水溶液を電気分解し、そこで得られた水素と酸素を��素燃料のロケットエンジン又は燃焼装置（１０１）の燃料及び水素の酸化剤として利用すると同時に、アンモニア蒸気を凝縮装置（２４４）に通し液化するという動力源装置である。動力装置の利用例としては、発電装置など。【００３６】  請求項３１は、水素燃料のロケットエンジン又は燃焼装置（１０１）での燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の塩水又は電気伝導性を有する水溶液を電気分解し、そこで得られた水素と酸素を水素燃料のロケットエンジン又は燃焼装置（１０１）の燃料及び水素の酸化剤として利用すると同時に、アンモニア蒸気を凝縮装置（２４４）に通し液化するという動力源装置の運転方法である。従って、動力源とする一方で当該装置の燃料及びその酸化剤をも生産するので永続的に装置が作動する。【００３７】  請求項３２は、燃焼室で水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の塩水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化するという動力源装置である。動力装置の利用例としては、発電装置など。【００３８】  請求項３３は、燃焼室で水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の塩水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化するという動力源装置の運転方法である。従って、動力源とする一方で当該装置の燃料及びその酸化剤をも生産するので永続的に装置が作動する。【００３９】  請求項３４では、水素燃料のロケットエンジン又は燃焼装置（１２０）での燃焼による噴流で、ガスタービン（１２１）を作動させ、発電機（１２２）で発電した電気で水の電気分解装置（１２３）内の塩水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ、動力装置（１２６）の動力源とする動力源装置である。動力装置の利用例としては、発電装置や船舶のスクリューなど。【００４０】  請求項３５では、水素燃料のロケットエンジン又は燃焼装置（１２０）での燃焼による噴流で、ガスタービン（１２１）を作動させ、発電機（１２２）で発電した電気で水の電気分解装置（１２３）内の塩水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ、動力装置（１２６）の動力源とする動力源装置の運転方法である。従って、動力源とする一方で当該装置の燃料をも生産するので永続的に装置が作動する。【００４１】  請求項３６では、水素燃料のロケットエンジン又は燃焼装置（１２７）での燃焼による噴流で、ガスタービン（１２８）を作動させ、動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の塩水又は電気伝導性を有する水溶液を電気分解し、そこで得られた水素を水素燃料のロケットエンジン又は燃焼装置（１２７）の燃料として利用するという動力源装置である。動力装置の利用例としては、発電装置や船舶のスクリューなど。【００４２】  請求項３７では、水素燃料のロケットエンジン又は燃焼装置（１２７）での燃焼による噴流で、ガスタービン（１２８）を作動させ、動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の塩水又は電気伝導性を有する水溶液を電気分解し、そこで得られた水素を水素燃料のロケットエンジン又は燃焼装置（１２７）の燃料として利用するという動力源装置の運転方法である。従って、動力源とする一方で当該装置の燃料をも生産するので永続的に装置が作動する。【００４３】  請求項３８では、燃焼室で水素を燃焼させて水素燃料のガスタービン（１３４）を作動させ、発電機（１３５）で発電した電気で水の電気分解装置（１３６）内の塩水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて、動力装置（１３９）の動力源とするという動力源装置である。動力装置の利用例としては、発電装置や船舶のスクリューなど。【００４４】  請求項３９では、燃焼室で水素を燃焼さ��て水素燃料のガスタービン（１３４）を作動させ、発電機（１３５）で発電した電気で水の電気分解装置（１３６）内の塩水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて、動力装置（１３９）の動力源とするという動力源装置の運転方法である。従って、動力源とする一方で当該装置の燃料をも生産するので永続的に装置が作動する。【００４５】  請求項４０は、燃焼室で水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の塩水又は電気伝導性を有する水溶液を電気分解し、そこで得られた水素を水素燃料のガスタービン（１４０）の燃料として利用するという動力源装置である。動力装置の利用例としては、発電装置や船舶のスクリューなど。【００４６】  請求項４１は、燃焼室で水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の塩水又は電気伝導性を有する水溶液を電気分解し、そこで得られた水素を水素燃料のガスタービン（１４０）の燃料として利用するという動力源装置の運転方法である。従って、動力源とする一方で当該装置の燃料をも生産するので永続的に装置が作動する。【００４７】  請求項４２は、請求項３４記載の動力源装置に、さらに水よりも低い沸点の液体であるアンモニアを利用した装置を組み合わせたもので、水素を燃焼させて水素燃料のロケットエンジン又は燃焼装置（１４６）側のガスタービン（１４７）を作動させ、発電機（１４８）で発電した電気で水の電気分解装置（１４９）内の塩水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させ、動力装置（１５２）の動力源とすると同時に、さらに、蒸気タービン（１５１）の排熱又は排気ガスを蒸気発生装置（１５３）に通し、水よりも低い沸点の液体の蒸気で、もう一方の蒸気タービン（１５４）を作動させ、動力装置（１５５）の動力源として利用すると同時に、アンモニア蒸気を凝縮装置（２４６）に通し、液化するという動力源装置である。動力装置の利用例としては発電装置など。【００４８】  請求項４３は、請求項３４記載の動力源装置に、さらに水よりも低い沸点の液体であるアンモニアを利用した装置を組み合わせたもので、水素を燃焼させて水素燃料のロケットエンジン又は燃焼装置（１４６）側のガスタービン（１４７）を作動させ、発電機（１４８）で発電した電気で水の電気分解装置（１４９）内の塩水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させ、動力装置（１５２）の動力源とすると同時に、さらに、蒸気タービン（１５１）の排熱又は排気ガスを蒸気発生装置（１５３）に通し、水よりも低い沸点の液体の蒸気で、もう一方の蒸気タービン（１５４）を作動させ、動力装置（１５５）の動力源として利用すると同時に、アンモニア蒸気を凝縮装置（２４６）に通し液化するという動力源装置の運転方法である。従って、動力源とする一方で当該装置の燃料をも生産するので永続的に装置が作動する。【００４９】  請求項４４は、請求項３６記載の動力源装置に、さらに水よりも低い沸点の液体であるアンモニアを利用した装置を組み合わせたもので、水素を燃焼させて水素燃料のロケットエンジン又は燃焼装置（１５６）側のガスタービン（１５７）を作動させ動力装置（１５８）の動力源とすると同時に、燃焼時の排熱又は排気ガスを蒸気発生装置（１５９）に通した蒸気で蒸気タービン（１６０）を作動させ、発電機（１６１）で発電した電気で水の電気分解装置（１６２）内の塩水又は電気伝導性を有する水溶液を電気分解し、そこで得られた水素を水素燃料のロケットエンジン又は燃焼装置（１５６）の燃料として利用し、さらに、蒸気タービン（１６０）の排熱又は排気ガスを蒸気発生装置（１６３）に通し、水よりも低い沸点の液体の蒸気で、もう一方の蒸気タービン（１６４）を作動させ、動力装置（１６５）の動力源として利用すると同時に、アンモニア蒸気を凝縮装置（２４７）に通し液化するという動力源装置である。動力装置の利用例としては、発電装置など。【００５０】  請求項４５は、請求項３６記載の動力源装置に、さらに水よりも低い沸点の液体であるアンモニアを利用した装置を組み合わせたもので、水素を燃焼させて水素燃料のロケットエンジン又は燃焼装置（１５６）側のガスタービン（１５７）を作動させ、動力装置（１５８）の動力源とすると同時に、燃焼時の排熱又は排気ガスを蒸気発生装置（１５９）に通した蒸気で蒸気タービン（１６０）を作動させ、発電機（１６１）で発電した電気で水の電気分解装置（１６２）内の塩水又は電気伝導性を有する水溶液を電気分解し、そこで得られた水素を水素燃料のロケットエンジン又は燃焼装置（１５６）の燃料として利用し、さらに、蒸気タービン（１６０）の排熱又は排気ガスを蒸気発生装置（１６３）に通し、水よりも低い沸点の液体の蒸気で、もう一方の蒸気タービン（１６４）を作動させ、動力装置（１６５）の動力源として利用すると同時に、アンモニア蒸気を凝縮装置（２４７）に通し液化するという動力源装置の運転方法である。従って、動力源とする一方で当該装置の燃料をも生産するので永続的に装置が作動する。【００５１】  請求項４６は、請求項３８記載の動力源装置に、さらに水よりも低い沸点の液体であるアンモニアを利用した装置を組み合わせたもので、水素を燃焼させて水素燃料のガスタービン（１６６）を作動させ、発電機（１６７）で発電した電気で水の電気分解装置（１６８）内の塩水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させ、動力装置（１７１）の動力源とすると同時に、さらに、蒸気タービン（１７０）の排熱又は排気ガスを蒸気発生装置（１７２）に通し、水よりも低い沸点の液体の蒸気で、もう一方の蒸気タービン（１７３）を作動させ、動力装置（１７４）の動力源として利用すると同時に、アンモニア蒸気を凝縮装置（２４８）に通し液化するという動力源装置である。動力装置の利用例としては、発電装置など。【００５２】  請求項４７は、請求項３８記載の動力源装置に、さらに水よりも低い沸点の液体であるアンモニアを利用した装置を組み合わせたもので、水素を燃焼させて水素燃料のガスタービン（１６６）を作動させ、発電機（１６７）で発電した電気で水の電気分解装置（１６８）内の塩水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させ、動力装置（１７１）の動力源とすると同時に、さらに、蒸気タービン（１７０）の排熱又は排気ガスを蒸気発生装置（１７２）に通し、水よりも低い沸点の液体の蒸気で、もう一方の蒸気タービン（１７３）を作動させ、動力装置（１７４）の動力源として利用すると同時に、アンモニア蒸気を凝縮装置（２４８）に通し液化するという動力源装置の運転方法である。従って、動力源とする一方で当該装置の燃料をも生産するので永続的に装置が作動する。【００５３】  請求項４８は、請求項４０記載の動力源装置に、さらに水よりも低い沸点の液体であるアンモニアを利用した装置を組み合わせたもので、水素を燃焼させて水素燃料のガスタービン（１７５）を作動させ、動力装置（１７６）の動力源とすると同時に、燃焼時の排熱又は排気ガスを蒸気発生装置（１７７）に通した蒸気で蒸気タービン（１７８）を作動させ、発電機（１７９）で発電した電気で水の電気分解装置（１８０）内の塩水又は電気伝導性を有する水溶液を電気分解し、そこで得られた水素を水素燃料のガスタービン（１７５）の燃料として利用し、さらに、蒸気タービン（１７８）の排熱又は排気ガスを蒸気発生装置（１８１）に通し、水よりも低い沸点の液体の蒸気で、もう一方の蒸気タービン（１８２）を作動させ、動力装置（１８３）の動力源として利用すると同時に、アンモニア蒸気を凝縮装置（２４９）に通し液化するという動力源装置である。動力装置の利用例としては、発電装置など。【００５４】  請求項４９は、請求項４０記載の動力源装置に、さらに水よりも低い沸点の液体であるアンモニアを利用した装置を組み合わせたもので、水素を燃焼させて水素燃料のガスタービン（１７５）を作動させ、動力装置（１７６）の動力源とすると同時に、燃焼時の排熱又は排気ガスを蒸気発生装置（１７７）に通した蒸気で蒸気タービン（１７８）を作動させ、発電機（１７９）で発電した電気で水の電気分解装置（１８０）内の塩水又は電気伝導性を有する水溶液を電気分解し、そこで得られた水素を水素燃料のガスタービン（１７５）の燃料として利用し、さらに、蒸気タービン（１７８）の排熱又は排気ガスを蒸気発生装置（１８１）に通し、水よりも低い沸点の液体の蒸気で、もう一方の蒸気タービン（１８２）を作動させ、動力装置（１８３）の動力源として利用すると同時に、アンモニア蒸気を凝縮装置（２４９）に通し液化するという動力源装置の運転方法である。従って、動力源とする一方で当該装置の燃料をも生産するので永続的に装置が作動する。【００５５】  請求項５０は、水素燃料のロケットエンジン又は燃焼装置（１８４）の燃料を当該ロケットエンジン又は燃焼装置（１８４）の排熱又は排気ガスを利用して生産するもので、水素燃料のロケットエンジン又は燃焼装置（１８４）の排熱又は排気ガスで得られた蒸気で蒸気タービン（１８６）を作動させ、発電機（１８７）で発電した電気で水の電気分解装置（１８８）内の塩水又は電気伝導性を有する水溶液を電気分解し、そこで得られた水素を水素燃料のロケットエンジン又は燃焼装置（１８４）の燃料として利用するという熱源としての燃焼装置である。燃焼装置の利用例としては溶鉱炉等の熱源やゴミ焼却炉など。【００５６】  請求項５１は、水素燃料のロケットエンジン又は燃焼装置（１８４）の燃料を当該ロケットエンジン又は燃焼装置（１８４）の排熱又は排気ガスを利用して生産するもので、水素燃料のロケットエンジン又は燃焼装置（１８４）の排熱又は排気ガスで得られた蒸気で蒸気タービン（１８６）を作動させ、発電機（１８７）で発電した電気で水の電気分解装置（１８８）内の塩水又は電気伝導性を有する水溶液を電気分解し、そこで得られた水素を水素燃料のロケットエンジン又は燃焼装置（１８４）の燃料として利用するという熱源としての燃焼装置の運転方法である。従って、熱源とする一方で当該装置の燃料をも生産するので永続的に装置が作動する。【００５７】  請求項５２は、水素燃料のロケットエンジン又は燃焼装置（１８９）の燃料を当該ロケットエンジン又は燃焼装置（１８９）の排熱又は排気ガスを利用して生産するもので、水素燃料のロケットエンジン又は燃焼装置（１８９）の排熱又は排気ガスで得られた水よりも低い沸点の液体であるアンモニアの蒸気で蒸気タービン（１９１）を作動させ、発電機（１９２）で発電した電気で水の電気分解装置（１９３）内の塩水又は電気伝導性を有する水溶液を電気分解し、そこで得られた水素を水素燃料のロケットエンジン又は燃焼装置（１８９）の燃料として利用すると同時に、アンモニア蒸気を凝縮装置（２５０）に通し液化するという熱源としての燃焼装置である。燃焼装置の利用例としては、溶鉱炉等の熱源やゴミ焼却炉など。【００５８】  請求項５３は、水素燃料のロケットエンジン又は燃焼装置（１８９）の燃料を当該ロケットエンジン又は燃焼装置（１８９）の排熱又は排気ガスを利用して生産するもので、水素燃料のロケットエンジン又は燃焼装置（１８９）の排熱又は排気ガスで得られた水よりも低い沸点の液体であるアンモニアの蒸気で蒸気タービン（１９１）を作動させ、発電機（１９２）で発電した電気で水の電気分解装置（１９３）内の塩水又は電気伝導性を有する水溶液を電気分解し、���こで得られた水素を水素燃料のロケットエンジン又は燃焼装置（１８９）の燃料として利用すると同時に、アンモニア蒸気を凝縮装置（２５０）に通し液化するという熱源としての燃焼装置の運転方法である。従って、熱源とする一方で当該装置の燃料をも生産するので永続的に装置が作動する。【００５９】  請求項５４は、水素燃料のロケットエンジン又は燃焼装置（１９４）での燃焼による噴流でガスタービン（１９５）を作動させ、発電機（１９６）で発電した電気で水の電気分解装置（１９７）内の塩水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電するという発電装置である。【００６０】  請求項５５は、水素燃料のロケットエンジン又は燃焼装置（１９４）での燃焼による噴流でガスタービン（１９５）を作動させ、発電機（１９６）で発電した電気で水の電気分解装置（１９７）内の塩水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電するという発電方法である。従って、発電をする一方で当該装置の燃料をも生産するので永続的に装置が作動する。【００６１】  請求項５６は、燃焼室で水素を燃焼させて水素燃料のガスタービン（２０１）を作動させ、発電機（２０２）で発電した電気で水の電気分解装置（２０３）内の塩水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電するという発電装置である。【００６２】  請求項５７は、燃焼室で水素を燃焼させて水素燃料のガスタービン（２０１）を作動させ、発電機（２０２）で発電した電気で水の電気分解装置（２０３）内の塩水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電するという発電方法である。従って、発電をする一方で当該装置の燃料をも生産するので永続的に装置が作動する。【００６３】  請求項５８は、水素燃料のロケットエンジン又は燃焼装置（２０７）での燃焼による噴流でガスタービン（２０８）を作動させ、発電機（２０９）で発電をすると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の塩水又は電気伝導性を有する水溶液を電気分解し、そこで得られた水素を水素燃料のロケットエンジン又は燃焼装置（２０７）の燃料として利用するという発電装置である。【００６４】  請求項５９は、水素燃料のロケットエンジン又は燃焼装置（２０７）での燃焼による噴流でガスタービン（２０８）を作動させ、発電機（２０９）で発電をすると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の塩水又は電気伝導性を有する水溶液を電気分解し、そこで得られた水素を水素燃料のロケットエンジン又は燃焼装置（２０７）の燃料として利用するという発電方法である。従って、発電をする一方で当該装置の燃料をも生産するので永続的に装置が作動する。【００６５】  請求項６０は、燃焼室で水素を燃焼させて水素燃料のガスタービン（２１４）を作動させ、発電機（２１５）で発電をすると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の塩水又は電気伝導性を有する水溶液を電気分解し、そこで得られた水素を水素燃料のガスタービン（２１４）の燃料として利用するという発電装置である。【００６６】  請求項６１は、燃焼室で水素を燃焼させて水素燃料のガスタービン（２１４）を作動させ、発電機（２１５）で発電をすると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の塩水又は電気伝導性を有する水溶液を電気分解し、そこで得られた水素を水素燃料のガスタービン（２１４）の燃料として利用するという発電方法である。従って、発電をする一方で当該装置の燃料をも生産するので永続的に装置が作動する。【００６７】  請求項６２は、水素燃料のロケットエンジン又は燃焼装置（２２０）での燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（２２７）を作動させ、発電機（２２８）で発電した電気で水の電気分解装置（２２９）内の塩水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化するという動力源装置である。動力装置の利用例としては、発電装置など。【００６８】  請求項６３は、水素燃料のロケットエンジン又は燃焼装置（２２０）での燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（��２７）を作動させ、発電機（２２８）で発電した電気で水の電気分解装置（２２９）内の塩水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化するという動力源装置の運転方法である。従って、動力源とする一方で当該装置の燃料をも生産するので永続的に装置が作動する。【００６９】  請求項６４は、燃焼室で水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の塩水又は電気伝導性を有する水溶液を電気分解し、そこで得られた水素を水素燃料のガスタービン（２３０）の燃料として利用すると同時に、アンモニア蒸気を凝縮装置（２５２）に通し液化するという動力源装置である。動力装置の利用例としては、発電装置など。【００７０】  請求項６５は、燃焼室で水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の塩水又は電気伝導性を有する水溶液を電気分解し、そこで得られた水素を水素燃料のガスタービン（２３０）の燃料として利用すると同時に、アンモニア蒸気を凝縮装置（２５２）に通し液化するという動力源装置の運転方法である。従って、動力源とする一方で当該装置の燃料をも生産するので永続的に装置が作動する。【００７１】  請求項６６では、水素燃料のロケットエンジン又は燃焼装置（２５３）での燃焼による噴流で、ガスタービン（２５４）を作動させ、発電機（２５５）で発電した電気で水の電気分解装置（２５６）内の塩水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置である。動力装置の利用例としては、発電装置や船舶のスクリューなど。【００７２】  請求項６７では、水素燃料のロケットエンジン又は燃焼装置（２５３）での燃焼による噴流で、ガスタービン（２５４）を作動させ、発電機（２５５）で発電した電気で水の電気分解装置（２５６）内の塩水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置の運転方法である。従って、動力源とする一方で当該装置の燃料及びその酸化剤をも生産するので永続的に装置が作動する。【００７３】  請求項６８では、水素燃料のロケットエンジン又は燃焼装置（２６２）での燃焼による噴流で、ガスタービン（２６３）を作動させ、動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の塩水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用するという動力源装置である。動力装置の利用例としては、発電装置や船舶のスクリューなど。【００７４】  請求項６９では、水素燃料のロケットエンジン又は燃焼装置（２６２）での燃焼による噴流で、ガスタービン（２６３）を作動させ、動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の塩水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用するという動力源装置の運転方法である。従って、動力源とする一方で当該装置の燃料及びその酸化剤をも生産するので永続的に装置が作動する。【００７５】  請求項７０では、燃焼室で水素を燃焼させて水素燃料のガスタービン（２７１）を作動させ、発電機（２７２）で発電した電気で水の電気分解装置（２７３）内の塩水又は電気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させ、動力装置（２７８）の動力源とするという動力源装置である。動力装置の利用例としては、発電装置や船舶のスクリューなど。【００７６】  請求項７１では、燃焼室で水素を燃焼させて水素燃料のガスタービン（２７１）を作動させ、発電機（２７２）で発電した電気で水の電気分解装置（２７３）内の塩水又は���気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させ、動力装置（２７８）の動力源とするという動力源装置の運転方法である。従って、動力源とする一方で当該装置の燃料及びその酸化剤をも生産するので永続的に装置が作動する。【００７７】  請求項７２は、燃焼室で水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の塩水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用するという動力源装置である。動力装置の利用例としては、発電装置や船舶のスクリューなど。【００７８】  請求項７３は、燃焼室で水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の塩水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用するという動力源装置の運転方法である。従って、動力源とする一方で当該装置の燃料及びその酸化剤をも生産するので永続的に装置が作動する。【００７９】  請求項７４は、水素燃料のロケットエンジン又は燃焼装置（２８８）の燃料及びその酸化剤を当該ロケットエンジン又は燃焼装置（２８８）の排熱又は排気ガスを利用して生産するもので、水素燃料のロケットエンジン又は燃焼装置（２８８）の排熱又は排気ガスで得られた蒸気で蒸気タービン（２８９）を作動させ、発電機（２９０）で発電した電気で水の電気分解装置（２９１）内の塩水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用するという熱源としての燃焼装置である。燃焼装置の利用例としては、溶鉱炉等の熱源やゴミ焼却炉など。【００８０】  請求項７５は、水素燃料のロケットエンジン又は燃焼装置（２８８）の燃料及びその酸化剤を当該ロケットエンジン又は燃焼装置（２８８）の排熱又は排気ガスを利用して生産するもので、水素燃料のロケットエンジン又は燃焼装置（２８８）の排熱又は��気ガスで得られた蒸気で蒸気タービン（２８９）を作動させ、発電機（２９０）で発電した電気で水の電気分解装置（２９１）内の塩水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用するという熱源としての燃焼装置の運転方法である。従って熱源とする一方で当該装置の燃料及びその酸化剤も生産するので永続的に装置が作動する。【００８１】  請求項７６では、水素燃料のロケットエンジン又は燃焼装置（２９４）での燃焼による噴流で、ガスタービン（２９５）を作動させ、発電機（２９６）で発電した電気で水の電気分解装置（２９７）内の塩水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ、動力装置（３０１）の動力源とする動力源装置である。動力装置の利用例としては、発電装置や船舶のスクリューなど。【００８２】  請求項７７では、水素燃料のロケットエンジン又は燃焼装置（２９４）での燃焼による噴流で、ガスタービン（２９５）を作動させ、発電機（２９６）で発電した電気で水の電気分解装置（２９７）内の塩水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ、動力装置（３０１）の動力源とする動力源装置の運転方法である。従って、動力源とする一方で当該装置の燃料をも生産するので永続的に装置が作動する。【００８３】  請求項７８では、水素燃料のロケットエンジン又は燃焼装置（３０２）での燃焼による噴流で、ガスタービン（３０３）を作動させ、動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の塩水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用するという動力源装置である。動力装置の利用例としては、発電装置や船舶のスクリューなど。【００８４】  請求項７９では、水素燃料のロケットエンジン又は燃焼装置（３０２）での燃焼による噴流で、ガスタービン（３０３）を作動させ、動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の塩水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用するという動力源装置の運転方法である。従って、動力源とする一方で当該装置の燃料をも生産するので永続的に装置が作動する。【００８５】  請求項８０では、燃焼室で水素を燃焼させて水素燃料のガスタービン（３１０）を作動させ、発電機（３１１）で発電した電気で水の電気分解装置（３１２）内の塩水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて、動力装置（３１６）の動力源とするという動力源装置である。動力装置の利用例としては、発電装置や船舶のスクリューなど。【００８６】  請求項８１では、燃焼室で水素を燃焼させて水素燃料のガスタービン（３１０）を作動させ、発電機（３１１）で発電した電気で水の電気分解装置（３１２）内の塩水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて、動力装置（３１６）の動力源とするという動力源装置の運転方法である。従って、動力源とする一方で当該装置の燃料をも生産するので永続的に装置が作動する。【００８７】  請求項８２は、燃焼室で水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の塩水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用するという動力源装置である。動力装置の利用例としては、発電装置や船舶のスクリューなど。【００８８】  請求項８３は、燃焼室で水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の塩水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用するという動力源装置の運転方法である。従って、動力源とする一方で当該装置の燃料をも生産するので永続的に装置が作動する。【００８９】  請求項８４は、水素燃料のロケットエンジン又は燃焼装置（３２５��の燃料を当該ロケットエンジン又は燃焼装置（３２５）の排熱又は排気ガスを利用して生産するもので、水素燃料のロケットエンジン又は燃焼装置（３２５）の排熱又は排気ガスで得られた蒸気で蒸気タービン（３２６）を作動させ、発電機（３２７）で発電した電気で水の電気分解装置（３２８）内の塩水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用するという熱源としての燃焼装置である。燃焼装置の利用例としては、溶鉱炉等の熱源やゴミ焼却炉など。【００９０】  請求項８５は、水素燃料のロケットエンジン又は燃焼装置（３２５）の燃料を当該ロケットエンジン又は燃焼装置（３２５）の排熱又は排気ガスを利用して生産するもので、水素燃料のロケットエンジン又は燃焼装置（３２５）の排熱又は排気ガスで得られた蒸気で蒸気タービン（３２６）を作動させ、発電機（３２７）で発電した電気で水の電気分解装置（３２８）内の塩水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用するという熱源としての燃焼装置の運転方法である。従って、熱源とする一方で当該装置の燃料をも生産するので永続的に装置が作動する。【００９１】  請求項８６は、請求項２から請求項８４のいずれかに記載の動力源装置及び発電装置及び燃焼装置を水素と酸素の増殖炉として利用するもので、当該装置の作動中に、消費される水素や酸素量よりも、生産される水素や酸素量が上回った分を他の分野で利用することを目的とした水素と酸素の製造装置である。【００９２】  請求項８７は、請求項２から請求項８４のいずれかに記載の動力源装置及び発電装置及び燃焼装置を水素と酸素の増殖炉として利用するもので、当該装置の作動中に、消費される水素や酸素量よりも、生産される水素や酸素量が上回った分を他の分野で利用することを目的とした水素と酸素の製造方法である。
【図面の簡単な説明】
【００９３】
【図１】  本発明（請求項２）のシステムフロー図
【図２】  本発明（請求項４）のシステムフロー図
【図３】  本発明（請求項６）のシステムフロー図
【図４】  本発明（請求項８）のシステムフロー図
【図５】  本発明（請求項１０）のシステムフロー図
【図６】  本発明（請求項１２）のシステムフロー図
【図７】  本発明（請求項１４）のシステムフロー図
【図８】  本発明（請求項１６）のシステムフロー図
【図９】  本発明（請求項１８）のシステ厶フロー図
【図１０】  本発明（請求項２０）のシステムフロー図
【図１１】  本発明（請求項２２）のシステムフロー図
【図１２】  本発明（請求項２４）のシステムフロー図
【図１３】  本発明（請求項２６）のシステムフロー図
【図１４】  本発明（請求項２８）のシステムフロー図
【図１５】  本発明（請求項３０）のシステムフロー図
【図１６】  本発明（請求項３２）のシステムフロー図
【図１７】  本発明（請求項３４）のシステムフロー図
【図１８】  本発明（請求項３６）のシステムフロー図
【図１９】  本発明（請求項３８）のシステムフロー図
【図２０】  本発明（請求項４０）のシステムフロー図
【図２１】  本発明（請求項４２）のシステムフロー図
【図２２】  本発明（請求項４４）のシステ厶フロー図
【図２３】  本発明（請求項４６）のシステムフロー図
【図２４】  本発明（請求項４８）のシステムフロー図
【図２５】  本発明（請求項５０）のシステムフロー図
【図２６】  本発明（請求項５２）のシステムフロー図
【図２７】  本発明（請求項５４）のシステムフロー図
【図２８】  本発明（請求項５６）のシステムフロー図
【図２９】  本発明（請求項５８）のシステムフロー図
【図３０】  本発明（請求項６０）のシステムフロー図
【図３１】  本発明（請求項６２）のシステムフロー図
【図３２】  本発明（請求項６４）のシステムフロー図
【図３３】  本発明（請求項６６）のシステムフロー図
【図３４】  本発明（請求項６８）のシステムフロー図
【図３５】  本発明（請求項７０）のシステムフロー図
【図３６】  本発明（請求項７２）のシステムフロー図
【図３７】  本発明（請求項７４）のシステムフロー図
【図３８】  本発明（請求項７６）のシステムフロー図
【図３９】  本発明（請求項７８）のシステムフロー図
【図４０】  本発明（請求項８０）のシステムフロー図
【図４１】  本発明（請求項８２）のシステムフロー図
【図４２】  本発明（請求項８４）のシステムフロー図
【符号の簡単な説明】
【００９４】１は水素燃料のロケットエンジン又は燃焼装置
２はガスタービン
３は発電機
４は水の電気分解装置
５は蒸気発生装置
６は蒸気タービン
７は動力装置
８は水素燃料のロケットエンジン又は燃焼装置
９はガスタービン
１０は動力装置
１１は蒸気発生装置
１２は蒸気タービン
１３は発電機
１４は水の電気分解装置
１５は水素燃料のガスタービン
１６は発電機
１７は水の電気分解装置
１８は蒸気発生装置
１９は蒸気タービン
２０は動力装置
２１は水素燃料のガスタービン
２２は動力装置
２３は蒸気発生装置
２４は蒸気タービン
２５は発電機
２６は水の電気分解装置
２７は水素燃料のロケットエンジン又は燃焼装置
２８はガスタービン
２９は発電機
３０は水の電気分解装置
３１は蒸気発生装置
３２は蒸気タービン
３３は動力装置
３４は蒸気発生装置
３５は蒸気タービン
３６は動力装置
３７は水素燃料のロケットエンジン又は燃焼装置
３８はガスタービン
３９は動力装置
４０は蒸気発生装置
４１は蒸気タービン
４２は発電機
４３は水の電気分解装置
４４は蒸気発生装置
４５は蒸気タービン
４６は動力装置
４７は水素燃料のガスタービン
４８は発電機
４９は水の電気分解装置
５０は蒸気発生装置
５１は蒸気タービン
５２は動力装置
５３は蒸気発生装置
５４は蒸気タービン
５５は動力装置
５６は水素燃料のガスタービン
５７は動力装置
５８は蒸気発生装置
５９は蒸気タービン
６０は発電機
６１は水の電気分解装置
６２は蒸気発生装置
６３は蒸気タービン
６４は動力装置
６５は水素燃料のロケットエンジン又は燃焼装置
６６は溶鉱炉等
６７は蒸気タービン
６８は発電機
６９は水の電気分解装置
７０は溶鉱炉等
７１は水素燃料のロケットエンジン又は燃焼装置
７２は蒸気タービン
７３は発電機
７４は水の電気分解装置
７５は水素燃料のロケットエンジン又は燃焼装置
７６はガスタービン
７７は発電機
７８は水の電気分解装置
７９は蒸気発生装置
８０は蒸気タービン
８１は発電機
８２は水素燃料のガスタービン
８３は発電機
８４は水の電気分解装置
８５は蒸気発生装置
８６は蒸気タービン
８７は発電機
８８は水素燃料のロケットエンジン又は燃焼装置
８９はガスタービン
９０は発電機
９１は蒸気発生装置
９２は蒸気タービン
９３は発電機
９４は水の電気分解装置
９５は水素燃料のガスタービン
９６は発電機
９７は蒸気発生装置
９８は蒸気タービン
９９は発電機
１００は水の電気分解装置
１０１は水素燃料のロケットエンジン又は燃焼装置
１０２はガスタービン
１０３は動力装置
１０４は蒸気発生装置
１０５は蒸気タービン
１０６は動力装置
１０７は蒸気発生装置
１０８は蒸気タービン
１０９は発電機
１１０は水の電気分解装置
１１１は水素燃料のガスタービン
１１２は動力装置
１１３は蒸気発生装置
１１４は蒸気タービン
１１５は動力装置
１１６は蒸気発生装置
１１７は蒸気タービン
１１８は発電機
１１９は水の電気分解装置
１２０は水素燃料のロケットエンジン又は燃焼装置
１２１はガスタービン
１２２は発電機
１２３は水の電気分解装置
１２４は蒸気発生装置
１２５は蒸気タービン
１２６は動力装置
１２７は水素燃料のロケットエンジン又は燃焼装置
１２８はガスタービン
１２９は動力装置
１３０は蒸気発生装置
１３１は蒸気タービン
１３２は発電機
１３３は水の電気分解装置
１３４は水素燃料のガスタービン
１３５は発電機
１３６は水の電気分解装置
１３７は蒸気発生装置
１３８は蒸気タービン
１３９は動力装置
１４０は水素燃料のガスタービン
１４１は動力装置
１４２は蒸気発生装置
１４３は蒸気タービン
１４４は発電機
１４５は水の電気分解装置
１４６は水素燃料のロケットエンジン又は燃焼装置
１４７はガスタービン
１４８は発電機
１４９は水の電気分解装置
１５０は蒸気発生装置
１５１は蒸気タービン
１５２は動力装置
１５３は蒸気発生装置
１５４は蒸気タービン
１５５は動力装置
１５６は水素燃料のロケットエンジン又は燃焼装置
１５７はガスタービン
１５８は動力装置
１５９は蒸気発生装置
１６０は蒸気タービン
１６１は発電機
１６２は水の電気分解装置
１６３は蒸気発生装置
１６４は蒸気タービン
１６５は動力装置
１６６は水素燃料のガスタービン
１６７は発電機
１６８は水の電気分解装置
１６９は蒸気発生装置
１７０は蒸気タービン
１７１は動力装置
１７２は蒸気発生装置
１７３は蒸気タービン
１７４は動力装置
１７５は水素燃料のガスタービン
１７６は動力装置
１７７は蒸気発生装置
１７８は蒸気タービン
１７９は発電機
１８０は水の電気分解装置
１８１は蒸気発生装置
１８２は蒸気タービン
１８３は動力装置
１８４は水素燃料のロケットエンジン又は燃焼装置
１８５は溶鉱炉等
１８６は蒸気タービン
１８７は発電機
１８８は水の電気分解装置
１８９は水素燃料のロケットエンジン又は燃焼装置
１９０は溶鉱炉等
１９１は蒸気タービン
１９２は発電機
１９３は水の電気分解装置
１９４は水素燃料のロケットエンジン又は燃焼装置
１９５はガスタービン
１９６は発電機
１９７は水の電気分解装置
１９８は蒸気発生装置
１９９は蒸気タービン
２００は発電機
２０１は水素燃料のガスタービン
２０２は発電機
２０３は水の電気分解装置
２０４は蒸気発生装置
２０５は蒸気タービン
２０６は発電機
２０７は水素燃料のロケットエンジン又は燃焼装置
２０８はガスタービン
２０９は発電機
２１０は蒸気発生装置
２１１は蒸気タービン
２１２は発電機
２１３は水の電気分解装置
２１４は水素燃料のガスタービン
２１５は発電機
２１６は蒸気発生装置
２１７は蒸気タービン
２１８は発電機
２１９は水の電気分解装置
２２０は水素燃料のロケットエンジン又は燃焼装置
２２１はガスタービン
２２２は動力装置
２２３は蒸気発生装置
２２４は蒸気タービン
２２５は動力装置
２２６は蒸気発生装置
２２７は蒸気タービン
２２８は発電機
２２９は水の電気分解装置
２３０は水素燃料のガスタービン
２３１は動力装置
２３２は蒸気発生装置
２３３は蒸気タービン
２３４は動力装置
２３５は蒸気発生装置
２３６は蒸気タービン
２３７は発電機
２３８は水の電気分解装置
２３９は凝縮装置
２４０は凝縮装置
２４１は凝縮装置
２４２は凝縮装置
２４３は凝縮装置
２４４は凝縮装置
２４５は凝縮装置
２４６は凝縮装置
２４７は凝縮装置
２４８は凝縮装置
２４９は凝縮装置
２５０は凝縮装置
２５１は凝縮装置
２５２は凝縮装置
２５３は水素燃料のロケットエンジン又は燃焼装置
２５４はガスタービン
２５５は発電機
２５６は水の電気分解装置
２５７は液化装置及び貯蔵タンク
２５８は液化装置及び貯蔵タンク
２５９は蒸気発生装置
２６０は蒸気タービン
２６１は動力装置
２６２は水素燃料のロケットエンジン又は燃焼装置
２６３はガスタービン
２６４は動力装置
２６５は蒸気発生装置
２６６は蒸気タービン
２６７は発電機
２６８は水の電気分解装置
２６９は液化装置及び貯蔵タンク
２７０は液化装置及び貯蔵タンク
２７１は水素燃料のガスタービン
２７２は発電機
２７３は水の電気分解装置
２７４は液化装置及び貯蔵タンク
２７５は液化装置及び貯蔵タンク
２７６は蒸気発生装置
２７７は蒸気タービン
２７８は動力装置
２７９は水素燃料のガスタービン
２８０は動力装置
２８１は蒸気発生装置
２８２は蒸気タービン
２８３は発電機
２８４は水の電気分解装置
２８５は液化装置及び貯蔵タンク
２８６は液化装置及び貯蔵タンク
２８７は溶鉱炉等
２８８は水素燃料のロケットエンジン又は燃焼装置
２８９は蒸気タービン
２９０は発電機
２９１は水の電気分解装置
２９２は液化装置及び貯蔵タンク
２９３は液化装置及び貯蔵タンク
２９４は水素燃料のロケットエンジン又は燃焼装置
２９５はガスタービン
２９６は発電機
２９７は水の電気分解装置
２９８は液化装置及び貯蔵タンク
２９９は蒸気発生装置
３００は蒸気タービン
３０１は動力装置
３０２は水素燃料のロケットエンジン又は燃焼装置
３０３はガスタービン
３０４は動力装置
３０５は蒸気発生装置
３０６は蒸気タービン
３０７は発電機
３０８は水の電気分解装置
３０９は液化装置及び貯蔵タンク
３１０は水素燃料のガスタービン
３１１は発電機
３１２は水の電気分解装置
３１３は液化装置及び貯蔵タンク
３１４は蒸気発生装置
３１５は蒸気タービン
３１６は動力装置
３１７は水素燃料のガスタービン
３１８は動力装置
３１９は蒸気発生装置
３２０は蒸気タービン
３２１は発電機
３２２は水の電気分解装置
３２３は液化装置及び貯蔵タンク
３２４は溶鉱炉等
３２５は水素燃料のロケットエンジン又は燃焼装置
３２６は蒸気タービン
３２７は発電機
３２８は水の電気分解装置
３２９は液化装置及び貯蔵タンク
３３０は制御装置
３３１は制御装置
３３２は制御装置
３３３は制御装置
３３４は制御装置
３３５は制御装置
３３６は制御装置
３３７は制御装置
３３８は制御装置
３３９は制御装置
３４０は制御装置
３４１は制御装置
３４２は制御装置
３４３は制御装置
３４４は制御装置
【図１】
2006233951.tif 000003
【図２】
2006233951.tif 000004
【図３】
2006233951.tif 000005
【図４】
2006233951.tif 000006
【図５】
2006233951.tif 000007
【図６】
2006233951.tif 000008
【図７】
2006233951.tif 000009
【図８】
2006233951.tif 000010
【図９】
2006233951.tif 000011
【図１０】
2006233951.tif 000012
【図１１】
2006233951.tif 000013
【図１２】
2006233951.tif 000014
【図１３】
2006233951.tif 000015
【図１４】
2006233951.tif 000016
【図１５】
2006233951.tif 000017
【図１６】
2006233951.tif 000018
【図１７】
2006233951.tif 000019
【図１８】
2006233951.tif 000020
【図１９】
2006233951.tif 000021
【図２０】
2006233951.tif 000022
【図２１】
2006233951.tif 000023
【図２２】
2006233951.tif 000024
【図２３】
2006233951.tif 000025
【図２４】
2006233951.tif 000026
【図２５】
2006233951.tif 000027
【図２６】
2006233951.tif 000028
【図２７】
2006233951.tif 000029
【図２８】
2006233951.tif 000030
【図２９】
2006233951.tif 000031
【図３０】
2006233951.tif 000032
【図３１】
2006233951.tif 000033
【図３２】
2006233951.tif 000034
【図３３】
2006233951.tif 000035
【図３４】
2006233951.tif 000036
【図３５】
2006233951.tif 000037
【図３６】
2006233951.tif 000038
【図３７】
2006233951.tif 000039
【図３８】
2006233951.tif 000040
【図３９】
2006233951.tif 000041
【図４０】
2006233951.tif 000042
【図４１】
2006233951.tif 000043
【図４２】
2006233951.tif 000044
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
一、水素燃料のロケットエンジン又は燃焼装置（１）と、その燃焼時の噴流で作動するガスタービン（２）とを結合し組み合わせた動力源装置。
【請求項２】
一、水素燃料のロケットエンジン又は燃焼装置（１）での水素の燃焼による噴流で、ガスタービン（２）を作動させ発重機（３）で発電した電気で水の電気分解装置（４）内の純水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする動力源装置。
【請求項３】
一、水素燃料のロケットエンジン又は燃焼装置（１）での水素の燃焼による噴流で、ガスタービン（２）を作動させ発電機（３）で発電した電気で水の電気分解装置（４）内の純水又は電気伝導性を有する水溶液を電気分解し、そこで得られた水素と酸素を水素燃料のロケットエンジン又は燃焼装置（１）の燃料及び水素の酸化剤として利用すると同時に、燃焼時の排熱又は排気ガスを蒸気発生装置（５）に通した蒸気で蒸気タービン（６）を作動させ動力装置（７）の動力源とする運転方法。
【請求項４】
一、水素燃料のロケットエンジン又は燃焼装置（８）での水素の燃焼による噴流で、ガスタービン（９）を作動させ動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の純水又は電気伝導性を有する水溶液を電気分解し、そこで得られた水素と酸素を水素燃料のロケットエンジン又は燃焼装置（８）の燃料及び水素の酸化剤として利用する動力源装置。
【請求項５】
一、水素燃料のロケットエンジン又は燃焼装置（８）での水素の燃焼による噴流で、ガスタービン（９）を作動させ動力装置（１０）の動力源とすると同時に、燃焼時の排熱又は排気ガスを蒸気発生装置（１１）に通した蒸気で蒸気タービン（１２）を作動させ、発電機（１３）で発電した電気で水の電気分解装置（１４）内の純水又は電気伝導性を有する水溶液を電気分解し、そこで得られた水素と酸素を水素燃料のロケットエンジン又は燃焼装置（８）の燃料及び水素の酸化剤として利用する運転方法。
【請求項６】
一、燃焼室（３４５）に水素と酸素を導入し、水素を燃焼させて水素燃料のガスタービン（１５）を作動させ、発電機（１６）で発電した電気で水の電気分解装置（１７）内の純水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させて動力装置（２０）の動力源とする動力源装置。
【請求項７】
一、燃焼室（３４５）に水素と酸素を導入し、水素を燃焼させて水素燃料のガスタービン（１５）を作動させ、発電機（１６）で発電した電気で水の電気分解装置（１７）内の純水又は電気伝導性を有する水溶液を電気分解し、そこで得られた水素と酸素を水素燃料のガスタービン（１５）の燃料及び水素の酸化剤として利用すると同時に、燃焼時の排熱又は排気ガスを蒸気発生装置（１８）に通した蒸気で蒸気タービン（１９）を作動させて動力装置（２０）の動力源とする運転方法。
【請求項８】
一、燃焼室（３４６）に水素と酸素を導入し、水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の純水又は電気伝導性を有する水溶液を電気分解し、そこで得られた水素と酸素を水素燃料のガスタービン（２１）の燃料及び水素の酸化剤として利用する動力源装置。
【請求項９】
一、燃焼室（３４６）に水素と酸素を導入し、水素を燃焼させて水素燃料のガスタービン（２１）を作動させ、動力装置（２２）の動力源とすると同時に、燃焼時の排熱又は排気ガスを蒸気発生装置（２３）に通した蒸気で蒸気タービン（２４）を作動させ、発電機（２５）で発電した電気で水の電気分解装置（２６）内の純水又は電気伝導性を有する水溶液を電気分解し、そこで得られた水素と酸素を水素燃料のガスタービン（２１）の燃料及び水素の酸化剤として利用する運転方法。
【請求項１０】
一、水素燃料のロケットエンジン又は燃焼装置（２７）での水素の燃焼による噴流でガスタービン（２８）を作動させ発電機（２９）で発電した電気で水の電気分解装置（３０）内の純水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させて動力装置（３３）の動力源とすると同時に、さらに蒸気タービン（３２）の排熱又は排気ガスを蒸気発生装置（３４）に通し、水よりも低い沸点の液体であるアンモニアの蒸気で蒸気タービン（３５）を作動させて動力装置（３６）の動力源とすると同時に、アンモニア蒸気を凝縮装置（２３９）に通し液化する動力源装置。
【請求項１１】
一、水素燃料のロケットエンジン又は燃焼装置（２７）での水素の燃焼による噴流でガスタービン（２８）を作動させ発電機（２９）で発電した電気で水の電気分解装置（３０）内の純水又は電気伝導性を有する水溶液を電気分解し、そこで得られた水素と酸素を水素燃料のロケットエンジン又は燃焼装置（２７）の燃料及び水素の酸化剤として利用すると同時に、燃焼時の排熱又は排気ガスを蒸気発生装置（３１）に通した蒸気で蒸気タービン（３２）を作動させて動力装置（３３）の動力源とすると同時に、さらに蒸気タービン（３２）の排熱又は排気ガスを蒸気発生装置（３４）に通し、水よりも低い沸点の液体であるアンモニアの蒸気で蒸気タービン（３５）を作動させて動力装置（３６）の動力源とすると同時に、アンモニア蒸気を凝縮装置（２３９）に通し液化する運転方法。
【請求項１２】
一、水素燃料のロケットエンジン又は燃焼装置（３７）での水素の燃焼による噴流でガスタービン（３８）を作動させて動力装置（３９）の動力源とすると同時に、燃焼時の排熱又は排気ガスを蒸気発生装置（４０）に通した蒸気で蒸気タービン（４１）を作動させ発電機（４２）で発電した電気で水の電気分解装置（４３）内の純水又は電気伝導性を有する水溶液を電気分解し、そこで得られた水素と酸素を水素燃料のロケットエンジン又は燃焼装置（３７）の燃料及び水素の酸化剤として利用すると同時に、さらに蒸気タービン（４１）の排熱又は排気ガスを蒸気発生装置（４４）に通し、水よりも低い沸点の液体であるアンモニアの蒸気で蒸気タービン（４５）を作動させて動力装置（４６）の動力源とすると同時に、アンモニア蒸気を凝縮装置（２４０）に通し液化する動力源装置。
【請求項１３】
一、水素燃料のロケットエンジン又は燃焼装置（３７）での水素の燃焼による噴流でガスタービン（３８）を作動させて動力装置（３９）の動力源とすると同時に、燃焼時の排熱又は排気ガスを蒸気発生装置（４０）に通した蒸気で蒸気タービン（４１）を作動させ発電機（４２）で発電した電気で水の電気分解装置（４３）内の純水又は電気伝導性を有する水溶液を電気分解し、そこで得られた水素と酸素を水素燃料のロケットエンジン又は燃焼装置（３７）の燃料及び水素の酸化剤として利用すると同時に、さらに蒸気タービン（４１）の排熱又は排気ガスを蒸気発生装置（４４）に通し、水よりも低い沸点の液体であるアンモニアの蒸気で蒸気タービン（４５）を作動させて動力装置（４６）の動力源とすると同時に、アンモニア蒸気を凝縮装置（２４０）に通し液化する運転方法。
【請求項１４】
一、燃焼室（３４７）に水素と酸素を導入し、水素を燃焼させて水素燃料のガスタービン（４７）を作動させ発電機（４８）で発電した電気で水の電気分解装置（４９）内の純水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させて動力装置（５２）の動力源とすると同時に、さらに蒸気タービン（５１）の排熱又は排気ガスを蒸気発生装置（５３）に通し、水よりも低い沸点の液体であるアンモニアの蒸気で蒸気タービン（５４）を作動させて動力装置（５５）の動力源とすると同時に、アンモニア蒸気を凝縮装置（２４１）に通し液化する動力源装置。
【請求項１５】
一、燃焼室（３４７）に水素と酸素を導入し、水素を燃焼させて水素燃料のガスタービン（４７）を作動させ発電機（４８）で発電した電気で水の電気分解装置（４９）内の純水又は電気伝導性を有する水溶液を電気分解し、そこで得られた水素と酸素を水素燃料のガスタービン（４７）の燃料及び水素の酸化剤として利用すると同時に、燃焼時の排熱又は排気ガスを蒸気発生装置（５０）に通した蒸気で蒸気タービン（５１）を作動させて動力装置（５２）の動力源とすると同時に、さらに蒸気タービン（５１）の排熱又は排気ガスを蒸気発生装置（５３）に通し、水よりも低い沸点の液体であるアンモニアの蒸気で蒸気タービン（５４）を作動させて動力装置（５５）の動力源とすると同時に、アンモニア蒸気を凝縮装置（２４１）に通し液化する運転方法。
【請求項１６】
一、燃焼室（３４８）に水素と酸素を導入し、水素を燃焼させて水素燃料のガスタービン（５６）を作動させて動力装置（５７）の動力源とすると同時に、燃焼時の排熱又は排気ガスを蒸気発生装置（５８）に通した蒸気で蒸気タービン（５９）を作動させ発電機（６０）で発電した電気で水の電気分解装置（６１）内の純水又は電気伝導性を有する水溶液を電気分解し、そこで得られた水素と酸素を水素燃料のガスタービン（５６）の燃料及び水素の酸化剤として利用すると同時に、さらに蒸気タービン（５９）の排熱又は排気ガスを蒸気発生装置（６２）に通し、水よりも低い沸点の液体であるアンモニアの蒸気で蒸気タービン（６３）を作動させて動力装置（６４）の動力源とすると同時に、アンモニア蒸気を凝縮装置（２４２）に通し液化する動力源装置。
【請求項１７】
一、燃焼室（３４８）に水素と酸素を導入し、水素を燃焼させて水素燃料のガスタービン（５６）を作動させて動力装置（５７）の動力源とすると同時に、燃焼時の排熱又は排気ガスを蒸気発生装置（５８）に通した蒸気で蒸気タービン（５９）を作動させ発電機（６０）で発電した電気で水の電気分解装置（６１）内の純水又は電気伝導性を有する水溶液を電気分解し、そこで得られた水素と酸素を水素燃料のガスタービン（５６）の燃料及び水素の酸化剤として利用すると同時に、さらに蒸気タービン（５９）の排熱又は排気ガスを蒸気発生装置（６２）に通し、水よりも低い沸点の液体であるアンモニアの蒸気で蒸気タービン（６３）を作動させて動力装置（６４）の動力源とすると同時に、アンモニア蒸気を凝縮装置（２４２）に通し液化する運転方法。
【請求項１８】
一、水素燃料のロケットエンジン又は燃焼装置（６５）での水素の燃焼による排熱又は排気ガスから得られた蒸気で蒸気タービン（６７）を作動させ、発電機（６８）で発電した電気で水の電気分解装置（６９）内の純水又は電気伝導性を有する水溶液を電気分解し、そこで得られた水素と酸素を水素燃料のロケットエンジン又は燃焼装置（６５）の燃料及び水素の酸化剤として利用する熱源としての燃焼装置。
【請求項１９】
一、水素燃料のロケットエンジン又は燃焼装置（６５）での水素の燃焼による排熱又は排気ガスから得られた蒸気で蒸気タービン（６７）を作動させ、発電機（６８）で発電した電気で水の電気分解装置（６９）内の純水又は電気伝導性を有する水溶液を電気分解し、そこで得られた水素と酸素を水素燃料のロケットエンジン又は燃焼装置（６５）の燃料及び水素の酸化剤として利用する熱源としての運転方法。
【請求項２０】
一、水素燃料のロケットエンジン又は燃焼装置（７１）での水素の燃焼による排熱又は排気ガスから得られた水よりも低い沸点の液体であるアンモニアの蒸気で蒸気タービン（７２）を作動させ、発電機（７３）で発電した電気で水の電気分解装置（７４）内の純水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化する熱源としての燃焼装置。
【請求項２１】
一、水素燃料のロケットエンジン又は燃焼装置（７１）での水素の燃焼による排熱又は排気ガスから得られた水よりも低い沸点の液体であるアンモニアの蒸気で蒸気タービン（７２）を作動させ、発電機（７３）で発電した電気で水の電気分解装置（７４）内の純水又は電気伝導性を有する水溶液を電気分解し、そこで得られた水素と酸素を水素燃料のロケットエンジン又は燃焼装置（７１）の燃料及び水素の酸化剤として利用すると同時に、アンモニア蒸気を凝縮装置（２４３）に通し液化する熱源としての運転方法。
【請求項２２】
一、水素燃料のロケットエンジン又は燃焼装置（７５）での水素の燃焼による噴流でガスタービン（７６）を作動させ、発電機（７７）で発電した電気で、水の電気分解装置（７８）内の純水又は電気伝導性を有する水溶液を電気分解し、そこで得られた水素と酸素を水素燃料のロケットエンジン又は燃焼装置（７５）の燃料及び水素の酸化剤として利用すると同時に、燃焼時の排熱又は排気ガスを蒸気発生装置（７９）に通した蒸気で蒸気タービン（８０）を作動させ、発電機（８１）で発電する発電装置。
【請求項２３】
一、水素燃料のロケットエンジン又は燃焼装置（７５）での水素の燃焼による噴流でガスタービン（７６）を作動させ、発電機（７７）で発電した電気で、水の電気分解装置（７８）内の純水又は電気伝導性を有する水溶液を電気分解し、そこで得られた水素と酸素を水素燃料のロケットエンジン又は燃焼装置（７５）の燃料及び水素の酸化剤として利用すると同時に、燃焼時の排熱又は排気ガスを蒸気発生装置（７９）に通した蒸気で蒸気タービン（８０）を作動させ、発電機（８１）で発電する発電方法。
【請求項２４】
一、燃焼室（３４９）に水素と酸素を導入し、水素を燃焼させて水素燃料のガスタービン（８２）を作動させ、発電機（８３）で発電した電気で水の電気分解装置（８４）内の純水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電する発電装置。
【請求項２５】
一、燃焼室（３４９）に水素と酸素を導入し、水素を燃焼させて水素燃料のガスタービン（８２）を作動させ、発電機（８３）で発電した電気で水の電気分解装置（８４）内の純水又は電気伝導性を有する水溶液を電気分解し、そこで得られた水素と酸素を水素燃料のガスタービン（８２）の燃料及び水素の酸化剤として利用すると同時に、燃焼時の排熱又は排気ガスを蒸気発生装置（８５）に通した蒸気で蒸気タービン（８６）を作動させ、発電機（８７）で発電する発電方法。
【請求項２６】
一、水素燃料のロケットエンジン又は燃焼装置（８８）での水素の燃焼による噴流で、ガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の純水又は電気伝導性を有する水溶液を電気分解し、そこで得られた水素と酸素を水素燃料のロケットエンジン又は燃焼装置（８８）の燃料及び水素の酸化剤として利用する発電装置。
【請求項２７】
一、水素燃料のロケットエンジン又は燃焼装置（８８）での水素の燃焼による噴流で、ガスタービン（８９）を作動させ、発電機（９０）で発電すると同時に、燃焼時の排熱又は排気ガスを蒸気発生装置（９１）に通した蒸気で蒸気タービン（９２）を作動させ、発電機（９３）で発電した電気で水の電気分解装置（９４）内の純水又は電気伝導性を有する水溶液を電気分解し、そこで得られた水素と酸素を水素燃料のロケットエンジン又は燃焼装置（８８）の燃料及び水素の酸化剤として利用する発電方法。
【請求項２８】
一、燃焼室（３５０）に水素と酸素を導入し、水素を燃焼させて水素燃料のガスタービン（９５）を作動させ発電機（９６）で発電すると同時に、燃焼時の排熱又は排気ガスを蒸気発生装置（９７）に通した蒸気で蒸気タービン（９８）を作動させ、発電機（９９）で発電した電気で水の電気分解装置（１００）内の純水又は電気伝導性を有する水溶液を電気分解し、そこで得られた水素と酸素を水素燃料のガスタービン（９５）の燃料及び水素の酸化剤として利用する発電装置。
【請求項２９】
一、燃焼室（３５０）に水素と酸素を導入し、水素を燃焼させて水素燃料のガスタービン（９５）を作動させ発電機（９６）で発電すると同時に、燃焼時の排熱又は排気ガスを蒸気発生装置（９７）に通した蒸気で蒸気タービン（９８）を作動させ、発電機（９９）で発電した電気で水の電気分解装置（１００）内の純水又は電気伝導性を有する水溶液を電気分解し、そこで得られた水素と酸素を水素燃料のガスタービン（９５）の燃料及び水素の酸化剤として利用する発電方法。
【請求項３０】
一、水素燃料のロケットエンジン又は燃焼装置（１０１）での水素の燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の純水又は電気伝導性を有する水溶液を電気分解し、そこで得られた水素と酸素を水素燃料のロケットエンジン又は燃焼装置（１０１）の燃料及び水素の酸化剤として利用すると同時に、アンモニア蒸気を凝縮装置（２４４）に通し液化する動力源装置。
【請求項３１】
一、水素燃料のロケットエンジン又は燃焼装置（１０１）での水素の燃焼による噴流でガスタービン（１０２）を作動させ、動力装置（１０３）の動力源とすると同時に、燃焼時の排熱又は排気ガスを蒸気発生装置（１０４）に通した蒸気で蒸気タービン（１０５）を作動させ、動力装置（１０６）の動力源とすると同時に、さらに、蒸気タービン（１０５）の排熱又は排気ガスを蒸気発生装置（１０７）に通し、水よりも低い沸点の液体であるアンモニアの蒸気で蒸気タービン（１０８）を作動させ、発電機（１０９）で発電した電気で水の電気分解装置（１１０）内の純水又は電気伝導性を有する水溶液を電気分解し、そこで得られた水素と酸素を水素燃料のロケットエンジン又は燃焼装置（１０１）の燃料及び水素の酸化剤として利用すると同時に、アンモニア蒸気を凝縮装置（２４４）に通し液化する運転方法。
【請求項３２】
一、燃焼室（３５１）に水素と酸素を導入し、水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の純水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化する動力源装置。
【請求項３３】
一、燃焼室（３５１）に水素と酸素を導入し、水素を燃焼させて水素燃料のガスタービン（１１１）を作動させ、動力装置（１１２）の動力源とすると同時に、燃焼時の排熱又は排気ガスを蒸気発生装置（１１３）に通した蒸気で蒸気タービン（１１４）を作動させ、動力装置（１１５）の動力源とすると同時に、さらに、蒸気タービン（１１４）の排熱又は排気ガスを蒸気発生装置（１１６）に通し、水よりも低い沸点の液体であるアンモニアの蒸気で蒸気タービン（１１７）を作動させ、発電機（１１８）で発電した電気で水の電気分解装置（１１９）内の純水又は電気伝導性を有する水溶液を電気分解し、そこで得られた水素と酸素を水素燃料のガスタービン（１１１）の燃料及び水素の酸化剤として利用すると同時に、アンモニア蒸気を凝縮装置（２４５）に通し液化する運転方法。
【請求項３４】
一、水素燃料のロケットエンジン又は燃焼装置（１２０）での水素の燃焼による噴流で、ガスタービン（１２１）を作動させ発電機（１２２）で発電した電気で水の電気分解装置（１２３）内の純水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ動力装置（１２６）の動力源とする動力源装置。
【請求項３５】
一、水素燃料のロケットエンジン又は燃焼装置（１２０）での水素の燃焼による噴流で、ガスタービン（１２１）を作動させ発電機（１２２）で発電した電気で水の電気分解装置（１２３）内の純水又は電気伝導性を有する水溶液を電気分解し、そこで得られた水素を水素燃料のロケットエンジン又は燃焼装置（１２０）の燃料として利用すると同時に、燃焼時の排熱又は排気ガスを蒸気発生装置（１２４）に通した蒸気で蒸気タービン（１２５）を作動させ動力装置（１２６）の動力源とする運転方法。
【請求項３６】
一、水素燃料のロケットエンジン又は燃焼装置（１２７）での水素の燃焼による噴流で、ガスタービン（１２８）を作動させ動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の純水又は電気伝導性を有する水溶液を電気分解し、そこで得られた水素を水素燃料のロケットエンジン又は燃焼装置（１２７）の燃料として利用する動力源装置。
【請求項３７】
一、水素燃料のロケットエンジン又は燃焼装置（１２７）での水素の燃焼による噴流で、ガスタービン（１２８）を作動させ動力装置（１２９）の動力源とすると同時に、燃焼時の排熱又は排気ガスを蒸気発生装置（１３０）に通した蒸気で蒸気タービン（１３１）を作動させ、発電機（１３２）で発電した電気で水の電気分解装置（１３３）内の純水又は電気伝導性を有する水溶液を電気分解し、そこで得られた水素を水素燃料のロケットエンジン又は燃焼装置（１２７）の燃料として利用する運転方法。
【請求項３８】
一、空気圧縮機（３５２）に通し圧縮した空気を燃焼室（３５３）に導入し、水素を燃焼させて水素燃料のガスタービン（１３４）を作動させ、発電機（１３５）で発電した電気で水の電気分解装置（１３６）内の純水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて動力装置（１３９）の動力源とする動力源装置。
【請求項３９】
一、空気圧縮機（３５２）に通し圧縮した空気を燃焼室（３５３）に導入し、水素を燃焼させて水素燃料のガスタービン（１３４）を作動させ、発電機（１３５）で発電した電気で水の電気分解装置（１３６）内の純水又は電気伝導性を有する水溶液を電気分解し、そこで得られた水素を水素燃料のガスタービン（１３４）の燃料として利用すると同時に、燃焼時の排熱又は排気ガスを蒸気発生装置（１３７）に通した蒸気で蒸気タービン（１３８）を作動させて動力装置（１３９）の動力源とする運転方法。
【請求項４０】
一、空気圧縮機（３５４）に通し圧縮した空気を燃焼室（３５５）に導入し、水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の純水又は電気伝導性を有する水溶液を電気分解し、そこで得られた水素を水素燃料のガスタービン（１４０）の燃料として利用する動力源装置。
【請求項４１】
一、空気圧縮機（３５４）に通し圧縮した空気を燃焼室（３５５）に導入し、水素を燃焼させて水素燃料のガスタービン（１４０）を作動させ、動力装置（１４１）の動力源とすると同時に、燃焼時の排熱又は排気ガスを蒸気発生装置（１４２）に通した蒸気で蒸気タービン（１４３）を作動させ、発電機（１４４）で発電した電気で水の電気分解装置（１４５）内の純水又は電気伝導性を有する水溶液を電気分解し、そこで得られた水素を水素燃料のガスタービン（１４０）の燃料として利用する運転方法。
【請求項４２】
一、水素燃料のロケットエンジン又は燃焼装置（１４６）での水素の燃焼による噴流でガスタービン（１４７）を作動させ発電機（１４８）で発電した電気で水の電気分解装置（１４９）内の純水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させて動力装置（１５２）の動力源とすると同時に、さらに蒸気タービン（１５１）の排熱又は排気ガスを蒸気発生装置（１５３）に通し、水よりも低い沸点の液体であるアンモニアの蒸気で蒸気タービン（１５４）を作動させて動力装置（１５５）の動力源とすると同時に、アンモニア蒸気を凝縮装置（２４６）に通し液化する動力源装置。
【請求項４３】
一、水素燃料のロケットエンジン又は燃焼装置（１４６）での水素の燃焼による噴流でガスタービン（１４７）を作動させ発電機（１４８）で発電した電気で水の電気分解装置（１４９）内の純水又は電気伝導性を有する水溶液を電気分解し、そこで得られた水素を水素燃料のロケットエンジン又は燃焼装置（１４６）の燃料として利用すると同時に、燃焼時の排熱又は排気ガスを蒸気発生装置（１５０）に通した蒸気で蒸気タービン（１５１）を作動させて動力装置（１５２）の動力源とすると同時に、さらに蒸気タービン（１５１）の排熱又は排気ガスを蒸気発生装置（１５３）に通し、水よりも低い沸点の液体であるアンモニアの蒸気で蒸気タービン（１５４）を作動させて動力装置（１５５）の動力源とすると同時に、アンモニア蒸気を凝縮装置（２４６）に通し液化する運転方法。
【請求項４４】
一、水素燃料のロケットエンジン又は燃焼装置（１５６）での水素の燃焼による噴流でガスタービン（１５７）を作動させて動力装置（１５８）の動力源とすると同時に、燃焼時の排熱又は排気ガスを蒸気発生装置（１５９）に通した蒸気で蒸気タービン（１６０）を作動させ発電機（１６１）で発電した電気で水の電気分解装置（１６２）内の純水又は電気伝導性を有する水溶液を電気分解し、そこで得られた水素を水素燃料のロケットエンジン又は燃焼装置（１５６）の燃料として利用すると同時に、さらに蒸気タービン（１６０）の排熱又は排気ガスを蒸気発生装置（１６３）に通し水よりも低い沸点の液体であるアンモニアの蒸気で蒸気タービン（１６４）を作動させて動力装置（１６５）の動力源とすると同時に、アンモニア蒸気を凝縮装置（２４７）に通し液化する動力源装置。
【請求項４５】
一、水素燃料のロケットエンジン又は燃焼装置（１５６）での水素の燃焼による噴流でガスタービン（１５７）を作動させて動力装置（１５８）の動力源とすると同時に、燃焼時の排熱又は排気ガスを蒸気発生装置（１５９）に通した蒸気で蒸気タービン（１６０）を作動させ発電機（１６１）で発電した電気で水の電気分解装置（１６２）内の純水又は電気伝導性を有する水溶液を電気分解し、そこで得られた水素を水素燃料のロケットエンジン又は燃焼装置（１５６）の燃料として利用すると同時に、さらに蒸気タービン（１６０）の排熱又は排気ガスを蒸気発生装置（１６３）に通し、水よりも低い沸点の液体であるアンモニアの蒸気で蒸気タービン（１６４）を作動させて動力装置（１６５）の動力源とすると同時に、アンモニア蒸気を凝縮装置（２４７）に通し液化する運転方法。
【請求項４６】
一、空気圧縮機（３５６）に通し圧縮した空気を燃焼室（３５７）に導入し、水素を燃焼させて水素燃料のガスタービン（１６６）を作動させ発電機（１６７）で発電した電気で水の電気分解装置（１６８）内の純水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させて動力装置（１７１）の動力源とすると同時に、さらに蒸気タービン（１７０）の排熱又は排気ガスを蒸気発生装置（１７２）に通し、水よりも低い沸点の液体であるアンモニアの蒸気で蒸気タービン（１７３）を作動させて動力装置（１７４）の動力源とすると同時に、アンモニア蒸気を凝縮装置（２４８）に通し液化する動力源装置。
【請求項４７】
一、空気圧縮機（３５６）に通し圧縮した空気を燃焼室（３５７）に導入し、水素を燃焼させて水素燃料のガスタービン（１６６）を作動させ発電機（１６７）で発電した電気で水の電気分解装置（１６８）内の純水又は電気伝導性を有する水溶液を電気分解し、そこで得られた水素を水素燃料のガスタービン（１６６）の燃料として利用すると同時に、燃焼時の排熱又は排気ガスを蒸気発生装置（１６９）に通した蒸気で蒸気タービン（１７０）を作動させて動力装置（１７１）の動力源とすると同時に、さらに蒸気タービン（１７０）の排熱又は排気ガスを蒸気発生装置（１７２）に通し、水よりも低い沸点の液体であるアンモニアの蒸気で蒸気タービン（１７３）を作動させて動力装置（１７４）の動力源とすると同時に、アンモニア蒸気を凝縮装置（２４８）に通し液化する運転方法。
【請求項４８】
一、空気圧縮機（３５８）に通し圧縮した空気を燃焼室（３５９）に導入し、水素を燃焼させて水素燃料のガスタービン（１７５）を作動させて動力装置（１７６）の動力源とすると同時に、燃焼時の排熱又は排気ガスを蒸気発生装置（１７７）に通した蒸気で蒸気タービン（１７８）を作動させ発電機（１７９）で発電した電気で水の電気分解装置（１８０）内の純水又は電気伝導性を有する水溶液を電気分解し、そこで得られた水素を水素燃料のガスタービン（１７５）の燃料として利用すると同時に、さらに蒸気タービン（１７８）の排熱又は排気ガスを蒸気発生装置（１８１）に通し、水よりも低い沸点の液体であるアンモニアの蒸気で蒸気タービン（１８２）を作動させて動力装置（１８３）の動力源とすると同時に、アンモニア蒸気を凝縮装置（２４９）に通し液化する動力源装置。
【請求項４９】
一、空気圧縮機（３５８）に通し圧縮した空気を燃焼室（３５９）に導入し、水素を燃焼させて水素燃料のガスタービン（１７５）を作動させて動力装置（１７６）の動力源とすると同時に、燃焼時の排熱又は排気ガスを蒸気発生装置（１７７）に通した蒸気で蒸気タービン（１７８）を作動させ発電機（１７９）で発電した電気で水の電気分解装置（１８０）内の純水又は電気伝導性を有する水溶液を電気分解し、そこで得られた水素を水素燃料のガスタービン（１７５）の燃料として利用すると同時に、さらに蒸気タービン（１７８）の排熱又は排気ガスを蒸気発生装置（１８１）に通し、水よりも低い沸点の液体であるアンモニアの蒸気で蒸気タービン（１８２）を作動させて動力装置（１８３）の動力源とすると同時に、アンモニア蒸気を凝縮装置（２４９）に通し液化する運転方法。
【請求項５０】
一、水素燃料のロケットエンジン又は燃焼装置（１８４）での水素の燃焼による排熱又は排気ガスから得られた蒸気で蒸気タービン（１８６）を作動させ、発電機（１８７）で発電した電気で水の電気分解装置（１８８）内の純水又は電気伝導性を有する水溶液を電気分解し、そこで得られた水素を水素燃料のロケットエンジン又は燃焼装置（１８４）の燃料として利用する熱源としての燃焼装置。
【請求項５１】
一、水素燃料のロケットエンジン又は燃焼装置（１８４）での水素の燃焼による排熱又は排気ガスから得られた蒸気で蒸気タービン（１８６）を作動させ、発電機（１８７）で発電した電気で水の電気分解装置（１８８）内の純水又は電気伝導性を有する水溶液を電気分解し、そこで得られた水素を水素燃料のロケットエンジン又は燃焼装置（１８４）の燃料として利用する熱源としての運転方法。
【請求項５２】
一、水素燃料のロケットエンジン又は燃焼装置（１８９）での水素の燃焼による排熱又は排気ガスから得られた水よりも低い沸点の液体であるアンモニアの蒸気で蒸気タービン（１９１）を作動させ、発電機（１９２）で発電した電気で水の電気分解装置（１９３）内の純水又は電気伝導性を有する水溶液を電気分解し、そこで得られた水素を水素燃料のロケットエンジン又は燃焼装置（１８９）の燃料として利用すると同時に、アンモニア蒸気を凝縮装置（２５０）に通し液化する熱源としての燃焼装置。
【請求項５３】
一、水素燃料のロケットエンジン又は燃焼装置（１８９）での水素の燃焼による排熱又は排気ガスから得られた水よりも低い沸点の液体であるアンモニアの蒸気で蒸気タービン（１９１）を作動させ、発電機（１９２）で発電した電気で水の電気分解装置（１９３）内の純水又は電気伝導性を有する水溶液を電気分解し、そこで得られた水素を水素燃料のロケットエンジン又は燃焼装置（１８９）の燃料として利用すると同時に、アンモニア蒸気を凝縮装置（２５０）に通し液化する熱源としての運転方法。
【請求項５４】
一、水素燃料のロケットエンジン又は燃焼装置（１９４）での水素の燃焼による噴流でガスタービン（１９５）を作動させ、発電機（１９６）で発電した電気で、水の電気分解装置（１９７）内の純水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電する発電装置。
【請求項５５】
一、水素燃料のロケットエンジン又は燃焼装置（１９４）での水素の燃焼による噴流でガスタービン（１９５）を作動させ、発電機（１９６）で発電した電気で、水の電気分解装置（１９７）内の純水又は電気伝導性を有する水溶液を電気分解し、そこで得られた水素を水素燃料のロケットエンジン又は燃焼装置（１９４）の燃料として利用すると同時に、燃焼時の排熱又は排気ガスを蒸気発生装置（１９８）に通した蒸気で蒸気タービン（１９９）を作動させ、発電機（２００）で発電をする発電方法。
【請求項５６】
一、空気圧縮機（３６０）に通し圧縮した空気を燃焼室（３６１）に導入し、水素を燃焼させて水素燃料のガスタービン（２０１）を作動させ、発電機（２０２）で発電した電気で水の電気分解装置（２０３）内の純水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電する発電装置。
【請求項５７】
一、空気圧縮機（３６０）に通し圧縮した空気を燃焼室（３６１）に導入し、水素を燃焼させて水素燃料のガスタービン（２０１）を作動させ、発電機（２０２）で発電した電気で水の電気分解装置（２０３）内の純水又は電気伝導性を有する水溶液を電気分解し、そこで得られた水素を水素燃料のガスタービン（２０１）の燃料として利用すると同時に、燃焼時の排熱又は排気ガスを蒸気発生装置（２０４）に通した蒸気で蒸気タービン（２０５）を作動させ、発電機（２０６）で発電する発電方法。
【請求項５８】
一、水素燃料のロケットエンジン又は燃焼装置（２０７）での水素の燃焼による噴流で、ガスタービン（２０８）を作動させ、発電機（２０９）で発電すると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の純水又は電気伝導性を有する水溶液を電気分解し、そこで得られた水素を水素燃料のロケットエンジン又は燃焼装置（２０７）の燃料として利用する発電装置。
【請求項５９】
一、水素燃料のロケットエンジン又は燃焼装置（２０７）での水素の燃焼による噴流で、ガスタービン（２０８）を作動させ、発電機（２０９）で発電すると同時に、燃焼時の排熱又は排気ガスを蒸気発生装置（２１０）に通した蒸気で蒸気タービン（２１１）を作動させ、発電機（２１２）で発電した電気で水の電気分解装置（２１３）内の純水又は電気伝導性を有する水溶液を電気分解し、そこで得られた水素を水素燃料のロケットエンジン又は燃焼装置（２０７）の燃料として利用する発電方法。
【請求項６０】
一、空気圧縮機（３６２）に通し圧縮した空気を燃焼室（３６３）に導入し、水素を燃焼させて水素燃料のガスタービン（２１４）を作動させ発電機（２１５）で発電すると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の純水又は電気伝導性を有する水溶液を電気分解し、そこで得られた水素を水素燃料のガスタービン（２１４）の燃料として利用する発電装置。
【請求項６１】
一、空気圧縮機（３６２）に通し圧縮した空気を燃焼室（３６３）に導入し、水素を燃焼させて水素燃料のガスタービン（２１４）を作動させ発電機（２１５）で発電すると同時に、燃焼時の排熱又は排気ガスを蒸気発生装置（２１６）に通した蒸気で蒸気タービン（２１７）を作動させ、発電機（２１８）で発電した電気で水の電気分解装置（２１９）内の純水又は電気伝導性を有する水溶液を電気分解し、そこで得られた水素を水素燃料のガスタービン（２１４）の燃料として利用する発電方法。
【請求項６２】
一、水素燃料のロケットエンジン又は燃焼装置（２２０）での水素の燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（２２７）を作動させ、発電機（２２８）で発電した電気で水の電気分解装置（２２９）内の純水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化する動力源装置。
【請求項６３】
一、水素燃料のロケットエンジン又は燃焼装置（２２０）での水素の燃焼による噴流でガスタービン（２２１）を作動させ、動力装置（２２２）の動力源とすると同時に、燃焼時の排熱又は排気ガスを蒸気発生装置（２２３）に通した蒸気で蒸気タービン（２２４）を作動させ、動力装置（２２５）の動力源とすると同時に、さらに、蒸気タービン（２２４）の排熱又は排気ガスを蒸気発生装置（２２６）に通し、水よりも低い沸点の液体であるアンモニアの蒸気で蒸気タービン（２２７）を作動させ、発電機（２２８）で発電した電気で水の電気分解装置（２２９）内の純水又は電気伝導性を有する水溶液を電気分解し、そこで得られた水素を水素燃料のロケットエンジン又は燃焼装置（２２０）の燃料として利用すると同時に、アンモニア蒸気を凝縮装置（２５１）に通し液化する運転方法。
【請求項６４】
一、空気圧縮機（３６４）に通し圧縮した空気を燃焼室（３６５）に導入し、水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の純水又は電気伝導性を有する水溶液を電気分解し、そこで得られた水素を水素燃料のガスタービン（２３０）の燃料として利用すると同時に、アンモニア蒸気を凝縮装置（２５２）に通し液化する動力源装置。
【請求項６５】
一、空気圧縮機（３６４）に通し圧縮した空気を燃焼室（３６５）に導入し、水素を燃焼させて水素燃料のガスタービン（２３０）を作動させ、動力装置（２３１）の動力源とすると同時に、燃焼時の排熱又は排気ガスを蒸気発生装置（２３２）に通した蒸気で蒸気タービン（２３３）を作動させ、動力装置（２３４）の動力源とすると同時に、さらに、蒸気タービン（２３３）の排熱又は排気ガスを蒸気発生装置（２３５）に通し、水よりも低い沸点の液体であるアンモニアの蒸気で蒸気タービン（２３６）を作動させ、発電機（２３７）で発電した電気で水の電気分解装置（２３８）内の純水又は電気伝導性を有する水溶液を電気分解し、そこで得られた水素を水素燃料のガスタービン（２３０）の燃料として利用すると同時に、アンモニア蒸気を凝縮装置（２５２）に通し液化する運転方法。
【請求項６６】
一、水素燃料のロケットエンジン又は燃焼装置（２５３）での液体水素の燃焼による噴流で、ガスタービン（２５４）を作動させ発電機（２５５）で発電した電気で水の電気分解装置（２５６）内の純水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置。
【請求項６７】
一、水素燃料のロケットエンジン又は燃焼装置（２５３）での液体水素の燃焼による噴流で、ガスタービン（２５４）を作動させ発電機（２５５）で発電した電気で水の電気分解装置（２５６）内の純水又は電気伝導性を有する水溶液を電気分解し、そこで得られた水素と酸素を液化装置及び貯蔵タンク（２５７）及び（２５８）に通し、さらに制御装置（３３０）及び（３３１）に通して水素燃料のロケットエンジン又は燃焼装置（２５３）の燃料及び水素の酸化剤として利用すると同時に、燃焼時の排熱又は排気ガスを蒸気発生装置（２５９）に通した蒸気で蒸気タービン（２６０）を作動させ動力装置（２６１）の動力源とする動力源装置の運転方法。
【請求項６８】
一、水素燃料のロケットエンジン又は燃焼装置（２６２）での液体水素の燃焼による噴流で、ガスタービン（２６３）を作動させ動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の純水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用する動力源装置。
【請求項６９】
一、水素燃料のロケットエンジン又は燃焼装置（２６２）での液体水素の燃焼による噴流で、ガスタービン（２６３）を作動させ動力装置（２６４）の動力源とすると同時に、燃焼時の排熱又は排気ガスを蒸気発生装置（２６５）に通した蒸気で蒸気タービン（２６６）を作動させ、発電機（２６７）で発電した電気で水の電気分解装置（２６８）内の純水又は電気伝導性を有する水溶液を電気分解し、そこで得られた水素と酸素を液化装置及び貯蔵タンク（２６９）及び（２７０）に通し、さらに制御装置（３３２）及び（３３３）に通して水素燃料のロケットエンジン又は燃焼装置（２６２）の燃料及び水素の酸化剤として利用する動力源装置の運転方法。
【請求項７０】
一、燃焼室（３６６）に液体水素と液体酸素を導入し、液体水素を燃焼させて水素燃料のガスタービン（２７１）を作動させ、発電機（２７２）で発電した電気で水の電気分解装置（２７３）内の純水又は電気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させて動力装置（２７８）の動力源とする動力源装置。
【請求項７１】
一、燃焼室（３６６）に液体水素と液体酸素を導入し、液体水素を燃焼させて水素燃料のガスタービン（２７１）を作動させ、発電機（２７２）で発電した電気で水の電気分解装置（２７３）内の純水又は電気伝導性を有する水溶液を電気分解し、そこで得られた水素と酸素を液化装置及び貯蔵タンク（２７４）及び（２７５）に通し、さらに制御装置（３３４）及び（３３５）に通して水素燃料のガスタービン（２７１）の燃料及び水素の酸化剤として利用すると同時に、燃焼時の排熱又は排気ガスを蒸気発生装置（２７６）に通した蒸気で蒸気タービン（２７７）を作動させて動力装置（２７８）の動力源とする動力源装置の運転方法。
【請求項７２】
一、燃焼室（３６７）に液体水素と液体酸素を導入し、液体水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の純水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用する動力源装置。
【請求項７３】
一、燃焼室（３６７）に液体水素と液体酸素を導入し、液体水素を燃焼させて水素燃料のガスタービン（２７９）を作動させ、動力装置（２８０）の動力源とすると同時に、燃焼時の排熱又は排気ガスを蒸気発生装置（２８１）に通した蒸気で蒸気タービン（２８２）を作動させ、発電機（２８３）で発電した電気で水の電気分解装置（２８４）内の純水又は電気伝導性を有する水溶液を電気分解し、そこで得られた水素と酸素を液化装置及び貯蔵タンク（２８５）及び（２８６）に通し、さらに制御装置（３３６）及び（３３７）に通して水素燃料のガスタービン（２７９）の燃料及び水素の酸化剤として利用する動力源装置の運転方法。
【請求項７４】
一、水素燃料のロケットエンジン又は燃焼装置（２８８）での液体水素の燃焼による排熱又は排気ガスから得られた蒸気で蒸気タービン（２８９）を作動させ、発電機（２９０）で発電した電気で水の電気分解装置（２９１）内の純水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用する熱源としての燃焼装置。
【請求項７５】
一、水素燃料のロケットエンジン又は燃焼装置（２８８）での液体水素の燃焼による排熱又は排気ガスから得られた蒸気で蒸気タービン（２８９）を作動させ、発電機（２９０）で発電した電気で水の電気分解装置（２９１）内の純水又は電気伝導性を有する水溶液を電気分解し、そこで得られた水素と酸素を液化装置及び貯蔵タンク（２９２）及び（２９３）に通し、さらに制御装置（３３８）及び（３３９）に通して水素燃料のロケットエンジン又は燃焼装置（２８８）の燃料及び水素の酸化剤として利用する熱源としての運転方法。
【請求項７６】
一、水素燃料のロケットエンジン又は燃焼装置（２９４）での液体水素の燃焼による噴流で、ガスタービン（２９５）を作動させ発電機（２９６）で発電した電気で水の電気分解装置（２９７）内の純水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ動力装置（３０１）の動力源とする動力源装置。
【請求項７７】
一、水素燃料のロケットエンジン又は燃焼装置（２９４）での液体水素の燃焼による噴流で、ガスタービン（２９５）を作動させ発電機（２９６）で発電した電気で水の電気分解装置（２９７）内の純水又は電気伝導性を有する水溶液を電気分解し、そこで得られた水素を液化装置及び貯蔵タンク（２９８）に通し、さらに制御装置（３４０）に通して水素燃料のロケットエンジン又は燃焼装置（２９４）の燃料として利用すると同時に、燃焼時の排熱又は排気ガスを蒸気発生装置（２９９）に通した蒸気で蒸気タービン（３００）を作動させ動力装置（３０１）の動力源とする動力源装置の運転方法。
【請求項７８】
一、水素燃料のロケットエンジン又は燃焼装置（３０２）での液体水素の燃焼による噴流で、ガスタービン（３０３）を作動させ動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の純水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用する動力源装置。
【請求項７９】
一、水素燃料のロケットエンジン又は燃焼装置（３０２）での液体水素の燃焼による噴流で、ガスタービン（３０３）を作動させ動力装置（３０４）の動力源とすると同時に、燃焼時の排熱又は排気ガスを蒸気発生装置（３０５）に通した蒸気で蒸気タービン（３０６）を作動させ、発電機（３０７）で発電した電気で水の電気分解装置（３０８）内の純水又は電気伝導性を有する水溶液を電気分解し、そこで得られた水素を液化装置及び貯蔵タンク（３０９）に通し、さらに制御装置（３４１）に通して水素燃料のロケットエンジン又は燃焼装置（３０２）の燃料として利用する動力源装置の運転方法。
【請求項８０】
一、空気圧縮機（３６８）に通し圧縮した空気を燃焼室（３６９）に導入し、液体水素を燃焼させて水素燃料のガスタービン（３１０）を作動させ、発電機（３１１）で発電した電気で水の電気分解装置（３１２）内の純水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて動力装置（３１６）の動力源とする動力源装置。
【請求項８１】
一、空気圧縮機（３６８）に通し圧縮した空気を燃焼室（３６９）に導入し、液体水素を燃焼させて水素燃料のガスタービン（３１０）を作動させ、発電機（３１１）で発電した電気で水の電気分解装置（３１２）内の純水又は電気伝導性を有する水溶液を電気分解し、そこで得られた水素を液化装置及び貯蔵タンク（３１３）に通し、さらに制御装置（３４２）に通して水素燃料のガスタービン（３１０）の燃料として利用すると同時に、燃焼時の排熱又は排気ガスを蒸気発生装置（３１４）に通した蒸気で蒸気タービン（３１５）を作動させて動力装置（３１６）の動力源とする動力源装置の運転方法。
【請求項８２】
一、空気圧縮機（３７０）に通し圧縮した空気を燃焼室（３７１）に導入し、液体水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の純水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用する動力源装置。
【請求項８３】
一、空気圧縮機（３７０）に通し圧縮した空気を燃焼室（３７１）に導入し、液体水素を燃焼させて水素燃料のガスタービン（３１７）を作動させ、動力装置（３１８）の動力源とすると同時に、燃焼時の排熱又は排気ガスを蒸気発生装置（３１９）に通した蒸気で蒸気タービン（３２０）を作動させ、発電機（３２１）で発電した電気で水の電気分解装置（３２２）内の純水又は電気伝導性を有する水溶液を電気分解し、そこで得られた水素を液化装置及び貯蔵タンク（３２３）に通し、さらに制御装置（３４３）に通して水素燃料のガスタービン（３１７）の燃料として利用する動力源装置の運転方法。
【請求項８４】
一、水素燃料のロケットエンジン又は燃焼装置（３２５）での液体水素の燃焼による排熱又は排気ガスから得られた蒸気で蒸気タービン（３２６）を作動させ、発電機（３２７）で発電した電気で水の電気分解装置（３２８）内の純水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用する熱源としての燃焼装置。
【請求項８５】
一、水素燃料のロケットエンジン又は燃焼装置（３２５）での液体水素の燃焼による排熱又は排気ガスから得られた蒸気で蒸気タービン（３２６）を作動させ、発電機（３２７）で発電した電気で水の電気分解装置（３２８）内の純水又は電気伝導性を有する水溶液を電気分解し、そこで得られた水素を液化装置及び貯蔵タンク（３２９）に通し、さらに制御装置（３４４）に通して水素燃料のロケットエンジン又は燃焼装置（３２５）の燃料として利用する熱源としての運転方法。
【請求項８６】
一、請求項２、４、６、８、１０、１２、１４、１６のいずれかに記載の動力源装置、請求項１８、２０のいずれかに記載の燃焼装置、請求項２２、２４、２６，２８のいずれかに記載の発電装置、請求項３０、３２、３４、３６、３８、４０、４２、４４、４６、４８のいずれかに記載の動力源装置、請求項５０、５２、７４、８４のいずれかに記載の燃焼装置、請求項５４、５６、５８、６０のいずれかに記載の発電装置、請求項６２、６４、６６、６８、７０、７２、７６、７８、８０，８２のいずれかに記載の動力源装置において、純水又は電気伝導性を有する水溶液を電気分解して得られる水素と酸素を当該装置の燃料及び水素の酸化剤以外の目的で製造、使用し、また増殖炉として使用する水素と酸素の製造装置。
【請求項８７】
一、請求項２、４、６、８、１０、１２、１４、１６のいずれかに記載の動力源装置、請求項１８、２０のいずれかに記載の燃焼装置、請求項２２、２４、２６，２８のいずれかに記載の発電装置、請求項３０、３２、３４、３６、３８、４０、４２、４４、４６、４８のいずれかに記載の動力源装置、請求項５０、５２、７４、８４のいずれかに記載の燃焼装置、請求項５４、５６、５８、６０のいずれかに記載の発電装置、請求項６２、６４、６６、６８、７０、７２、７６、７８、８０、８２のいずれかに記載の動力源装置において、純水又は電気伝導性を有する水溶液を電気分解して得られる水素と酸素を当該装置の燃料及び水素の酸化剤以外の目的で製造、使用し、また増殖炉として使用する水素と酸素の製造方法。
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
一、ロケットエンジンと、その燃焼時の噴流で作動するガスタービンとを結合し組み合わせた動力源装置。
【請求項２】
一、水素燃料のロケットエンジン（1）での水素の燃焼による噴流で、ガスタービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置。
【請求項３】
一、水素燃料のロケットエンジン（1）での水素の燃焼による噴流で、ガスタービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法。
【請求項４】
一、水素燃料のロケットエンジン（8）での水素の燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置。
【請求項５】
一、水素燃料のロケットエンジン（8）での水素の燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置の運転方法。
【請求項６】
一、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置。
【請求項７】
一、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置の運転方法。
【請求項８】
一、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置。
【請求項９】
一、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置の運転方法。
【請求項１０】
一、水素燃料のロケットエンジン（27）での水素の燃焼による噴流でガスタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置。
【請求項１１】
一、水素燃料のロケットエンジン（27）での水素の燃焼による噴流でガスタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置の運転方法。
【請求項１２】
一、水素燃料のロケットエンジン（37）での水素の燃焼による噴流でガスタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置。
【請求項１３】
一、水素燃料のロケットエンジン（37）での水素の燃焼による噴流でガスタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置の運転方法。
【請求項１４】
一、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置。
【請求項１５】
一、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置の運転方法。  
【請求項１６】
一、燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置。
【請求項１７】
一、燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置の運転方法。
【請求項１８】
一、水素燃料の燃焼装置（65）での水素の燃焼による熱から得られた蒸気で蒸気タービン（67）を作動させ、発電機（68）で発電した電気で水の電気分解装置（69）内の電気伝導性を有する水溶液を電気分解し、そこで得られた水素と酸素を水素燃料の燃焼装置（65）の燃料及び水素の酸化剤として利用する燃焼装置。
【請求項１９】
一、水素燃料の燃焼装置（65）での水素の燃焼による熱から得られた蒸気で蒸気タービン（67）を作動させ、発電機（68）で発電した電気で水の電気分解装置（69）内の電気伝導性を有する水溶液を電気分解し、そこで得られた水素と酸素を水素燃料の燃焼装置（65）の燃料及び水素の酸化剤として利用する燃焼装置の運転方法。
【請求項２０】
一、水素燃料の燃焼装置（71）での水素の燃焼による熱から得られた水よりも低い沸点の液体であるアンモニアの蒸気で蒸気タービン（72）を作動させ、発電機（73）で発電した電気で水の電気分解装置（74）内の電気伝導性を有する水溶液を電気分解し、そこで得られた水素と酸素を水素燃料の燃焼装置（71）の燃料及び水素の酸化剤として利用すると同時に、アンモニア蒸気を凝縮装置（243）に通し液化する燃焼装置。
【請求項２１】
一、水素燃料の燃焼装置（71）での水素の燃焼による熱から得られた水よりも低い沸点の液体であるアンモニアの蒸気で蒸気タービン（72）を作動させ、発電機（73）で発電した電気で水の電気分解装置（74）内の電気伝導性を有する水溶液を電気分解し、そこで得られた水素と酸素を水素燃料の燃焼装置（71）の燃料及び水素の酸化剤として利用すると同時に、アンモニア蒸気を凝縮装置（243）に通し液化する燃焼装置の運転方法。
【請求項２２】
一、水素燃料のロケットエンジン（75）での水素の燃焼による噴流でガスタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電装置。
【請求項２３】
一、水素燃料のロケットエンジン（75）での水素の燃焼による噴流でガスタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電方法。
【請求項２４】
一、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電装置。
【請求項２５】
一、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電方法。
【請求項２６】
一、水素燃料のロケットエンジン（88）での水素の燃焼による噴流で、ガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電装置。
【請求項２７】
一、水素燃料のロケットエンジン（88）での水素の燃焼による噴流で、ガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電方法。
【請求項２８】
一、燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電装置。
【請求項２９】
一、燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電方法。
【請求項３０】
一、水素燃料のロケットエンジン（101）での水素の燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置。
【請求項３１】
一、水素燃料のロケットエンジン（101）での水素の燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置の運転方法。
【請求項３２】
一、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置。
【請求項３３】
一、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置の運転方法。
【請求項３４】
一、水素燃料のロケットエンジン（120）での水素の燃焼による噴流で、ガスタービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置。
【請求項３５】
一、水素燃料のロケットエンジン（120）での水素の燃焼による噴流で、ガスタービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法。
【請求項３６】
一、水素燃料のロケットエンジン（127）での水素の燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置。
【請求項３７】
一、水素燃料のロケットエンジン（127）での水素の燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置の運転方法。
【請求項３８】
一、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置。
【請求項３９】
一、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置の運転方法。
【請求項４０】
一、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置。
【請求項４１】
一、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置の運転方法。
【請求項４２】
一、水素燃料のロケットエンジン（146）での水素の燃焼による噴流でガスタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置。
【請求項４３】
一、水素燃料のロケットエンジン（146）での水素の燃焼による噴流でガスタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置の運転方法。
【請求項４４】
一、水素燃料のロケットエンジン（156）での水素の燃焼による噴流でガスタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し水よりも低い沸点の液体であるアンモニアの蒸気で蒸気タービン（164）を作動させて動力源とすると同時に、アンモニア蒸気を凝縮装置（247）に通し液化する動力源装置。
【請求項４５】
一、水素燃料のロケットエンジン（156）での水素の燃焼による噴流でガスタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し、水よりも低い沸点の液体であるアンモニアの蒸気で蒸気タービン（164）を作動させて動力源とすると同時に、アンモニア蒸気を凝縮装置（247）に通し液化する動力源装置の運転方法。
【請求項４６】
一、燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置。
【請求項４７】
一、燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置の運転方法。  
【請求項４８】
一、燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置。
【請求項４９】
一、燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置の運転方法。
【請求項５０】
一、水素燃料の燃焼装置（184）での水素の燃焼による熱から得られた蒸気で蒸気タービン（186）を作動させ、発電機（187）で発電した電気で水の電気分解装置（188）内の電気伝導性を有する水溶液を電気分解し、そこで得られた水素を水素燃料の燃焼装置（184）の燃料として利用する燃焼装置。
【請求項５１】
一、水素燃料の燃焼装置（184）での水素の燃焼による熱から得られた蒸気で蒸気タービン（186）を作動させ、発電機（187）で発電した電気で水の電気分解装置（188）内の電気伝導性を有する水溶液を電気分解し、そこで得られた水素を水素燃料の燃焼装置（184）の燃料として利用する燃焼装置の運転方法。
【請求項５２】
一、水素燃料の燃焼装置（189）での水素の燃焼による熱から得られた水よりも低い沸点の液体であるアンモニアの蒸気で蒸気タービン（191）を作動させ、発電機（192）で発電した電気で水の電気分解装置（193）内の電気伝導性を有する水溶液を電気分解し、そこで得られた水素を水素燃料の燃焼装置（189）の燃料として利用すると同時に、アンモニア蒸気を凝縮装置（250）に通し液化する燃焼装置。
【請求項５３】
一、水素燃料の燃焼装置（189）での水素の燃焼による熱から得られた水よりも低い沸点の液体であるアンモニアの蒸気で蒸気タービン（191）を作動させ、発電機（192）で発電した電気で水の電気分解装置（193）内の電気伝導性を有する水溶液を電気分解し、そこで得られた水素を水素燃料の燃焼装置（189）の燃料として利用すると同時に、アンモニア蒸気を凝縮装置（250）に通し液化する燃焼装置の運転方法。
【請求項５４】
一、水素燃料のロケットエンジン（194）での水素の燃焼による噴流でガスタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電する発電装置。
【請求項５５】
一、水素燃料のロケットエンジン（194）での水素の燃焼による噴流でガスタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電をする発電方法。
【請求項５６】
一、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電装置。
【請求項５７】
一、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電方法。
【請求項５８】
一、水素燃料のロケットエンジン（207）での水素の燃焼による噴流で、ガスタービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電装置。
【請求項５９】
一、水素燃料のロケットエンジン（207）での水素の燃焼による噴流で、ガスタービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電方法。
【請求項６０】
一、燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電装置。
【請求項６１】
一、燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電方法。
【請求項６２】
一、水素燃料のロケットエンジン（220）での水素の燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置。
【請求項６３】
一、水素燃料のロケットエンジン（220）での水素の燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置の運転方法。
【請求項６４】
一、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置。
【請求項６５】
一、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置の運転方法。
【請求項６６】
一、液体水素燃料のロケットエンジン（253）での液体水素の燃焼による噴流で、ガスタービン（254）を作動させ発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置。
【請求項６７】
一、液体水素燃料のロケットエンジン（253）での液体水素の燃焼による噴流で、ガスタービン（254）を作動させ発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法。
【請求項６８】
一、液体水素燃料のロケットエンジン（262）での液体水素の燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用する動力源装置。
【請求項６９】
一、液体水素燃料のロケットエンジン（262）での液体水素の燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用する動力源装置の運転方法。
【請求項７０】
一、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置。
【請求項７１】
一、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置の運転方法。
【請求項７２】
一、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用する動力源装置。
【請求項７３】
一、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用する動力源装置の運転方法。
【請求項７４】
一、液体水素燃料の燃焼装置（288）での液体水素の燃焼による熱から得られた蒸気で蒸気タービン（289）を作動させ、発電機（290）で発電した電気で水の電気分解装置（291）内の電気伝導性を有する水溶液を電気分解し、そこで得られた水素と酸素を液化装置（292）及び（293）に通して液体水素燃料の燃焼装置（288）の燃料及び液体水素の酸化剤として利用する燃焼装置。
【請求項７５】
一、液体水素燃料の燃焼装置（288）での液体水素の燃焼による熱から得られた蒸気で蒸気タービン（289）を作動させ、発電機（290）で発電した電気で水の電気分解装置（291）内の電気伝導性を有する水溶液を電気分解し、そこで得られた水素と酸素を液化装置（292）及び（293）に通して液体水素燃料の燃焼装置（288）の燃料及び液体水素の酸化剤として利用する燃焼装置の運転方法。
【請求項７６】
一、液体水素燃料のロケットエンジン（294）での液体水素の燃焼による噴流で、ガスタービン（295）を作動させ発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置。
【請求項７７】
一、液体水素燃料のロケットエンジン（294）での液体水素の燃焼による噴流で、ガスタービン（295）を作動させ発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法。
【請求項７８】
一、液体水素燃料のロケットエンジン（302）での液体水素の燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用する動力源装置。
【請求項７９】
一、液体水素燃料のロケットエンジン（302）での液体水素の燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用する動力源装置の運転方法。
【請求項８０】
一、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とする動力源装置。
【請求項８１】
一、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とする動力源装置の運転方法。
【請求項８２】
一、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用する動力源装置。
【請求項８３】
一、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用する動力源装置の運転方法。
【請求項８４】
一、液体水素燃料の燃焼装置（325）での液体水素の燃焼による熱から得られた蒸気で蒸気タービン（326）を作動させ、発電機（327）で発電した電気で水の電気分解装置（328）内の電気伝導性を有する水溶液を電気分解し、そこで得られた水素を液化装置（329）に通して液体水素燃料の燃焼装置（325）の燃料として利用する燃焼装置。
【請求項８５】
一、液体水素燃料の燃焼装置（325）での液体水素の燃焼による熱から得られた蒸気で蒸気タービン（326）を作動させ、発電機（327）で発電した電気で水の電気分解装置（328）内の電気伝導性を有する水溶液を電気分解し、そこで得られた水素を液化装置（329）に通して液体水素燃料の燃焼装置（325）の燃料として利用する燃焼装置の運転方法。
【請求項８６】
一、請求項2、4、6、8、10、12、14、16のいずれかに記載の動力源装置、請求項18、20のいずれかに記載の燃焼装置、請求項22、24、26，28のいずれかに記載の発電装置、請求項30、32、34、36、38、40、42、44、46、48のいずれかに記載の動力源装置、請求項50、52、74、84のいずれかに記載の燃焼装置、請求項54、56、58、60のいずれかに記載の発電装置、請求項62、64、66、68、70、72、76、78、80，82のいずれかに記載の動力源装置において、電気伝導性を有する水溶液を電気分解して得られる水素と酸素を当該装置の燃料及び水素の酸化剤以外の目的で製造、使用し、また増殖炉として使用する水素と酸素の製造装置。
【請求項８７】
一、請求項2、4、6、8、10、12、14、16のいずれかに記載の動力源装置、請求項18、20のいずれかに記載の燃焼装置、請求項22、24、26，28のいずれかに記載の発電装置、請求項30、32、34、36、38、40、42、44、46、48のいずれかに記載の動力源装置、請求項50、52、74、84のいずれかに記載の燃焼装置、請求項54、56、58、60のいずれかに記載の発電装置、請求項62、64、66、68、70、72、76、78、80、82のいずれかに記載の動力源装置において、電気伝導性を有する水溶液を電気分解して得られる水素と酸素を当該装置の燃料及び水素の酸化剤以外の目的で製造、使用し、また増殖炉として使用する水素と酸素の製造方法。
【手続補正２】
【補正対象書類名】明細書
【補正対象項目名】全文
【補正方法】変更
【補正の内容】
【発明の詳細な説明】
【技術分野】
【０００１】    本発明は、基本的には、水素を燃料とするロケットエンジンで水素を燃焼させ、ガスタービンを作動させて発電した電気で電気伝導性を有する水溶液を電気分解し、そこで得られた水素と酸素を水素を燃料とするロケットエンジンの燃料及び水素の酸化剤として利用すると同時に、燃焼時の排熱で蒸気タービンを作動させ、発電又は動力源とする運転方法および動力源装置に関するものである。
【背景技術】
【０００２】    従来の発電装置や動力源装置では、燃料に石油や天然ガスなどの化石燃料等を使用しており、その燃焼に伴い、地球温暖化の原因である二酸化炭素を排出し、また、窒素酸化物や硫黄酸化物等の大気汚染物質も排出し、深刻な環境問題を引き起こしており、さらに、燃料となる資源の枯渇という問題もあった。
【発明の開示】
【発明が解決しようとする課題】
【０００３】      したがって従来の技術では避けて通ることができなかった課題である二酸化炭素や大気汚染物質の排出や、また、従来の技術では資源の枯渇という課題もあった。本発明は、こうした環境問題や資源問題等の諸問題を一掃するために発明されたものである。
【課題を解決するための手段】
【０００４】      上記課題を解決するための手段としては、従来の化石燃料の代わりに、地球上に大量に存在する水を使用し、装置を作動させる過程で発電した電気で水を電気分解し、そこで得られた水素と酸素を当該装置を作動させる燃料及び水素の酸化剤として利用し、この繰り返しで永続的に装置を作動させる。そのために二酸化炭素や大気汚染物質の排出もなく、また、その場で当該装置の燃料及びその酸化剤を生産するため、燃料の供給不能や枯渇する問題もなくなるものと思われる。
【発明の効果】
【０００５】      本発明の効果は、水素を燃料としているので燃焼しても二酸化炭素や大気汚染物質の排出はなく、また、装置が作動している間に、同時進行で当該装置の燃料となる水素を水の電気分解によって生産し、それを燃料として利用しているので、燃料供給の不安定要因や資源の枯渇といった問題もなく、また、放射性物質等の有害廃棄物の排出やその処理問題もない点で、エネルギーや環境の諸問題を一掃しうる理想的な動力源装置であるといえる。
【発明を実施するための最良の形態】
【０００６】      本発明の実施形態を述べると、請求項1は、ロケットエンジンとガスタービンとを結合し組み合わせた動力源装置であり、ロケットエンジンでの燃焼による噴流でガスタービンを作動させて仕事をさせる動力源装置である。【０００７】請求項2では、水素燃料のロケットエンジン（1）での燃焼による噴流で、ガスタービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置である。動力装置の利用例としては、発電装置や船舶のスクリューなど。【０００８】請求項3では、水素燃料のロケットエンジン（1）での燃焼による噴流で、ガスタービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法である。従って、動力源とする一方で当該装置の燃料及びその酸化剤をも生産するので永続的に装置が作動する。【０００９】請求項4では、水素燃料のロケットエンジン（8）での燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置である。動力装置の利用例としては、発電装置や船舶のスクリューなど。【００１０】請求項5では、水素燃料のロケットエンジン（8）での燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置の運転方法である。従って、動力源とする一方で当該装置の燃料及びその酸化剤をも生産するので永続的に装置が作動する。【００１１】請求項６では、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置である。動力装置の利用例としては、発電装置や船舶のスクリューなど。【００１２】請求項7では、燃焼室（345）で水素を燃焼させて水素燃料のガスタービン（15）を作動させ、発電機（16）��発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置の運転方法である。従って、動力源とする一方で当該装置の燃料及びその酸化剤をも生産するので永続的に装置が作動する。【００１３】請求項８は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置である。動力装置の利用例としては、発電装置や船舶のスクリューなど。【００１４】請求項9は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置の運転方法である。従って、動力源とする一方で当該装置の燃料及びその酸化剤をも生産するので永続的に装置が作動する。【００１５】請求項10は、請求項2記載の動力源装置に、さらに水よりも低い沸点の液体であるアンモニアを利用した装置を組み合わせたもので、水素を燃焼させて水素燃料のロケットエンジン（27）側のガスタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し液化するという動力源装置である。動力装置の利用例としては、発電装置など。  【００１６】請求項11は、請求項2記載の動力源装置に、さらに水よりも低い沸点の液体であるアンモニアを利用した装置を組み合わせたもので、水素を燃焼させて水素燃料のロケットエンジン（27）側のガスタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、���よりも低い沸点の液体であるアンモニアの蒸気で、もう一方の蒸気タービン（35）を作動させ動力源として利用すると同時に、アンモニア蒸気を凝縮装置（239）に通し、液化するという動力源装置の運転方法である。従って、動力源とする一方で当該装置の燃料及びその酸化剤をも生産するので永続的に装置が作動する。【００１７】    請求項12は、請求項4記載の動力源装置に、さらに水よりも低い沸点の液体であるアンモニアを利用した装置を組み合わせたもので、水素を燃焼させて水素燃料のロケットエンジン（37）側のガスタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置である。動力装置の利用例としては、発電装置など。【００１８】請求項13は、請求項4記載の動力源装置に、さらに水よりも低い沸点の液体であるアンモニアを利用した装置を組み合わせたもので、水素を燃焼させて水素燃料のロケットエンジン（37）側のガスタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置の運転方法である。従って、動力源とする一方で当該装置の燃料及びその酸化剤をも生産するので永続的に装置が作動する。【００１９】請求項14は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置である。動力装置の利用例としては、発電装置など。【００２０】請求項15は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置の運転方法である。従って、動力源とする一方で当該装置の燃料及びその酸化剤をも生産するので永続的に装置が作動する。【００２１】請求項16は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置である。動力装置の利用例としては、発電装置など。【００２２】請求項１７は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置の運転方法である。従って、動力源とする一方で当該装置の燃料及びその酸化剤をも生産するので永続的に装置が作動する。【００２３】請求項18は、水素燃料の燃焼装置（65）の燃料及びその酸化剤を当該燃焼装置（65）での燃焼による熱を利用して生産するもので、水素燃料の燃焼装置（65）での燃焼による熱から得られた蒸気で蒸気タービン（67）を作動させ、発電機（68）で発電した電気で水の電気分解装置（69）内の電気伝導性を有する水溶液を電気分解し、そこで得られた水素と酸素を水素燃料の燃焼装置（65）の燃料及び水素の酸化剤として利用するという燃焼装置である。燃焼装置の利用例としては、溶鉱炉等の熱源やゴミ焼却炉など。【００２４】請求項19は、水素燃料の燃焼装置（65）の燃料及びその酸化剤を当該燃焼装置（65）での燃焼による熱を利用して生産するもので、水素燃料の燃焼装置（65）での燃焼による熱から得られた蒸気で蒸気タービン（67）を作動させ、発電機（68）で発電した電気で水の電気分解装置（69）内の電気伝導性を有する水溶液を電気分解し、そこで得られた水素と酸素を水素燃料の燃焼装置（65）の燃料及び水素の酸化剤として利用するという燃焼装置の運転方法である。従って、熱源とする一方で当該装置の燃料及びその酸化剤をも生産するので永続的に装置が作動する。【００２５】請求項20は、水素燃料の燃焼装置（71）の燃料及びその酸化剤を当該燃焼装置（71）での燃焼による熱を利用して生産するもので、水素燃料の燃焼装置（71）での燃焼による熱から得られた水よりも低い沸点の液体であるアンモニアの蒸気で蒸気タービン（72）を作動させ、発電機（73）で発電した電気で水の電気分解装置（74）内の電気伝導性を有する水溶液を電気分解し、そこで得られた水素と酸素を水素燃料の燃焼装置（71）の燃料及び水素の酸化剤として利用すると同時に、アンモニア蒸気を凝縮装置（243）に通し液化するという燃焼装置である。燃焼装置の利用例としては、溶鉱炉等の熱源やゴミ焼却炉など。【００２６】請求項21は、水素燃料の燃焼装置（71）の燃料及びその酸化剤を当該燃焼装置（71）での燃焼による熱を利用して生産するもので、水素燃料の燃焼装置（71）での燃焼による熱から得られた水よりも低い沸点の液体であるアンモニアの蒸気で蒸気タービン（72）を作動させ、発電機（73）で発電した電気で水の電気分解装置（74）内の電気伝導性を有する水溶液を電気分解し、そこで得られた水素と酸素を水素燃料の燃焼装置（71）の燃料及び水素の酸化剤として利用すると同時に、アンモニア蒸気を凝縮装置（243）に通し液化するという燃焼装置の運転方法である。従って、熱源とする一方で当該装置の燃料及びその酸化剤をも生産するので永続的に装置が作動する。【００２７】請求項22は、水素燃料のロケットエンジン（75）での燃焼による噴流でガスタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電装置である。      【００２８】請求項23は、水素燃料のロケットエンジン（75）での燃焼による噴流でガスタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電方法である。従って、発電をする一方で当該装置の燃料及びその酸化剤をも生���するので永続的に装置が作動する。【００２９】請求項24は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電装置である。【００３０】請求項25は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電方法である。従って、発電をする一方で当該装置の燃料及びその酸化剤をも生産するので永続的に装置が作動する。【００３１】請求項26は、水素燃料のロケットエンジン（88）での燃焼による噴流でガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電装置である。【００３２】請求項27は、水素燃料のロケットエンジン（88）での燃焼による噴流でガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電方法である。従って、発電をする一方で当該装置の燃料及びその酸化剤をも生産するので永続的に装置が作動する。【００３３】請求項28は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電装置である。【００３４】請求項29は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電方法である。���って、発電をする一方で当該装置の燃料及びその酸化剤をも生産するので永続的に装置が作動する。【００３５】請求項30は、水素燃料のロケットエンジン（101）での燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置である。動力装置の利用例としては、発電装置など。【００３６】請求項31は、水素燃料のロケットエンジン（101）での燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置の運転方法である。従って、動力源とする一方で当該装置の燃料及びその酸化剤をも生産するので永続的に装置が作動する。【００３７】請求項32は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置である。動力装置の利用例としては、発電装置など。【００３８】請求項33は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に��し液化するという動力源装置の運転方法である。従って、動力源とする一方で当該装置の燃料及びその酸化剤をも生産するので永続的に装置が作動する。【００３９】請求項34では、水素燃料のロケットエンジン（120）での燃焼による噴流で、ガスタービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置である。動力装置の利用例としては、発電装置や船舶のスクリューなど。【００４０】請求項35では、水素燃料のロケットエンジン（120）での燃焼による噴流で、ガスタービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法である。従って、動力源とする一方で当該装置の燃料をも生産するので永続的に装置が作動する。【００４１】請求項36では、水素燃料のロケットエンジン（127）での燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置である。動力装置の利用例としては、発電装置や船舶のスクリューなど。【００４２】請求項37では、水素燃料のロケットエンジン（127）での燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置の運転方法である。従って、動力源とする一方で当該装置の燃料をも生産するので永続的に装置が作動する。【００４３】請求項38では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置である。動力装置の利用例としては、発電装置や船舶のスクリューなど。【００４４】請求項39では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に��燃焼時の排熱を蒸気発生装置（137）に通した蒸気で蒸気タービン（138）を作動させ動力源とするという動力源装置の運転方法である。従って、動力源とする一方で当該装置の燃料をも生産するので永続的に装置が作動する。【００４５】請求項40は、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置である。動力装置の利用例としては、発電装置や船舶のスクリューなど。【００４６】請求項41は、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置の運転方法である。従って、動力源とする一方で当該装置の燃料をも生産するので永続的に装置が作動する。【００４７】請求項42は、請求項34記載の動力源装置に、さらに水よりも低い沸点の液体であるアンモニアを利用した装置を組み合わせたもので、水素を燃焼させて水素燃料のロケットエンジン（146）側のガスタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し、液化するという動力源装置である。動力装置の利用例としては発電装置など。【００４８】請求項43は、請求項34記載の動力源装置に、さらに水よりも低い沸点の液体であるアンモニアを利用した装置を組み合わせたもので、水素を燃焼させて水素燃料のロケットエンジン（146）側のガスタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し液化するという動力源装置の運転方法である。従って、動力源とする一方で当該装置の燃料をも生産するので永続的に装置が作動する。【００４９】請��項44は、請求項36記載の動力源装置に、さらに水よりも低い沸点の液体であるアンモニアを利用した装置を組み合わせたもので、水素を燃焼させて水素燃料のロケットエンジン（156）側のガスタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置である。動力装置の利用例としては、発電装置など。【００５０】請求項45は、請求項36記載の動力源装置に、さらに水よりも低い沸点の液体であるアンモニアを利用した装置を組み合わせたもので、水素を燃焼させて水素燃料のロケットエンジン（156）側のガスタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置の運転方法である。従って、動力源とする一方で当該装置の燃料をも生産するので永続的に装置が作動する。【００５１】請求項46は、請求項38記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置である。動力装置の利用例としては、発電装置など。【００５２】請求項47は、請求項38記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装���（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置の運転方法である。従って、動力源とする一方で当該装置の燃料をも生産するので永続的に装置が作動する。【００５３】請求項48は、請求項40記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置である。動力装置の利用例としては、発電装置など。【００５４】請求項49は、請求項40記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置の運転方法である。従って、動力源とする一方で当該装置の燃料をも生産するので永続的に装置が作動する。【００５５】請求項50は、水素燃料の燃焼装置（184）の燃料を当該燃焼装置（184）での燃焼による熱を利用して生産するもので、水素燃料の燃焼装置（184）での燃焼による熱から得られた蒸気で蒸気タービン（186）を作動させ、発電機（187）で発電した電気で水の電気分解装置（188）内の電気伝導性を有する水溶液を電気分解し、そこで得られた水素を水素燃料の燃焼装置（184）の燃料として利用するという燃焼装置である。燃焼装置の利用例としては溶鉱炉等の熱源やゴミ焼却炉など。【００５６】請求項51は、水素燃料の燃焼装置（184）の燃料を当該燃焼装置（184）での燃焼による熱を利用して生産するもので、水素燃料の燃焼装置（184）での燃焼による熱から得られた蒸気で蒸気タービン（186）を作動させ、発電機（187）で発電した電気で水の電気分解装置（188）内の電気伝導性を有する水溶液を電気分解し、そこで得られた水素を水素���料の燃焼装置（184）の燃料として利用するという燃焼装置の運転方法である。従って、熱源とする一方で当該装置の燃料をも生産するので永続的に装置が作動する。【００５７】請求項52は、水素燃料の燃焼装置（189）の燃料を当該燃焼装置（189）での燃焼による熱を利用して生産するもので、水素燃料の燃焼装置（189）での燃焼による熱から得られた水よりも低い沸点の液体であるアンモニアの蒸気で蒸気タービン（191）を作動させ、発電機（192）で発電した電気で水の電気分解装置（193）内の電気伝導性を有する水溶液を電気分解し、そこで得られた水素を水素燃料の燃焼装置（189）の燃料として利用すると同時に、アンモニア蒸気を凝縮装置（250）に通し液化するという燃焼装置である。燃焼装置の利用例としては、溶鉱炉等の熱源やゴミ焼却炉など。【００５８】請求項53は、水素燃料の燃焼装置（189）の燃料を当該燃焼装置（189）での燃焼による熱を利用して生産するもので、水素燃料の燃焼装置（189）での燃焼による熱から得られた水よりも低い沸点の液体であるアンモニアの蒸気で蒸気タービン（191）を作動させ、発電機（192）で発電した電気で水の電気分解装置（193）内の電気伝導性を有する水溶液を電気分解し、そこで得られた水素を水素燃料の燃焼装置（189）の燃料として利用すると同時に、アンモニア蒸気を凝縮装置（250）に通し液化するという燃焼装置の運転方法である。従って、熱源とする一方で当該装置の燃料をも生産するので永続的に装置が作動する。【００５９】請求項54は、水素燃料のロケットエンジン（194）での燃焼による噴流でガスタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電装置である。【００６０】請求項55は、水素燃料のロケットエンジン（194）での燃焼による噴流でガスタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電方法である。従って、発電をする一方で当該装置の燃料をも生産するので永続的に装置が作動する。【００６１】請求項56は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電装置である。【００６２】請求項57は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を���焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電方法である。従って、発電をする一方で当該装置の燃料をも生産するので永続的に装置が作動する。【００６３】請求項58は、水素燃料のロケットエンジン（207）での燃焼による噴流でガスタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電装置である。【００６４】請求項59は、水素燃料のロケットエンジン（207）での燃焼による噴流でガスタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電方法である。従って、発電をする一方で当該装置の燃料をも生産するので永続的に装置が作動する。【００６５】請求項60は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電装置である。【００６６】請求項61は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電方法である。従って、発電をする一方で当該装置の燃料をも生産するので永続的に装置が作動する。【００６７】請求項62は、水素燃料のロケットエンジン（220）での燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置である。動力装置の利用例としては、発電装置など。【００６８】請求項63は、水素燃料のロケットエンジン（220）での燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置の運転方法である。従って、動力源とする一方で当該装置の燃料をも生産するので永続的に装置が作動する。【００６９】請求項64は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置である。動力装置の利用例としては、発電装置など。【００７０】請求項65は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置の運転方法である。従って、動力源とする一方で当該装置の燃料をも生産するので永続的に装置が作動する。【００７１】請求項66では、液体水素燃料のロケットエンジン（253）での燃焼による噴流で、ガスタービン（254）を作動させ、発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置である。動力装置の利用例としては、発電装置や船舶のスクリューなど。【００７２】請求項67では、液体水素燃料のロケットエンジン（253）での燃焼による噴流で、ガスタービン（254）を作動させ、発電機（255）で発電した電気で水の電気分解装置（256）内の電気伝導性を有する水溶液を電気分解し、そこで得られた水素と酸素を液化装置（257）及��（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法である。従って、動力源とする一方で当該装置の燃料及びその酸化剤をも生産するので永続的に装置が作動する。【００７３】請求項68では、液体水素燃料のロケットエンジン（262）での燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用するという動力源装置である。動力装置の利用例としては、発電装置や船舶のスクリューなど。【００７４】請求項69では、液体水素燃料のロケットエンジン（262）での燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用するという動力源装置の運転方法である。従って、動力源とする一方で当該装置の燃料及びその酸化剤をも生産するので永続的に装置が作動する。【００７５】請求項70では、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置である。動力装置の利用例としては、発電装置や船舶のスクリューなど。【００７６】請求項71では、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置の運転方法である。従って、動力源とする一方で当該装置の燃料及びその酸化剤をも生産するので永続的に装置が作動する。【００７７】請求項72は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の���気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用するという動力源装置である。動力装置の利用例としては、発電装置や船舶のスクリューなど。【００７８】請求項73は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用するという動力源装置の運転方法である。従って、動力源とする一方で当該装置の燃料及びその酸化剤をも生産するので永続的に装置が作動する。【００７９】請求項74は、液体水素燃料の燃焼装置（288）の燃料及びその酸化剤を当該燃焼装置（288）での燃焼による熱を利用して生産するもので、液体水素燃料の燃焼装置（288）での燃焼による熱から得られた蒸気で蒸気タービン（289）を作動させ、発電機（290）で発電した電気で水の電気分解装置（291）内の電気伝導性を有する水溶液を電気分解し、そこで得られた水素と酸素を液化装置（292）及び（293）に通して液体水素燃料の燃焼装置（288）の燃料及び液体水素の酸化剤として利用するという燃焼装置である。燃焼装置の利用例としては、溶鉱炉等の熱源やゴミ焼却炉など。【００８０】請求項75は、液体水素燃料の燃焼装置（288）の燃料及びその酸化剤を当該燃焼装置（288）での燃焼による熱を利用して生産するもので、液体水素燃料の燃焼装置（288）での燃焼による熱から得られた蒸気で蒸気タービン（289）を作動させ、発電機（290）で発電した電気で水の電気分解装置（291）内の電気伝導性を有する水溶液を電気分解し、そこで得られた水素と酸素を液化装置（292）及び（293）に通して液体水素燃料の燃焼装置（288）の燃料及び液体水素の酸化剤として利用するという燃焼装置の運転方法である。従って熱源とする一方で当該装置の燃料及びその酸化剤も生産するので永続的に装置が作動する。【００８１】請求項76では、液体水素燃料のロケットエンジン（294）での燃焼による噴流で、ガスタービン（295）を作動させ、発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置である。動力装置の利用例としては、発電装置や船舶のスクリューなど。【００８２】請求項77では、液体水素燃料のロケットエンジン（294）での燃焼による噴流で、ガスタービン（295）を作動させ、発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法である。従って、動力源とする一方で当該装置の燃料をも生産するので永続的に装置が作動する。【００８３】請求項78では、液体水素燃料のロケットエンジン（302）での燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用するという動力源装置である。動力装置の利用例としては、発電装置や船舶のスクリューなど。【００８４】請求項79では、液体水素燃料のロケットエンジン（302）での燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用するという動力源装置の運転方法である。従って、動力源とする一方で当該装置の燃料をも生産するので永続的に装置が作動する。【００８５】請求項80では、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置である。動力装置の利用例としては、発電装置や船舶のスクリューなど。【００８６】請求項81では、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とするという動力源装置の運転方法である。従って、動力源とする一方で当該装置の燃料をも生産するので永続的に装置が作動する。【００８７】請求項82は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用するという動力源装置である。動力装置の利用例としては、発電装置や船舶のスクリューなど。【００８８】請求項83は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用するという動力源装置の運転方法である。従って、動力源とする一方で当該装置の燃料をも生産するので永続的に装置が作動する。【００８９】請求項84は、液体水素燃料の燃焼装置（325）の燃料を当該燃焼装置（325）での燃焼による熱を利用して生産するもので、液体水素燃料の燃焼装置（325）での燃焼による熱から得られた蒸気で蒸気タービン（326）を作動させ、発電機（327）で発電した電気で水の電気分解装置（328）内の電気伝導性を有する水溶液を電気分解し、そこで得られた水素を液化装置（329）に通して液体水素燃料の燃焼装置（325）の燃料として利用するという燃焼装置である。燃焼装置の利用例としては、溶鉱炉等の熱源やゴミ焼却炉など。【００９０】請求項85は、液体水素燃料の燃焼装置（325）の燃料を当該燃焼装置（325）での燃焼による熱を利用して生産するもので、液体水素燃料の燃焼装置（325）での燃焼による熱から得られた蒸気で蒸気タービン（326）を作動させ、発電機（327）で発電した電気で水の電気分解装置（328）内の電気伝導性を有する水溶液を電気分解し、そこで得られた水素を液化装置（329）に通して液体水素燃料の燃焼装置（325）の燃料として利用するという燃焼装置の運転方法である。従って、熱源とする一方で当該装置の燃料をも生産するので永続的に装置が作動する。【００９１】請求項2、4、6、8、10、12、14、16のいずれかに記載の動力源装置、請求項18、20のいずれかに記載の燃焼装置、請求項22、24、26，28のいずれかに記載の発電装置、請求項30、32、34、36、38、40、42、44、46、48のいずれかに記載の動力源装置、請求項50、52、74、84のいずれかに記載の燃焼装置、請求項54、56、58、60のいずれかに記載の発電装置、請求項62、64、66、68、70、72、76、78、80，82のいずれかに記載の動力源装置を水素と酸素の増殖炉として利用するもので、当該装置の作動中に、消費される水素や酸素量よりも、生産される水素や酸素量が上回った分を他の分野で利用することを目的とした水素と酸素の製造装置である。【００９２】請求項2、4、6、8、10、12、14、16のいずれかに記載の動力源装置、請求項18、20のいずれかに記載の燃焼装置、請求項22、24、26，28のいずれかに記載の発電装置、請求項30、32、34、36、38、40、42、44、46、48のいずれかに記載の動力源装置、請求項50、52、74、84のいずれかに記載の燃焼装置、請求項54、56、58、60のいずれかに記載の発電装置、請求項62、64、66、68、70、72、76、78、80，82のいずれかに記載の動力源装置を水素と酸素の増殖炉として利用するもので、当該装置の作動中に、消費される水素や酸素量よりも、生産される水素や酸素量が上回った分を他の分野で利用することを目的とした水素と酸素の製造方法である。
【図面の簡単な説明】
【００９３】
【図１】本発明（請求項2）のシステムフロー図
【図２】本発明（請求項4）のシステムフロー図
【図３】本発明（請求項6）のシステムフロー図
【図４】本発明（請求項8）のシステムフロー図
【図５】本発明（請求項10）のシステムフロー図
【図６】本発明（請求項12）のシステムフロー図
【図７】本発明（請求項14）のシステムフロー図
【図８】本発明（請求項16）のシステムフロー図
【図９】本発明（請求項18）のシステムフロー図
【図１０】本発明（請求項20）のシステムフロー図
【図１１】本発明（請求項22）のシステムフロー図
【図１２】本発明（請求項24）のシステムフロー図
【図１３】本発明（請求項26）のシステムフロー図
【図１４】本発明（請求項28）のシステムフロー図
【図１５】本発明（請求項30）のシステムフロー図
【図１６】本発明（請求項32）のシステムフロー図
【図１７】本発明（請求項34）のシステムフロー図
【図１８】本発明（請求項36）のシステムフロー図
【図１９】本発明（請求項38）のシステムフロー図
【図２０】本発明（請求項40）のシステムフロー図
【図２１】本発明（請求項42）のシステムフロー図
【図２２】本発明（請求項44）のシステムフロー図
【図２３】本発明（請求項46）のシステムフロー図
【図２４】本発明（請求項48）のシステムフロー図
【図２５】本発明（請求項50）のシステムフロー図
【図２６】本発明（請求項52）のシステムフロー図
【図２７】本発明（請求項54）のシステムフロー図
【図２８】本発明（請求項56）のシステムフロー図
【図２９】本発明（請求項58）のシステムフロー図
【図３０】本発明（請求項60）のシステムフロー図
【図３１】本発明（請求項62）のシステムフロー図
【図３２】本発明（請求項64）のシステムフロー図
【図３３】本発明（請求項66）のシステムフロー図
【図３４】本発明（請求項68）のシステムフロー図
【図３５】本発明（請求項70）のシステムフロー図
【図３６】本発明（請求項72）のシステムフロー図
【図３７】本発明（請求項74）のシステムフロー図
【図３８】本発明（請求項76）のシステムフロー図
【図３９】本発明（請求項78）のシステムフロー図
【図４０】本発明（請求項80）のシステムフロー図
【図４１】本発明（請求項82）のシステムフロー図
【図４２】本発明（請求項84）のシステムフロー図
【符号の説明】
【００９４】    1は水素燃料のロケットエンジン    2はガスタービン    3は発電機    4は水の電気分解装置    5は蒸気発生装置    6は蒸気タービン    7は動力装置    8は水素燃料のロケットエンジン    9はガスタービン    10は動力装置    11は蒸気発生装置    12は蒸気タービン    13は発電機    14は水の電気分解装置    15は水素燃料のガスタービン    16は発電機    17は水の電気分解装置    18は蒸気発生装置    19は蒸気タービン    20は動力装置    21は水素燃料のガスタービン    22は動力装置    23は蒸気発生装置    24は蒸気タービン    25は発電機    26は水の電気分解装置    27は水素燃料のロケットエンジン    28はガスタービン    29は発電機    30は水の電気分解装置    31は蒸気発生装置    32は蒸気タービン    33は動力装置    34は蒸気発生装置    35は蒸気タービン    36は動力装置    37は水素燃料のロケットエンジン    38はガスタービン    39は動力装置    40は蒸気発生装置    41は蒸気タービン    42は発電機    43は水の電気分解装置    44は蒸気発生装置    45は蒸気タービン    46は動力装置    47は水素燃料のガスタービン    48は発電機    49は水の電気分解装置    50は蒸気発生装置    51は蒸気タービン    52は動力装置    53は蒸気発生装置    54は蒸気タービン    55は動力装置    56は水素燃料のガスタービン    57は動力装置    58は蒸気発生装置    59は蒸気タービン    60は発電機    61は水の電気分解装置    62は蒸気発生装置    63は蒸気タービン    64は動力装置    65は水素燃料の燃焼装置    66は溶鉱炉等    67は蒸気タービン    68は発電機    69は水の電気分解装置    70は溶鉱炉等    71は水素燃料の燃焼装置    72は蒸気タービン    73は発電機    74は水の電気分解装置    75は水素燃料のロケットエンジン    76はガスタービン    77は発電機    78は水の電気分解装置    79は蒸気発生装置    80は蒸気タービン      81は発電機    82は水素燃料のガスタービン    83は発電機    84は水の電気分解装置    85は蒸気発生装置    86は蒸気タービン    87は発電機    88は水素燃料のロケットエンジン    89はガスタービン    90は発電機    91は蒸気発生装置    92は蒸気タービン    93は発電機    94は水の電気分解装置    95は水素燃料のガスタービン    96は発電機    97は蒸気発生装置    98は蒸気タービン    99は発電機    100は水の電気分解装置    101は水素燃料のロケットエンジン    102はガスタービン    103は動力装置    104は蒸気発生装置    105は蒸気タービン    106は動力装置    107は蒸気発生装置    108は蒸気タービン    109は発電機    110は水の電気分解装置    111は水素燃料のガスタービン    112は動力装置    113は蒸気発生装置    114は蒸気タービン    115は動力装置    116は蒸気発生装置    117は蒸気タービン    118は発電機    119は水の電気分解装置    120は水素燃料のロケットエンジン    121はガスタービン    122は発電機    123は水の電気分解装置    124は蒸気発生装置    125は蒸気タービン    126は動力装置    127は水素燃料のロケットエンジン    128はガスタービン    129は動力装置    130は蒸気発生装置    131は蒸気タービン    132は発電機    133は水の電気分解装置    134は水素燃料のガスタービン    135は発電機    136は水の電気分解装置    137は蒸気発生装置    138は蒸気タービン    139は動力装置    140は水素燃料のガスタービン    141は動力装置    142は蒸気発生装置    143は蒸気タービン    144は発電機    145は水の電気分解装置    146��水素燃料のロケットエンジン    147はガスタービン    148は発電機    149は水の電気分解装置    150は蒸気発生装置    151は蒸気タービン    152は動力装置    153は蒸気発生装置    154は蒸気タービン    155は動力装置    156は水素燃料のロケットエンジン    157はガスタービン    158は動力装置    159は蒸気発生装置    160は蒸気タービン    161は発電機    162は水の電気分解装置    163は蒸気発生装置    164は蒸気タービン    165は動力装置    166は水素燃料のガスタービン    167は発電機    168は水の電気分解装置    169は蒸気発生装置    170は蒸気タービン    171は動力装置    172は蒸気発生装置    173は蒸気タービン    174は動力装置    175は水素燃料のガスタービン    176は動力装置    177は蒸気発生装置    178は蒸気タービン    179は発電機    180は水の電気分解装置    181は蒸気発生装置    182は蒸気タービン    183は動力装置    184は水素燃料の燃焼装置    185は溶鉱炉等    186は蒸気タービン    187は発電機    188は水の電気分解装置    189は水素燃料の燃焼装置    190は溶鉱炉等    191は蒸気タービン    192は発電機    193は水の電気分解装置    194は水素燃料のロケットエンジン    195はガスタービン    196は発電機    197は水の電気分解装置    198は蒸気発生装置    199は蒸気タービン    200は発電機    201は水素燃料のガスタービン    202は発電機    203は水の電気分解装置    204は蒸気発生装置    205は蒸気タービン    206は発電機    207は水素燃料のロケットエンジン    208はガスタービン    209は発電機    210は蒸気発生装置    211は蒸気タービン    212は発電機    213は水の電気分解装置    214は水素燃料のガスタービン    215は発電機    216は蒸気発生装置    217は蒸気タービン    218は発電機    219は水の電気分解装置    220は水素燃料のロケットエンジン    221はガスタービン    222は動力装置    223は蒸気発生装置    224は蒸気タービン    225は動力装置    226は蒸気発生装置    227は蒸気タービン    228は発電機    229は水の電気分解装置    230は水素燃料のガスタービン    231は動力装置    232は蒸気発生装置    233は蒸気タービン    234は動力装置    235は蒸気発生装置    236は蒸気タービン    237は発電機    238は水の電気分解装置    239は凝縮装置    240は凝縮装置    241は凝縮装置    242は凝縮装置    243は凝縮装置    244は凝縮装置    245は凝縮装置    246は凝縮装置    247は凝縮装置    248は凝縮装置    249は凝縮装置    250は凝縮装置    251は凝縮装置    252は凝縮装置    253は液体水素燃料のロケットエンジン    254はガスタービン    255は発電機    256は水の電気分解装置    257は液化装置    258は液化装置    259は蒸気発生装置    260は蒸気タービン    261は動力装置    262は液体水素燃料のロケットエンジン    263はガスタービン    264は動力装置    265は蒸気発生装置    266は蒸気タービン    267は発電機    268は水の電気分解装置    269は液化装置    270は液化装置    271は液体水素燃料のガスタービン    272は発電機    273は水の電気分解装置    274は液化装置    275は液化装置    276は蒸気発生装置    277は蒸気タービン    278は動力装置    279は液体水素燃料のガスタービン    280は動力装置    281は蒸気発生装置    282は蒸気タービン    283は発電機    284は水の電気分解装置    285は液化装置    286は液化装置    287は溶鉱炉等    288は液体水素燃料の燃焼装置    289は蒸気タービン    290は発電機    291は水の電気分解装置    292は液化装置    293は液化��置    294は液体水素燃料のロケットエンジン    295はガスタービン    296は発電機    297は水の電気分解装置    298は液化装置    299は蒸気発生装置    300は蒸気タービン    301は動力装置    302は液体水素燃料のロケットエンジン    303はガスタービン    304は動力装置    305は蒸気発生装置    306は蒸気タービン    307は発電機    308は水の電気分解装置    309は液化装置    310は液体水素燃料のガスタービン    311は発電機    312は水の電気分解装置    313は液化装置    314は蒸気発生装置    315は蒸気タービン    316は動力装置    317は液体水素燃料のガスタービン    318は動力装置    319は蒸気発生装置    320は蒸気タービン    321は発電機    322は水の電気分解装置    323は液化装置    324は溶鉱炉等    325は液体水素燃料の燃焼装置    326は蒸気タービン    327は発電機    328は水の電気分解装置    329は液化装置    330は制御装置    331は制御装置    332は制御装置    333は制御装置    334は制御装置    335は制御装置    336は制御装置    337は制御装置    338は制御装置    339は制御装置    340は制御装置    341は制御装置    342は制御装置    343は制御装置    344は制御装置    345は燃焼室    346は燃焼室    347は燃焼室    348は燃焼室    349は燃焼室    350は燃焼室    351は燃焼室    352は燃焼室    353は燃焼室    354は燃焼室    355は燃焼室    356は燃焼室    357は燃焼室    358は燃焼室    359は燃焼室    360は燃焼室    361は燃焼室    362は燃焼室
【手続補正３】
【補正対象書類名】図面
【補正対象項目名】図３
【補正方法】変更
【補正の内容】
【図３】
2006233951.tif 000045
【手続補正４】
【補正対象書類名】図面
【補正対象項目名】図４
【補正方法】変更
【補正の内容】
【図４】
2006233951.tif 000046
【手続補正５】
【補正対象書類名】図面
【補正対象項目名】図７
【補正方法】変更
【補正の内容】
【図７】
2006233951.tif 000047
【手続補正６】
【補正対象書類名】図面
【補正対象項目名】図８
【補正方法】変更
【補正の内容】
【図８】
2006233951.tif 000048
【手続補正７】
【補正対象書類名】図面
【補正対象項目名】図１２
【補正方法】変更
【補正の内容】
【図１２】
2006233951.tif 000049
【手続補正８】
【補正対象書類名】図面
【補正対象項目名】図１４
【補正方法】変更
【補正の内容】
【図１４】
2006233951.tif 000050
【手続補正９】
【補正対象書類名】図面
【補正対象項目名】図１６
【補正方法】変更
【補正の内容】
【図１６】
2006233951.tif 000051
【手続補正１０】
【補正対象書類名】図面
【補正対象項目名】図１９
【補正方法】変更
【補正の内容】
【図１９】
2006233951.tif 000052
【手続補正１１】
【補正対象書類名】図面
【補正対象項目名】図２０
【補正方法】変更
【補正の内容】
【図２０】
2006233951.tif 000053
【手続補正１２】
【補正対象書類名】図面
【補正対象項目名】図２３
【補正方法】変更
【補正の内容】
【図２３】
2006233951.tif 000054
【手続補正１３】
【補正対象書類名】図面
【補正対象項目名】図２４
【補正方法】変更
【補正の内容】
【図２４】
2006233951.tif 000055
【手続補正１４】
【補正対象書類名】図面
【補正対象項目名】図２８
【補正方法】変更
【補正の内容】
【図２８】
2006233951.tif 000056
【手続補正１５】
【補正対象書類名】図面
【補正対象項目名】図３０
【補正方法】変更
【補正の内容】
【図３０】
2006233951.tif 000057
【手続補正１６】
【補正対象書類名】図面
【補正対象項目名】図３２
【補正方法】変更
【補正の内容】
【図３２】
2006233951.tif 000058
【手続補正１７】
【補正対象書類名】図面
【補正対象項目名】図３５
【補正方法】変更
【補正の内容】
【図３５】
2006233951.tif 000059
【手続補正１８】
【補正対象書類名】図面
【補正対象項目名】図３６
【補正方法】変更
【補正の内容】
【図３６】
2006233951.tif 000060
【手続補正１９】
【補正対象書類名】図面
【補正対象項目名】図４０
【補正方法】変更
【補正の内容】
【図４０】
2006233951.tif 000061
【手続補正２０】
【補正対象書類名】図面
【補正対象項目名】図４１
【補正方法】変更
【補正の内容】
【図４１】
2006233951.tif 000062
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
ロケットエンジンと、その燃焼時の噴流で作動するガスタービンとを結合し組み合わせた動力源装置。
【請求項２】
水素燃料のロケットエンジン（1）での水素の燃焼による噴流で、ガスタービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置。
【請求項３】
水素燃料のロケットエンジン（1）での水素の燃焼による噴流で、ガスタービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法。
【請求項４】
水素燃料のロケットエンジン（8）での水素の燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置。
【請求項５】
水素燃料のロケットエンジン（8）での水素の燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置の運転方法。
【請求項６】
燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置。
【請求項７】
燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置の運転方法。
【請求項８】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置。
【請求項９】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置の運転方法。
【請求項１０】
水素燃料のロケットエンジン（27）での水素の燃焼による噴流でガスタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置。
【請求項１１】
水素燃料のロケットエンジン（27）での水素の燃焼による噴流でガスタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置の運転方法。
【請求項１２】
水素燃料のロケットエンジン（37）での水素の燃焼による噴流でガスタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置。
【請求項１３】
水素燃料のロケットエンジン（37）での水素の燃焼による噴流でガスタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置の運転方法。
【請求項１４】
燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置。
【請求項１５】
燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置の運転方法。
【請求項１６】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置。
【請求項１７】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置の運転方法。
【請求項１８】
水素燃料のロケットエンジン（75）での水素の燃焼による噴流でガスタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電装置。
【請求項１９】
水素燃料のロケットエンジン（75）での水素の燃焼による噴流でガスタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電方法。
【請求項２０】
燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電装置。
【請求項２１】
燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電方法。
【請求項２２】
水素燃料のロケットエンジン（88）での水素の燃焼による噴流で、ガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電装置。
【請求項２３】
水素燃料のロケットエンジン（88）での水素の燃焼による噴流で、ガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電方法。
【請求項２４】
燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電装置。
【請求項２５】
燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電方法。
【請求項２６】
水素燃料のロケットエンジン（101）での水素の燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置。
【請求項２７】
水素燃料のロケットエンジン（101）での水素の燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置の運転方法。
【請求項２８】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置。
【請求項２９】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置の運転方法。
【請求項３０】
水素燃料のロケットエンジン（120）での水素の燃焼による噴流で、ガスタービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置。
【請求項３１】
水素燃料のロケットエンジン（120）での水素の燃焼による噴流で、ガスタービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法。
【請求項３２】
水素燃料のロケットエンジン（127）での水素の燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置。
【請求項３３】
水素燃料のロケットエンジン（127）での水素の燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置の運転方法。
【請求項３４】
燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置。
【請求項３５】
燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置の運転方法。
【請求項３６】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置。
【請求項３７】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置の運転方法。
【請求項３８】
水素燃料のロケットエンジン（146）での水素の燃焼による噴流でガスタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置。
【請求項３９】
水素燃料のロケットエンジン（146）での水素の燃焼による噴流でガスタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置の運転方法。
【請求項４０】
水素燃料のロケットエンジン（156）での水素の燃焼による噴流でガスタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し水よりも低い沸点の液体であるアンモニアの蒸気で蒸気タービン（164）を作動させて動力源とすると同時に、アンモニア蒸気を凝縮装置（247）に通し液化する動力源装置。
【請求項４１】
水素燃料のロケットエンジン（156）での水素の燃焼による噴流でガスタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し、水よりも低い沸点の液体であるアンモニアの蒸気で蒸気タービン（164）を作動させて動力源とすると同時に、アンモニア蒸気を凝縮装置（247）に通し液化する動力源装置の運転方法。
【請求項４２】
燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置。
【請求項４３】
燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置の運転方法。
【請求項４４】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置。
【請求項４５】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置の運転方法。
【請求項４６】
水素燃料のロケットエンジン（194）での水素の燃焼による噴流でガスタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電する発電装置。
【請求項４７】
水素燃料のロケットエンジン（194）での水素の燃焼による噴流でガスタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電をする発電方法。
【請求項４８】
燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電装置。
【請求項４９】
燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電方法。
【請求項５０】
水素燃料のロケットエンジン（207）での水素の燃焼による噴流で、ガスタービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電装置。  
【請求項５１】
水素燃料のロケットエンジン（207）での水素の燃焼による噴流で、ガスタービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電方法。  
【請求項５２】
燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電装置。  
【請求項５３】
燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電方法。
【請求項５４】
水素燃料のロケットエンジン（220）での水素の燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置。
【請求項５５】
水素燃料のロケットエンジン（220）での水素の燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置の運転方法。
【請求項５６】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置。
【請求項５７】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置の運転方法。
【請求項５８】
液体水素燃料のロケットエンジン（253）での液体水素の燃焼による噴流で、ガスタービン（254）を作動させ発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置。
【請求項５９】
液体水素燃料のロケットエンジン（253）での液体水素の燃焼による噴流で、ガスタービン（254）を作動させ発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法。
【請求項６０】
液体水素燃料のロケットエンジン（262）での液体水素の燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用する動力源装置。
【請求項６１】
液体水素燃料のロケットエンジン（262）での液体水素の燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用する動力源装置の運転方法。
【請求項６２】
燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置。
【請求項６３】
燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置の運転方法。
【請求項６４】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用する動力源装置。
【請求項６５】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用する動力源装置の運転方法。
【請求項６６】
液体水素燃料のロケットエンジン（294）での液体水素の燃焼による噴流で、ガスタービン（295）を作動させ発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置。
【請求項６７】
液体水素燃料のロケットエンジン（294）での液体水素の燃焼による噴流で、ガスタービン（295）を作動させ発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法。
【請求項６８】
液体水素燃料のロケットエンジン（302）での液体水素の燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用する動力源装置。
【請求項６９】
液体水素燃料のロケットエンジン（302）での液体水素の燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用する動力源装置の運転方法。
【請求項７０】
燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とする動力源装置。
【請求項７１】
燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とする動力源装置の運転方法。
【請求項７２】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用する動力源装置。
【請求項７３】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用する動力源装置の運転方法。
【請求項７４】
請求項2、4、6、8、10、12、14、16、26，28、30、32、34、36、38、40、42、44、54、56、58、60、62、64、66、68、70、72のいずれかに記載の動力源装置、請求項18、20、22、24、46、48、50、52のいずれかに記載の発電装置において、電気伝導性を有する水溶液を電気分解して得られる水素及び酸素を当該装置の燃料及び水素の酸化剤以外の目的で製造、使用し、また増殖炉として使用する水素及び酸素の製造装置。
【請求項７５】
請求項2、4、6、8、10、12、14、16、26，28、30、32、34、36、38、40、42、44、54、56、58、60、62、64、66、68、70、72のいずれかに記載の動力源装置、請求項18、20、22、24、46、48、50、52のいずれかに記載の発電装置において、電気伝導性を有する水溶液を電気分解して得られる水素及び酸素を当該装置の燃料及び水素の酸化剤以外の目的で製造、使用し、また増殖炉として使用する水素及び酸素の製造方法。
【手続補正２】
【補正対象書類名】明細書
【補正対象項目名】全文
【補正方法】変更
【補正の内容】
【発明の詳細な説明】
【技術分野】
【０００１】
本発明は、基本的には、水素を燃料とするロケットエンジンで水素を燃焼させ、ガスタービンを作動させて発電した電気で電気伝導性を有する水溶液を電気分解し、そこで得られた水素と酸素を水素を燃料とするロケットエンジンの燃料及び水素の酸化剤として利用すると同時に、燃焼時の排熱で蒸気タービンを作動させ、発電又は動力源とする運転方法および動力源装置に関するものである。
【背景技術】
【０００２】
従来の発電装置や動力源装置では、燃料に石油や天然ガスなどの化石燃料等を使用しており、その燃焼に伴い、地球温暖化の原因である二酸化炭素を排出し、また、窒素酸化物や硫黄酸化物等の大気汚染物質も排出し、深刻な環境問題を引き起こしており、さらに、燃料となる資源の枯渇という問題もあった。
【非特許文献１】佐藤正知、蛭沢重信著「図解雑学  エネルギー」（ナツメ社）2001年7月20日発行、第94頁から第95ページ、第102ページから第103ページ、第130頁から第131頁
【発明の開示】
【発明が解決しようとする課題】
【０００３】
したがって従来の技術では避けて通ることができなかった課題である二酸化炭素や大気汚染物質の排出や、また、従来の技術では資源の枯渇という課題もあった。本発明は、こうした環境問題や資源問題等の諸問題を一掃するために発明されたものである。
【課題を解決するための手段】
【０００４】
上記課題を解決するための手段としては、従来の化石燃料の代わりに、地球上に大量に存在する水を使用し、装置を作動させる過程で発電した電気で水を電気分解し、そこで得られた水素と酸素を当該装置を作動させる燃料及び水素の酸化剤として利用し、この繰り返しで永続的に装置を作動させる。そのために二酸化炭素や大気汚染物質の排出もなく、また、その場で当該装置の燃料及びその酸化剤を生産するため、燃料の供給不能や枯渇する問題もなくなるものと思われる。
【発明の効果】
【０００５】
本発明の効果は、水素を燃料としているので燃焼しても二酸化炭素や大気汚染物質の排出はなく、また、装置が作動している間に、同時進行で当該装置の燃料となる水素を水の電気分解によって生産し、それを燃料として利用しているので、燃料供給の不安定要因や資源の枯渇といった問題もなく、また、放射性物質等の有害廃棄物の排出やその処理問題もない点で、エネルギーや環境の諸問題を一掃しうる理想的な動力源装置であるといえる。
【発明を実施するための最良の形態】
【０００６】
本発明の実施形態を述べると、請求項1は、ロケットエンジンとガスタービンとを結合し組み合わせた動力源装置であり、ロケットエンジンでの燃焼による噴流でガスタービンを作動させて仕事をさせる動力源装置である。
【０００７】
請求項2では、水素燃料のロケットエンジン（1）での燃焼による噴流で、ガスタービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置である。動力装置の利用例としては、発電装置や船舶のスクリューなど。
【０００８】
請求項3では、水素燃料のロケットエンジン（1）での燃焼による噴流で、ガスタービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法である。従って、動力源とする一方で当該装置の燃料及びその酸化剤をも生産するので永続的に装置が作動する。
【０００９】
請求項4では、水素燃料のロケットエンジン（8）での燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置である。動力装置の利用例としては、発電装置や船舶のスクリューなど。
【００１０】
請求項5では、水素燃料のロケットエンジン（8）での燃焼による噴流で、ガスタービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置の運転方法である。従って、動力源とする一方で当該装置の燃料及びその酸化剤をも生産するので永続的に装置が作動する。
【００１１】
請求項６では、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置である。動力装置の利用例としては、発電装置や船舶のスクリューなど。
【００１２】
請求項7では、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置の運転方法である。従って、動力源とする一方で当該装置の燃料及びその酸化剤をも生産するので永続的に装置が作動する。
【００１３】
請求項８は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置である。動力装置の利用例としては、発電装置や船舶のスクリューなど。
【００１４】
請求項9は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置の運転方法である。従って、動力源とする一方で当該装置の燃料及びその酸化剤をも生産するので永続的に装置が作動する。
【００１５】
請求項10は、請求項2記載の動力源装置に、さらに水よりも低い沸点の液体であるアンモニアを利用した装置を組み合わせたもので、水素を燃焼させて水素燃料のロケットエンジン（27）側のガスタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し液化するという動力源装置である。動力装置の利用例としては、発電装置など。  
【００１６】
請求項11は、請求項2記載の動力源装置に、さらに水よりも低い沸点の液体であるアンモニアを利用した装置を組み合わせたもので、水素を燃焼させて水素燃料のロケットエンジン（27）側のガスタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し、液化するという動力源装置の運転方法である。従って、動力源とする一方で当該装置の燃料及びその酸化剤をも生産するので永続的に装置が作動する。
【００１７】
請求項12は、請求項4記載の動力源装置に、さらに水よりも低い沸点の液体であるアンモニアを利用した装置を組み合わせたもので、水素を燃焼させて水素燃料のロケットエンジン（37）側のガスタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置である。動力装置の利用例としては、発電装置など。
【００１８】
請求項13は、請求項4記載の動力源装置に、さらに水よりも低い沸点の液体であるアンモニアを利用した装置を組み合わせたもので、水素を燃焼させて水素燃料のロケットエンジン（37）側のガスタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置の運転方法である。従って、動力源とする一方で当該装置の燃料及びその酸化剤をも生産するので永続的に装置が作動する。
【００１９】
請求項14は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置である。動力装置の利用例としては、発電装置など。
【００２０】
請求項15は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置の運転方法である。従って、動力源とする一方で当該装置の燃料及びその酸化剤をも生産するので永続的に装置が作動する。
【００２１】
請求項16は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置である。動力装置の利用例としては、発電装置など。
【００２２】
請求項１７は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置の運転方法である。従って、動力源とする一方で当該装置の燃料及びその酸化剤をも生産するので永続的に装置が作動する。
【００２３】
請求項18は水素燃料のロケットエンジン（75）での燃焼による噴流でガスタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電装置である。、
【００２４】
請求項19は、水素燃料のロケットエンジン（75）での燃焼による噴流でガスタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電方法である。従って、発電をする一方で当該装置の燃料及びその酸化剤をも生産するので永続的に装置が作動する。
【００２５】
請求項20は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電装置である。
【００２６】
請求項21は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電方法である。従って、発電をする一方で当該装置の燃料及びその酸化剤をも生産するので永続的に装置が作動する。
【００２７】
請求項22は、水素燃料のロケットエンジン（88）での燃焼による噴流でガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電装置である。      
【００２８】
請求項23は、水素燃料のロケットエンジン（88）での燃焼による噴流でガスタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電方法である。従って、発電をする一方で当該装置の燃料及びその酸化剤をも生産するので永続的に装置が作動する。
【００２９】
請求項24は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電装置である。
【００３０】
請求項25は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電方法である。従って、発電をする一方で当該装置の燃料及びその酸化剤をも生産するので永続的に装置が作動する。
【００３１】
請求項26は、水素燃料のロケットエンジン（101）での燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置である。動力装置の利用例としては、発電装置など。
【００３２】
請求項27は、水素燃料のロケットエンジン（101）での燃焼による噴流でガスタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置の運転方法である。従って、動力源とする一方で当該装置の燃料及びその酸化剤をも生産するので永続的に装置が作動する。
【００３３】
請求項28は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置である。動力装置の利用例としては、発電装置など。
【００３４】
請求項29は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置の運転方法である。従って、動力源とする一方で当該装置の燃料及びその酸化剤をも生産するので永続的に装置が作動する。
【００３５】
請求項30は、水素燃料のロケットエンジン（120）での燃焼による噴流で、ガスタービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置である。動力装置の利用例としては、発電装置や船舶のスクリューなど。
【００３６】
請求項31は、水素燃料のロケットエンジン（120）での燃焼による噴流で、ガスタービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法である。従って、動力源とする一方で当該装置の燃料をも生産するので永続的に装置が作動する。
【００３７】
請求項32は、水素燃料のロケットエンジン（127）での燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置である。動力装置の利用例としては、発電装置や船舶のスクリューなど。
【００３８】
請求項33は、水素燃料のロケットエンジン（127）での燃焼による噴流で、ガスタービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置の運転方法である。従って、動力源とする一方で当該装置の燃料をも生産するので永続的に装置が作動する。
【００３９】
請求項34では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置である。動力装置の利用例としては、発電装置や船舶のスクリューなど。
【００４０】
請求項35では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置の運転方法である。従って、動力源とする一方で当該装置の燃料をも生産するので永続的に装置が作動する。
【００４１】
請求項36では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置である。動力装置の利用例としては、発電装置や船舶のスクリューなど。
【００４２】
請求項37では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置の運転方法である。従って、動力源とする一方で当該装置の燃料をも生産するので永続的に装置が作動する。
【００４３】
請求項38では、請求項30載の動力源装置に、さらに水よりも低い沸点の液体であるアンモニアを利用した装置を組み合わせたもので、水素を燃焼させて水素燃料のロケットエンジン（146）側のガスタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し、液化するという動力源装置である。動力装置の利用例としては発電装置など。
【００４４】
請求項39では、請求項30記載の動力源装置に、さらに水よりも低い沸点の液体であるアンモニアを利用した装置を組み合わせたもので、水素を燃焼させて水素燃料のロケットエンジン（146）側のガスタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し液化するという動力源装置の運転方法である。従って、動力源とする一方で当該装置の燃料をも生産するので永続的に装置が作動する。
【００４５】
請求項40は、請求項32記載の動力源装置に、さらに水よりも低い沸点の液体であるアンモニアを利用した装置を組み合わせたもので、水素を燃焼させて水素燃料のロケットエンジン（156）側のガスタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置である。動力装置の利用例としては、発電装置など。
【００４６】
請求項41は、請求項32記載の動力源装置に、さらに水よりも低い沸点の液体であるアンモニアを利用した装置を組み合わせたもので、水素を燃焼させて水素燃料のロケットエンジン（156）側のガスタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置の運転方法である。従って、動力源とする一方で当該装置の燃料をも生産するので永続的に装置が作動する。
【００４７】
請求項42は、請求項34記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置である。動力装置の利用例としては、発電装置など。
【００４８】
請求項43は、請求項34記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置の運転方法である。従って、動力源とする一方で当該装置の燃料をも生産するので永続的に装置が作動する。
【００４９】
請求項44は、請求項36記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置である。動力装置の利用例としては、発電装置など。
【００５０】
請求項45は、請求項36記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置の運転方法である。従って、動力源とする一方で当該装置の燃料をも生産するので永続的に装置が作動する。
【００５１】
請求項46は、水素燃料のロケットエンジン（194）での燃焼による噴流でガスタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電装置である。
【００５２】
請求項47は、水素燃料のロケットエンジン（194）での燃焼による噴流でガスタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電方法である。従って、発電をする一方で当該装置の燃料をも生産するので永続的に装置が作動する。
【００５３】
請求項48は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電装置である。
【００５４】
請求項49は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電方法である。従って、発電をする一方で当該装置の燃料をも生産するので永続的に装置が作動する。
【００５５】
請求項50は、水素燃料のロケットエンジン（207）での燃焼による噴流でガスタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電装置である。
【００５６】
請求項51は、水素燃料のロケットエンジン（207）での燃焼による噴流でガスタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電方法である。従って、発電をする一方で当該装置の燃料をも生産するので永続的に装置が作動する。
【００５７】
請求項52は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電装置である。
【００５８】
請求項53は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電方法である。従って、発電をする一方で当該装置の燃料をも生産するので永続的に装置が作動する。
【００５９】
請求項54は、水素燃料のロケットエンジン（220）での燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置である。動力装置の利用例としては、発電装置など。
【００６０】
請求項55は、水素燃料のロケットエンジン（220）での燃焼による噴流でガスタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置の運転方法である。従って、動力源とする一方で当該装置の燃料をも生産するので永続的に装置が作動する。
【００６１】
請求項56は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置である。動力装置の利用例としては、発電装置など。
【００６２】
請求項57は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置の運転方法である。従って、動力源とする一方で当該装置の燃料をも生産するので永続的に装置が作動する。
【００６３】
請求項58は、液体水素燃料のロケットエンジン（253）での燃焼による噴流で、ガスタービン（254）を作動させ、発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置である。動力装置の利用例としては、発電装置や船舶のスクリューなど。
【００６４】
請求項59は、液体水素燃料のロケットエンジン（253）での燃焼による噴流で、ガスタービン（254）を作動させ、発電機（255）で発電した電気で水の電気分解装置（256）内の電気伝導性を有する水溶液を電気分解し、そこで得られた水素と酸素を液化装置（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法である。従って、動力源とする一方で当該装置の燃料及びその酸化剤をも生産するので永続的に装置が作動する。
【００６５】
請求項60は、液体水素燃料のロケットエンジン（262）での燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用するという動力源装置である。動力装置の利用例としては、発電装置や船舶のスクリューなど。
【００６６】
請求項61は、液体水素燃料のロケットエンジン（262）での燃焼による噴流で、ガスタービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置（269）及び（270）に通して液体水素燃料のロケットエンジン（262）の燃料及び液体水素の酸化剤として利用するという動力源装置の運転方法である。従って、動力源とする一方で当該装置の燃料及びその酸化剤をも生産するので永続的に装置が作動する。
【００６７】
請求項62は、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置である。動力装置の利用例としては、発電装置や船舶のスクリューなど。
【００６８】
請求項63は、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置の運転方法である。従って、動力源とする一方で当該装置の燃料及びその酸化剤をも生産するので永続的に装置が作動する。
【００６９】
請求項64は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用するという動力源装置である。動力装置の利用例としては、発電装置や船舶のスクリューなど。
【００７０】
請求項65は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置（285）及び（286）に通して燃焼室（360）に導き液体水素燃料のガスタービン（279）の燃料及び液体水素の酸化剤として利用するという動力源装置の運転方法である。従って、動力源とする一方で当該装置の燃料及びその酸化剤をも生産するので永続的に装置が作動する。
【００７１】
請求項66は、液体水素燃料のロケットエンジン（294）での燃焼による噴流で、ガスタービン（295）を作動させ、発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置である。動力装置の利用例としては、発電装置や船舶のスクリューなど。
【００７２】
請求項67は、液体水素燃料のロケットエンジン（294）での燃焼による噴流で、ガスタービン（295）を作動させ、発電機（296）で発電した電気で水の電気分解装置（297）内の電気伝導性を有する水溶液を電気分解し、そこで得られた水素を液化装置（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法である。従って、動力源とする一方で当該装置の燃料をも生産するので永続的に装置が作動する。
【００７３】
請求項68は、液体水素燃料のロケットエンジン（302）での燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用するという動力源装置である。動力装置の利用例としては、発電装置や船舶のスクリューなど。
【００７４】
請求項69は、液体水素燃料のロケットエンジン（302）での燃焼による噴流で、ガスタービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置（309）に通して液体水素燃料のロケットエンジン（302）の燃料として利用するという動力源装置の運転方法である。従って、動力源とする一方で当該装置の燃料をも生産するので永続的に装置が作動する。
【００７５】
請求項70は、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置である。動力装置の利用例としては、発電装置や船舶のスクリューなど。
【００７６】
請求項71は、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置の運転方法である。従って、動力源とする一方で当該装置の燃料をも生産するので永続的に装置が作動する。
【００７７】
請求項72は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用するという動力源装置である。動力装置の利用例としては、発電装置や船舶のスクリューなど。
【００７８】
請求項73は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置（323）に通して燃焼室（362）に導き液体水素燃料のガスタービン（317）の燃料として利用するという動力源装置の運転方法である。従って、動力源とする一方で当該装置の燃料をも生産するので永続的に装置が作動する。
【００７９】
請求項74は、請求項2、4、6、8、10、12、14、16、26，28、30、32、34、36、38、40、42、44、54、56、58、60、62、64、66、68、70、72のいずれかに記載の動力源装置、請求項18、20、22、24、46、48、50、52のいずれかに記載の発電装置を水素と酸素の増殖炉として利用するもので、当該装置の作動中に、消費される水素や酸素量よりも、生産される水素や酸素量が上回った分を他の分野で利用することを目的とした水素と酸素の製造装置である。
【００８０】
請求項75は、請求項2、4、6、8、10、12、14、16、26，28、30、32、34、36、38、40、42、44、54、56、58、60、62、64、66、68、70、72のいずれかに記載の動力源装置、請求項18、20、22、24、46、48、50、52のいずれかに記載の発電装置を水素と酸素の増殖炉として利用するもので、当該装置の作動中に、消費される水素や酸素量よりも、生産される水素や酸素量が上回った分を他の分野で利用することを目的とした水素と酸素の製造方法である。
【図面の簡単な説明】
【００８１】
【図１】本発明のシステムフロー図
【図２】本発明のシステムフロー図
【図３】本発明のシステムフロー図
【図４】本発明のシステムフロー図
【図５】本発明のシステムフロー図
【図６】本発明のシステムフロー図
【図７】本発明のシステムフロー図
【図８】本発明のシステムフロー図
【図９】本発明のシステムフロー図
【図１０】本発明のシステムフロー図
【図１１】本発明のシステムフロー図
【図１２】本発明のシステムフロー図
【図１３】本発明のシステムフロー図
【図１４】本発明のシステムフロー図
【図１５】本発明のシステムフロー図
【図１６】本発明のシステムフロー図
【図１７】本発明のシステムフロー図
【図１８】本発明のシステムフロー図
【図１９】本発明のシステムフロー図
【図２０】本発明のシステムフロー図
【図２１】本発明のシステムフロー図
【図２２】本発明のシステムフロー図
【図２３】本発明のシステムフロー図
【図２４】本発明のシステムフロー図
【図２５】本発明のシステムフロー図
【図２６】本発明のシステムフロー図
【図２７】本発明のシステムフロー図
【図２８】本発明のシステムフロー図
【図２９】本発明のシステムフロー図
【図３０】本発明のシステムフロー図
【図３１】本発明のシステムフロー図
【図３２】本発明のシステムフロー図
【図３３】本発明のシステムフロー図
【図３４】本発明のシステムフロー図
【図３５】本発明のシステムフロー図
【図３６】本発明のシステムフロー図
【符号の説明】
【００８２】
1は水素燃料のロケットエンジン
2はガスタービン
3は発電機
4は水の電気分解装置
5は蒸気発生装置
6は蒸気タービン
7は動力装置
8は水素燃料のロケットエンジン
9はガスタービン
10は動力装置
11は蒸気発生装置
12は蒸気タービン
13は発電機
14は水の電気分解装置
15は水素燃料のガスタービン
16は発電機
17は水の電気分解装置
18は蒸気発生装置
19は蒸気タービン
20は動力装置
21は水素燃料のガスタービン
22は動力装置
23は蒸気発生装置
24は蒸気タービン
25は発電機
26は水の電気分解装置
27は水素燃料のロケットエンジン
28はガスタービン
29は発電機
30は水の電気分解装置
31は蒸気発生装置
32は蒸気タービン
33は動力装置
34は蒸気発生装置
35は蒸気タービン
36は動力装置
37は水素燃料のロケットエンジン
38はガスタービン
39は動力装置
40は蒸気発生装置
41は蒸気タービン
42は発電機
43は水の電気分解装置
44は蒸気発生装置
45は蒸気タービン
46は動力装置
47は水素燃料のガスタービン
48は発電機
49は水の電気分解装置
50は蒸気発生装置
51は蒸気タービン
52は動力装置
53は蒸気発生装置
54は蒸気タービン
55は動力装置
56は水素燃料のガスタービン
57は動力装置
58は蒸気発生装置
59は蒸気タービン
60は発電機
61は水の電気分解装置
62は蒸気発生装置
63は蒸気タービン
64は動力装置
75は水素燃料のロケットエンジン
76はガスタービン
77は発電機
78は水の電気分解装置
79は蒸気発生装置
80は蒸気タービン  
81は発電機
82は水素燃料のガスタービン
83は発電機
84は水の電気分解装置
85は蒸気発生装置
86は蒸気タービン
87は発電機
88は水素燃料のロケットエンジン
89はガスタービン
90は発電機
91は蒸気発生装置
92は蒸気タービン
93は発電機
94は水の電気分解装置
95は水素燃料のガスタービン
96は発電機
97は蒸気発生装置
98は蒸気タービン
99は発電機
100は水の電気分解装置
101は水素燃料のロケットエンジン
102はガスタービン
103は動力装置
104は蒸気発生装置
105は蒸気タービン
106は動力装置
107は蒸気発生装置
108は蒸気タービン
109は発電機
110は水の電気分解装置
111は水素燃料のガスタービン
112は動力装置
113は蒸気発生装置
114は蒸気タービン
115は動力装置
116は蒸気発生装置
117は蒸気タービン
118は発電機
119は水の電気分解装置
120は水素燃料のロケットエンジン
121はガスタービン
122は発電機
123は水の電気分解装置
124は蒸気発生装置
125は蒸気タービン
126は動力装置
127は水素燃料のロケットエンジン
128はガスタービン
129は動力装置
130は蒸気発生装置
131は蒸気タービン
132は発電機
133は水の電気分解装置
134は水素燃料のガスタービン
135は発電機
136は水の電気分解装置
137は蒸気発生装置
138は蒸気タービン
139は動力装置
140は水素燃料のガスタービン
141は動力装置
142は蒸気発生装置
143は蒸気タービン
144は発電機
145は水の電気分解装置
146は水素燃料のロケットエンジン
147はガスタービン
148は発電機
149は水の電気分解装置
150は蒸気発生装置
151は蒸気タービン
152は動力装置
153は蒸気発生装置
154は蒸気タービン
155は動力装置
156は水素燃料のロケットエンジン
157はガスタービン
158は動力装置
159は蒸気発生装置
160は蒸気タービン
161は発電機
162は水の電気分解装置
163は蒸気発生装置
164は蒸気タービン
165は動力装置
166は水素燃料のガスタービン
167は発電機
168は水の電気分解装置
169は蒸気発生装置
170は蒸気タービン
171は動力装置
172は蒸気発生装置
173は蒸気タービン
174は動力装置
175は水素燃料のガスタービン
176は動力装置
177は蒸気発生装置
178は蒸気タービン
179は発電機
180は水の電気分解装置
181は蒸気発生装置
182は蒸気タービン
183は動力装置
194は水素燃料のロケットエンジン
195はガスタービン
196は発電機
197は水の電気分解装置
198は蒸気発生装置
199は蒸気タービン
200は発電機
201は水素燃料のガスタービン
202は発電機
203は水の電気分解装置
204は蒸気発生装置
205は蒸気タービン
206は発電機
207は水素燃料のロケットエンジン
208はガスタービン
209は発電機
210は蒸気発生装置
211は蒸気タービン
212は発電機
213は水の電気分解装置
214は水素燃料のガスタービン
215は発電機
216は蒸気発生装置
217は蒸気タービン
218は発電機
219は水の電気分解装置
220は水素燃料のロケットエンジン
221はガスタービン
222は動力装置
223は蒸気発生装置
224は蒸気タービン
225は動力装置
226は蒸気発生装置
227は蒸気タービン
228は発電機
229は水の電気分解装置
230は水素燃料のガスタービン
231は動力装置
232は蒸気発生装置
233は蒸気タービン
234は動力装置
235は蒸気発生装置
236は蒸気タービン
237は発電機
238は水の電気分解装置
239は凝縮装置
240は凝縮装置
241は凝縮装置
242は凝縮装置
244は凝縮装置
245は凝縮装置
246は凝縮装置
247は凝縮装置
248は凝縮装置
249は凝縮装置
251は凝縮装置
252は凝縮装置
253は液体水素燃料のロケットエンジン
254はガスタービン
255は発電機
256は水の電気分解装置
257は液化装置
258は液化装置
259は蒸気発生装置
260は蒸気タービン
261は動力装置
262は液体水素燃料のロケットエンジン
263はガスタービン
264は動力装置
265は蒸気発生装置
266は蒸気タービン
267は発電機
268は水の電気分解装置
269は液化装置
270は液化装置
271は液体水素燃料のガスタービン
272は発電機
273は水の電気分解装置
274は液化装置
275は液化装置
276は蒸気発生装置
277は蒸気タービン
278は動力装置
279は液体水素燃料のガスタービン
280は動力装置
281は蒸気発生装置
282は蒸気タービン
283は発電機
284は水の電気分解装置
285は液化装置
286は液化装置
294は液体水素燃料のロケットエンジン
295はガスタービン
296は発電機
297は水の電気分解装置
298は液化装置
299は蒸気発生装置
300は蒸気タービン
301は動力装置
302は液体水素燃料のロケットエンジン
303はガスタービン
304は動力装置
305は蒸気発生装置
306は蒸気タービン
307は発電機
308は水の電気分解装置
309は液化装置
310は液体水素燃料のガスタービン
311は発電機
312は水の電気分解装置
313は液化装置
314は蒸気発生装置
315は蒸気タービン
316は動力装置
317は液体水素燃料のガスタービン
318は動力装置
319は蒸気発生装置
320は蒸気タービン
321は発電機
322は水の電気分解装置
323は液化装置
330は制御装置
331は制御装置
332は制御装置
333は制御装置
334は制御装置
335は制御装置
336は制御装置
337は制御装置
340は制御装置
341は制御装置
342は制御装置
343は制御装置
345は燃焼室
346は燃焼室
347は燃焼室
348は燃焼室
349は燃焼室
350は燃焼室
351は燃焼室
352は燃焼室
353は燃焼室
354は燃焼室
355は燃焼室
356は燃焼室
357は燃焼室
358は燃焼室
359は燃焼室
360は燃焼室
361は燃焼室
362は燃焼室
【手続補正３】
【補正対象書類名】図面
【補正対象項目名】全図
【補正方法】変更
【補正の内容】
【図１】
2006233951.tif 000063
【図２】
2006233951.tif 000064
【図３】
2006233951.tif 000065
【図４】
2006233951.tif 000066
【図５】
2006233951.tif 000067
【図６】
2006233951.tif 000068
【図７】
2006233951.tif 000069
【図８】
2006233951.tif 000070
【図９】
2006233951.tif 000071
【図１０】
2006233951.tif 000072
【図１１】
2006233951.tif 000073
【図１２】
2006233951.tif 000074
【図１３】
2006233951.tif 000075
【図１４】
2006233951.tif 000076
【図１５】
2006233951.tif 000077
【図１６】
2006233951.tif 000078
【図１７】
2006233951.tif 000079
【図１８】
2006233951.tif 000080
【図１９】
2006233951.tif 000081
【図２０】
2006233951.tif 000082
【図２１】
2006233951.tif 000083
【図２２】
2006233951.tif 000084
【図２３】
2006233951.tif 000085
【図２４】
2006233951.tif 000086
【図２５】
2006233951.tif 000087
【図２６】
2006233951.tif 000088
【図２７】
2006233951.tif 000089
【図２８】
2006233951.tif 000090
【図２９】
2006233951.tif 000091
【図３０】
2006233951.tif 000092
【図３１】
2006233951.tif 000093
【図３２】
2006233951.tif 000094
【図３３】
2006233951.tif 000095
【図３４】
2006233951.tif 000096
【図３５】
2006233951.tif 000097
【図３６】
2006233951.tif 000098
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
ロケットエンジンと、その燃焼時の噴流で作動するタービンとを結合し組み合わせた動力源装置。
【請求項２】
水素燃料のロケットエンジン（1）での水素の燃焼による噴流で、タービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置。
【請求項３】
水素燃料のロケットエンジン（1）での水素の燃焼による噴流で、タービン（2）を作動させ発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法。
【請求項４】
水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置。
【請求項５】
水素燃料のロケットエンジン（8）での水素の燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用する動力源装置の運転方法。
【請求項６】
燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置。
【請求項７】
燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させて動力源とする動力源装置の運転方法。
【請求項８】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置。
【請求項９】
燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用する動力源装置の運転方法。
【請求項１０】
水素燃料のロケットエンジン（27）での水素の燃焼による噴流でタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置。
【請求項１１】
水素燃料のロケットエンジン（27）での水素の燃焼による噴流でタービン（28）を作動させ発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させて動力源とすると同時に、さらに蒸気タービン（32）の排熱を蒸気発生装置（34）に通し、水よりも低い沸点の液体であるアンモニアの蒸気で蒸気タービン（35）を作動させて動力源とすると同時に、アンモニア蒸気を凝縮装置（239）に通し液化する動力源装置の運転方法。
【請求項１２】
水素燃料のロケットエンジン（37）での水素の燃焼による噴流でタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置。
【請求項１３】
水素燃料のロケットエンジン（37）での水素の燃焼による噴流でタービン（38）を作動させて動力源とすると同時に、燃焼時の排熱を蒸気発生装置（40）に通した蒸気で蒸気タービン（41）を作動させ発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用すると同時に、さらに蒸気タービン（41）の排熱を蒸気発生装置（44）に通し、水よりも低い沸点の液体であるアンモニアの蒸気で蒸気タービン（45）を作動させて動力源とすると同時に、アンモニア蒸気を凝縮装置（240）に通し液化する動力源装置の運転方法。
【請求項１４】
燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置。
【請求項１５】
燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させて動力源とすると同時に、さらに蒸気タービン（51）の排熱を蒸気発生装置（53）に通し、水よりも低い沸点の液体であるアンモニアの蒸気で蒸気タービン（54）を作動させて動力源とすると同時に、アンモニア蒸気を凝縮装置（241）に通し液化する動力源装置の運転方法。
【請求項１６】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置。
【請求項１７】
燃焼室（348）で水素を燃焼させて水素燃料のガスタービン（56）を作動させて動力源とすると同時に、燃焼時の排熱を蒸気発生装置（58）に通した蒸気で蒸気タービン（59）を作動させ発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用すると同時に、さらに蒸気タービン（59）の排熱を蒸気発生装置（62）に通し、水よりも低い沸点の液体であるアンモニアの蒸気で蒸気タービン（63）を作動させて動力源とすると同時に、アンモニア蒸気を凝縮装置（242）に通し液化する動力源装置の運転方法。
【請求項１８】
水素燃料のロケットエンジン（75）での水素の燃焼による噴流でタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電装置。
【請求項１９】
水素燃料のロケットエンジン（75）での水素の燃焼による噴流でタービン（76）を作動させ、発電機（77）で発電した電気で、水の電気分解装置（78）内の電気伝導性を有する水溶液を電気分解し、そこで得られた水素と酸素を水素燃料のロケットエンジン（75）の燃料及び水素の酸化剤として利用すると同時に、燃焼時の排熱を蒸気発生装置（79）に通した蒸気で蒸気タービン（80）を作動させ、発電機（81）で発電する発電方法。
【請求項２０】
燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電装置。
【請求項２１】
燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電する発電方法。
【請求項２２】
水素燃料のロケットエンジン（88）での水素の燃焼による噴流で、タービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電装置。
【請求項２３】
水素燃料のロケットエンジン（88）での水素の燃焼による噴流で、タービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用する発電方法。
【請求項２４】
燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電装置。
【請求項２５】
燃焼室（350）で水素を燃焼させて水素燃料のガスタービン（95）を作動させ発電機（96）で発電すると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用する発電方法。
【請求項２６】
水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置。
【請求項２７】
水素燃料のロケットエンジン（101）での水素の燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化する動力源装置の運転方法。
【請求項２８】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置。
【請求項２９】
燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化する動力源装置の運転方法。
【請求項３０】
水素燃料のロケットエンジン（120）での水素の燃焼による噴流で、タービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置。
【請求項３１】
水素燃料のロケットエンジン（120）での水素の燃焼による噴流で、タービン（121）を作動させ発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法。
【請求項３２】
水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置。
【請求項３３】
水素燃料のロケットエンジン（127）での水素の燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用する動力源装置の運転方法。
【請求項３４】
燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置。
【請求項３５】
燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させて動力源とする動力源装置の運転方法。
【請求項３６】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置。
【請求項３７】
燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用する動力源装置の運転方法。
【請求項３８】
水素燃料のロケットエンジン（146）での水素の燃焼による噴流でタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置。
【請求項３９】
水素燃料のロケットエンジン（146）での水素の燃焼による噴流でタービン（147）を作動させ発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させて動力源とすると同時に、さらに蒸気タービン（151）の排熱を蒸気発生装置（153）に通し、水よりも低い沸点の液体であるアンモニアの蒸気で蒸気タービン（154）を作動させて動力源とすると同時に、アンモニア蒸気を凝縮装置（246）に通し液化する動力源装置の運転方法。
【請求項４０】
水素燃料のロケットエンジン（156）での水素の燃焼による噴流でタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し水よりも低い沸点の液体であるアンモニアの蒸気で蒸気タービン（164）を作動させて動力源とすると同時に、アンモニア蒸気を凝縮装置（247）に通し液化する動力源装置。
【請求項４１】
水素燃料のロケットエンジン（156）での水素の燃焼による噴流でタービン（157）を作動させて動力源とすると同時に、燃焼時の排熱を蒸気発生装置（159）に通した蒸気で蒸気タービン（160）を作動させ発電機（161）で発電した電気で水の電気分解装置（162）内の電気伝導性を有する水溶液を電気分解し、そこで得られた水素を水素燃料のロケットエンジン（156）の燃料として利用すると同時に、さらに蒸気タービン（160）の排熱を蒸気発生装置（163）に通し、水よりも低い沸点の液体であるアンモニアの蒸気で蒸気タービン（164）を作動させて動力源とすると同時に、アンモニア蒸気を凝縮装置（247）に通し液化する動力源装置の運転方法。
【請求項４２】
燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置。
【請求項４３】
燃焼室（354）で水素を燃焼させて水素燃料のガスタービン（166）を作動させ発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させて動力源とすると同時に、さらに蒸気タービン（170）の排熱を蒸気発生装置（172）に通し、水よりも低い沸点の液体であるアンモニアの蒸気で蒸気タービン（173）を作動させて動力源とすると同時に、アンモニア蒸気を凝縮装置（248）に通し液化する動力源装置の運転方法。
【請求項４４】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置。
【請求項４５】
燃焼室（355）で水素を燃焼させて水素燃料のガスタービン（175）を作動させて動力源とすると同時に、燃焼時の排熱を蒸気発生装置（177）に通した蒸気で蒸気タービン（178）を作動させ発電機（179）で発電した電気で水の電気分解装置（180）内の電気伝導性を有する水溶液を電気分解し、そこで得られた水素を燃焼室（355）に導き水素燃料のガスタービン（175）の燃料として利用すると同時に、さらに蒸気タービン（178）の排熱を蒸気発生装置（181）に通し、水よりも低い沸点の液体であるアンモニアの蒸気で蒸気タービン（182）を作動させて動力源とすると同時に、アンモニア蒸気を凝縮装置（249）に通し液化する動力源装置の運転方法。
【請求項４６】
水素燃料のロケットエンジン（194）での水素の燃焼による噴流でタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電する発電装置。
【請求項４７】
水素燃料のロケットエンジン（194）での水素の燃焼による噴流でタービン（195）を作動させ、発電機（196）で発電した電気で、水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電をする発電方法。
【請求項４８】
燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電装置。
【請求項４９】
燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電する発電方法。
【請求項５０】
水素燃料のロケットエンジン（207）での水素の燃焼による噴流で、タービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電装置。  
【請求項５１】
水素燃料のロケットエンジン（207）での水素の燃焼による噴流で、タービン（208）を作動させ、発電機（209）で発電すると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用する発電方法。  
【請求項５２】
燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電装置。  
【請求項５３】
燃焼室（357）で水素を燃焼させて水素燃料のガスタービン（214）を作動させ発電機（215）で発電すると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用する発電方法。
【請求項５４】
水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置。
【請求項５５】
水素燃料のロケットエンジン（220）での水素の燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化する動力源装置の運転方法。
【請求項５６】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置。
【請求項５７】
燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化する動力源装置の運転方法。
【請求項５８】
液体水素燃料のロケットエンジン（253）での液体水素の燃焼による噴流で、タービン（254）を作動させ発電機（255）で発電した電気で水の電気分解装置（256）内の電気伝導性を有する水溶液を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置。
【請求項５９】
液体水素燃料のロケットエンジン（253）での液体水素の燃焼による噴流で、タービン（254）を作動させ発電機（255）で発電した電気で水の電気分解装置（256）内の電気伝導性を有する水溶液を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法。
【請求項６０】
液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置及び貯蔵タンク（269）及び（270）に通して液体水素燃料のロケットエンジン（262）の燃料及び液体水素の酸化剤として利用する動力源装置。
【請求項６１】
液体水素燃料のロケットエンジン（262）での液体水素の燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置及び貯蔵タンク（269）及び（270）に通して液体水素燃料のロケットエンジン（262）の燃料及び液体水素の酸化剤として利用する動力源装置の運転方法。
【請求項６２】
燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置。
【請求項６３】
燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させて動力源とする動力源装置の運転方法。
【請求項６４】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用する動力源装置。
【請求項６５】
燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用する動力源装置の運転方法。
【請求項６６】
液体水素燃料のロケットエンジン（294）での液体水素の燃焼による噴流で、タービン（295）を作動させ発電機（296）で発電した電気で水の電気分解装置（297）内の電気伝導性を有する水溶液を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置。
【請求項６７】
液体水素燃料のロケットエンジン（294）での液体水素の燃焼による噴流で、タービン（295）を作動させ発電機（296）で発電した電気で水の電気分解装置（297）内の電気伝導性を有する水溶液を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法。
【請求項６８】
液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置及び貯蔵タンク（309）に通して液体水素燃料のロケットエンジン（302）の燃料として利用する動力源装置。
【請求項６９】
液体水素燃料のロケットエンジン（302）での液体水素の燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置及び貯蔵タンク（309）に通して液体水素燃料のロケットエンジン（302）の燃料として利用する動力源装置の運転方法。
【請求項７０】
燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させ動力源とする動力源装置。
【請求項７１】
燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とする動力源装置の運転方法。
【請求項７２】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置及び貯蔵タンク（323）に通して燃焼室（362）に導き液体水素燃料のガスタービン（317）の燃料として利用する動力源装置。
【請求項７３】
燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置及び貯蔵タンク（323）に通して燃焼室（362）に導き液体水素燃料のガスタービン（317）の燃料として利用する動力源装置の運転方法。
【請求項７４】
液体水素燃料のロケットエンジン（363）での液体水素の燃焼による噴流で、タービン（364）を作動させ発電機（365）で発電した電気で水の電気分解装置（366）内の電気伝導性を有する水溶液を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置。
【請求項７５】
液体水素燃料のロケットエンジン（363）での液体水素の燃焼による噴流で、タービン（364）を作動させ発電機（365）で発電した電気で水の電気分解装置（366）内の電気伝導性を有する水溶液を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置の運転方法。
【請求項７６】
液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水溶液を電気分解し、そこで得られた水素と酸素を液化装置（381）及び（382）に通して液体水素燃料のロケットエンジン（374）の燃料及び液体水素の酸化剤として利用する動力源装置。
【請求項７７】
液体水素燃料のロケットエンジン（374）での液体水素の燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水溶液を電気分解し、そこで得られた水素と酸素を液化装置（381）及び（382）に通して液体水素燃料のロケットエンジン（374）の燃料及び液体水素の酸化剤として利用する動力源装置の運転方法。
【請求項７８】
燃焼室（385）で液体水素を燃焼させて液体水素燃料のガスタービン（386）を作動させ、発電機（387）で発電した電気で水の電気分解装置（388）内の電気伝導性を有する水溶液を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させて動力源とする動力源装置。
【請求項７９】
燃焼室（385）で液体水素を燃焼させて液体水素燃料のガスタービン（386）を作動させ、発電機（387）で発電した電気で水の電気分解装置（388）内の電気伝導性を有する水溶液を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させて動力源とする動力源装置の運転方法。
【請求項８０】
燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水溶液を電気分解し、そこで得られた水素と酸素を液化装置（403）及び（404）に通して燃焼室（396）に導き液体水素燃料のガスタービン（397）の燃料及び液体水素の酸化剤として利用する動力源装置。
【請求項８１】
燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水溶液を電気分解し、そこで得られた水素と酸素を液化装置（403）及び（404）に通して燃焼室（396）に導き液体水素燃料のガスタービン（397）の燃料及び液体水素の酸化剤として利用する動力源装置の運転方法。
【請求項８２】
液体水素燃料のロケットエンジン（407）での液体水素の燃焼による噴流で、タービン（408）を作動させ発電機（409）で発電した電気で水の電気分解装置（410）内の電気伝導性を有する水溶液を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置。
【請求項８３】
液体水素燃料のロケットエンジン（407）での液体水素の燃焼による噴流で、タービン（408）を作動させ発電機（409）で発電した電気で水の電気分解装置（410）内の電気伝導性を有する水溶液を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置の運転方法。
【請求項８４】
液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水溶液を電気分解し、そこで得られた水素を液化装置（423）に通して液体水素燃料のロケットエンジン（416）の燃料として利用する動力源装置。
【請求項８５】
液体水素燃料のロケットエンジン（416）での液体水素の燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水溶液を電気分解し、そこで得られた水素を液化装置（423）に通して液体水素燃料のロケットエンジン（416）の燃料として利用する動力源装置の運転方法。
【請求項８６】
燃焼室（425）で液体水素を燃焼させて液体水素燃料のガスタービン（426）を作動させ、発電機（427）で発電した電気で水の電気分解装置（428）内の電気伝導性を有する水溶液を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させ動力源とする動力源装置。
【請求項８７】
燃焼室（425）で液体水素を燃焼させて液体水素燃料のガスタービン（426）を作動させ、発電機（427）で発電した電気で水の電気分解装置（428）内の電気伝導性を有する水溶液を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とする動力源装置の運転方法。
【請求項８８】
燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水溶液を電気分解し、そこで得られた水素を液化装置（441）に通して燃焼室（434）に導き液体水素燃料のガスタービン（435）の燃料として利用する動力源装置。
【請求項８９】
燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水溶液を電気分解し、そこで得られた水素を液化装置（441）に通して燃焼室（434）に導き液体水素燃料のガスタービン（435）の燃料として利用する動力源装置の運転方法。
【請求項９０】
請求項2、4、6、8、10、12、14、16、26，28、58、60、62、64、74、76、78、80のいずれかに記載の動力源装置、請求項18、20、22、24のいずれかに記載の発電装置において、電気伝導性を有する水溶液を電気分解して得られる水素及び酸素を当該装置の燃料及び水素の酸化剤以外の目的で製造、使用し、また増殖炉として使用する水素及び酸素の製造装置。
【請求項９１】
請求項2、4、6、8、10、12、14、16、26，28、58、60、62、64、74、76、78、80、のいずれかに記載の動力源装置、請求項18、20、22、24のいずれかに記載の発電装置において、電気伝導性を有する水溶液を電気分解して得られる水素及び酸素を当該装置の燃料及び水素の酸化剤以外の目的で製造、使用し、また増殖炉として使用する水素及び酸素の製造方法。
【手続補正２】
【補正対象書類名】明細書
【補正対象項目名】全文
【補正方法】変更
【補正の内容】
【発明の詳細な説明】
【技術分野】
【０００１】
本発明は、基本的には、水素を燃料とするロケットエンジンで水素を燃焼させ、タービンを作動させて発電した電気で電気伝導性を有する水溶液を電気分解し、そこで得られた水素と酸素を水素を燃料とするロケットエンジンの燃料及び水素の酸化剤として利用すると同時に、燃焼時の排熱で蒸気タービンを作動させ、発電又は動力源とする運転方法および動力源装置に関するものである。
【背景技術】
【０００２】
従来の発電装置や動力源装置では、燃料に石油や天然ガスなどの化石燃料等を使用しており、その燃焼に伴い、地球温暖化の原因である二酸化炭素を排出し、また、窒素酸化物や硫黄酸化物等の大気汚染物質も排出し、深刻な環境問題を引き起こしており、さらに、燃料となる資源の枯渇という問題もあった。
【非特許文献１】佐藤正知、蛭沢重信著「図解雑学  エネルギー」（ナツメ社）2001年7月20日発行、第94頁から第95ページ、第102ページから第103ページ、第130頁から第131頁
【発明の開示】
【発明が解決しようとする課題】
【０００３】
したがって従来の技術では避けて通ることができなかった課題である二酸化炭素や大気汚染物質の排出や、また、従来の技術では資源の枯渇という課題もあった。本発明は、こうした環境問題や資源問題等の諸問題を一掃するために発明されたものである。
【課題を解決するための手段】
【０００４】
上記課題を解決するための手段としては、従来の化石燃料の代わりに、地球上に大量に存在する水を使用し、装置を作動させる過程で発電した電気で水を電気分解し、そこで得られた水素と酸素を当該装置を作動させる燃料及び水素の酸化剤として利用し、この繰り返しで永続的に装置を作動させる。そのために二酸化炭素や大気汚染物質の排出もなく、また、その場で当該装置の燃料及びその酸化剤を生産するため、燃料の供給不能や枯渇する問題もなくなるものと思われる。
【発明の効果】
【０００５】
本発明の効果は、水素を燃料としているので燃焼しても二酸化炭素や大気汚染物質の排出はなく、また、装置が作動している間に、同時進行で当該装置の燃料となる水素を水の電気分解によって生産し、それを燃料として利用しているので、燃料供給の不安定要因や資源の枯渇といった問題もなく、また、放射性物質等の有害廃棄物の排出やその処理問題もない点で、エネルギーや環境の諸問題を一掃しうる理想的な動力源装置であるといえる。
【発明を実施するための最良の形態】
【０００６】
本発明の実施形態を述べると、請求項1は、ロケットエンジンとタービンとを結合し組み合わせた動力源装置であり、ロケットエンジンでの燃焼による噴流でタービンを作動させて仕事をさせる動力源装置である。
【０００７】
請求項2では、水素燃料のロケットエンジン（1）での燃焼による噴流で、タービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置である。動力装置の利用例としては、発電装置や船舶のスクリューなど。
【０００８】
請求項3では、水素燃料のロケットエンジン（1）での燃焼による噴流で、タービン（2）を作動させ、発電機（3）で発電した電気で水の電気分解装置（4）内の電気伝導性を有する水溶液を電気分解し、そこで得られた水素と酸素を水素燃料のロケットエンジン（1）の燃料及び水素の酸化剤として利用すると同時に、燃焼時の排熱を蒸気発生装置（5）に通した蒸気で蒸気タービン（6）を作動させ動力源とする動力源装置の運転方法である。従って、動力源とする一方で当該装置の燃料及びその酸化剤をも生産するので永続的に装置が作動する。
【０００９】
請求項4では、水素燃料のロケットエンジン（8）での燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置である。動力装置の利用例としては、発電装置や船舶のスクリューなど。
【００１０】
請求項5では、水素燃料のロケットエンジン（8）での燃焼による噴流で、タービン（9）を作動させ動力源とすると同時に、燃焼時の排熱を蒸気発生装置（11）に通した蒸気で蒸気タービン（12）を作動させ、発電機（13）で発電した電気で水の電気分解装置（14）内の電気伝導性を有する水溶液を電気分解し、そこで得られた水素と酸素を水素燃料のロケットエンジン（8）の燃料及び水素の酸化剤として利用するという動力源装置の運転方法である。従って、動力源とする一方で当該装置の燃料及びその酸化剤をも生産するので永続的に装置が作動する。
【００１１】
請求項６では、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置である。動力装置の利用例としては、発電装置や船舶のスクリューなど。
【００１２】
請求項7では、燃焼室（345）で水素を燃焼させて水素燃料のガスタービン（15）を作動させ、発電機（16）で発電した電気で水の電気分解装置（17）内の電気伝導性を有する水溶液を電気分解し、そこで得られた水素と酸素を燃焼室（345）に導き水素燃料のガスタービン（15）の燃料及び水素の酸化剤として利用すると同時に、燃焼時の排熱を蒸気発生装置（18）に通した蒸気で蒸気タービン（19）を作動させ動力源とするという動力源装置の運転方法である。従って、動力源とする一方で当該装置の燃料及びその酸化剤をも生産するので永続的に装置が作動する。
【００１３】
請求項８は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置である。動力装置の利用例としては、発電装置や船舶のスクリューなど。
【００１４】
請求項9は、燃焼室（346）で水素を燃焼させて水素燃料のガスタービン（21）を作動させ動力源とすると同時に、燃焼時の排熱を蒸気発生装置（23）に通した蒸気で蒸気タービン（24）を作動させ、発電機（25）で発電した電気で水の電気分解装置（26）内の電気伝導性を有する水溶液を電気分解し、そこで得られた水素と酸素を燃焼室（346）に導き水素燃料のガスタービン（21）の燃料及び水素の酸化剤として利用するという動力源装置の運転方法である。従って、動力源とする一方で当該装置の燃料及びその酸化剤をも生産するので永続的に装置が作動する。
【００１５】
請求項10は、請求項2記載の動力源装置に、さらに水よりも低い沸点の液体であるアンモニアを利用した装置を組み合わせたもので、水素を燃焼させて水素燃料のロケットエンジン（27）側のタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し液化するという動力源装置である。動力装置の利用例としては、発電装置など。  
【００１６】
請求項11は、請求項2記載の動力源装置に、さらに水よりも低い沸点の液体であるアンモニアを利用した装置を組み合わせたもので、水素を燃焼させて水素燃料のロケットエンジン（27）側のタービン（28）を作動させ、発電機（29）で発電した電気で水の電気分解装置（30）内の電気伝導性を有する水溶液を電気分解し、そこで得られた水素と酸素を水素燃料のロケットエンジン（27）の燃料及び水素の酸化剤として利用すると同時に、燃焼時の排熱を蒸気発生装置（31）に通した蒸気で蒸気タービン（32）を作動させ動力源とすると同時に、さらに、蒸気タービン（32）の排熱を蒸気発生装置（34）に通し、水よりも低い沸点の液体であるアンモニアの蒸気で、もう一方の蒸気タービン（35）を作動させ動力源として利用すると同時に、アンモニア蒸気を凝縮装置（239）に通し、液化するという動力源装置の運転方法である。従って、動力源とする一方で当該装置の燃料及びその酸化剤をも生産するので永続的に装置が作動する。
【００１７】
請求項12は、請求項4記載の動力源装置に、さらに水よりも低い沸点の液体であるアンモニアを利用した装置を組み合わせたもので、水素を燃焼させて水素燃料のロケットエンジン（37）側のタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置である。動力装置の利用例としては、発電装置など。
【００１８】
請求項13は、請求項4記載の動力源装置に、さらに水よりも低い沸点の液体であるアンモニアを利用した装置を組み合わせたもので、水素を燃焼させて水素燃料のロケットエンジン（37）側のタービン（38）を作動させ動力源とすると同時に、燃焼時の排熱を蒸気発生装置（40）に通した蒸気で蒸気タービン（41）を作動させ、発電機（42）で発電した電気で水の電気分解装置（43）内の電気伝導性を有する水溶液を電気分解し、そこで得られた水素と酸素を水素燃料のロケットエンジン（37）の燃料及び水素の酸化剤として利用し、さらに、蒸気タービン（41）の排熱を蒸気発生装置（44）に通し、水よりも低い沸点の液体であるアンモニアの蒸気で、もう一方の蒸気タービン（45）を作動させ動力源として利用すると同時に、アンモニア蒸気を凝縮装置（240）に通し液化するという動力源装置の運転方法である。従って、動力源とする一方で当該装置の燃料及びその酸化剤をも生産するので永続的に装置が作動する。
【００１９】
請求項14は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置である。動力装置の利用例としては、発電装置など。
【００２０】
請求項15は、請求項6記載の動力源装置に、さらに水よりも低い沸点の液体であるアンモニアを利用した装置を組み合わせたもので、燃焼室（347）で水素を燃焼させて水素燃料のガスタービン（47）を作動させ発電機（48）で発電した電気で水の電気分解装置（49）内の電気伝導性を有する水溶液を電気分解し、そこで得られた水素と酸素を燃焼室（347）に導き水素燃料のガスタービン（47）の燃料及び水素の酸化剤として利用すると同時に、燃焼時の排熱を蒸気発生装置（50）に通した蒸気で蒸気タービン（51）を作動させ動力源とすると同時に、さらに、蒸気タービン（51）の排熱を蒸気発生装置（53）に通し、水よりも低い沸点の液体であるアンモニアの蒸気で、もう一方の蒸気タービン（54）を作動させ動力源として利用すると同時に、アンモニア蒸気を凝縮装置（241）に通し液化するという動力源装置の運転方法である。従って、動力源とする一方で当該装置の燃料及びその酸化剤をも生産するので永続的に装置が作動する。
【００２１】
請求項16は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置である。動力装置の利用例としては、発電装置など。
【００２２】
請求項１７は、請求項8記載の動力源装置に、さらに水よりも低い沸点の液体であるアンモニアを利用した装置を組み合わせたもので、燃焼室（348）で水素を燃焼させて水素燃料のガスタービン（56）を作動させ動力源とすると同時に、燃焼時の排熱を蒸気発生装置（58）に通した蒸気で蒸気タービン（59）を作動させ、発電機（60）で発電した電気で水の電気分解装置（61）内の電気伝導性を有する水溶液を電気分解し、そこで得られた水素と酸素を燃焼室（348）に導き水素燃料のガスタービン（56）の燃料及び水素の酸化剤として利用し、さらに、蒸気タービン（59）の排熱を蒸気発生装置（62）に通し、水よりも低い沸点の液体であるアンモニアの蒸気で、もう一方の蒸気タービン（63）を作動させ動力源として利用すると同時に、アンモニア蒸気を凝縮装置（242）に通し液化するという動力源装置の運転方法である。従って、動力源とする一方で当該装置の燃料及びその酸化剤をも生産するので永続的に装置が作動する。
【００２３】
請求項18は水素燃料のロケットエンジン（75）での燃焼による噴流でタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電装置である。、
【００２４】
請求項19は、水素燃料のロケットエンジン（75）での燃焼による噴流でタービン（76）を作動させ、発電機（77）で発電した電気で水の電気分解装置（78）内の電気伝導性を有する水溶液を電気分解し、そこで得られた水素と酸素を水素燃料のロケットエンジン（75）の燃料及び水素の酸化剤として利用する一方で、燃焼時の排熱を蒸気発生装置（79）に通した蒸気で蒸気タービン（80）を作動させ、発電機（81）で発電するという発電方法である。従って、発電をする一方で当該装置の燃料及びその酸化剤をも生産するので永続的に装置が作動する。
【００２５】
請求項20は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電装置である。
【００２６】
請求項21は、燃焼室（349）で水素を燃焼させて水素燃料のガスタービン（82）を作動させ、発電機（83）で発電した電気で水の電気分解装置（84）内の電気伝導性を有する水溶液を電気分解し、そこで得られた水素と酸素を燃焼室（349）に導き水素燃料のガスタービン（82）の燃料及び水素の酸化剤として利用すると同時に、燃焼時の排熱を蒸気発生装置（85）に通した蒸気で蒸気タービン（86）を作動させ、発電機（87）で発電するという発電方法である。従って、発電をする一方で当該装置の燃料及びその酸化剤をも生産するので永続的に装置が作動する。
【００２７】
請求項22は、水素燃料のロケットエンジン（88）での燃焼による噴流でタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電装置である。      
【００２８】
請求項23は、水素燃料のロケットエンジン（88）での燃焼による噴流でタービン（89）を作動させ、発電機（90）で発電すると同時に、燃焼時の排熱を蒸気発生装置（91）に通した蒸気で蒸気タービン（92）を作動させ、発電機（93）で発電した電気で水の電気分解装置（94）内の電気伝導性を有する水溶液を電気分解し、そこで得られた水素と酸素を水素燃料のロケットエンジン（88）の燃料及び水素の酸化剤として利用するという発電方法である。従って、発電をする一方で当該装置の燃料及びその酸化剤をも生産するので永続的に装置が作動する。
【００２９】
請求項24は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電装置である。
【００３０】
請求項25は、燃焼室（350）で水素を燃焼させて水素燃料のガスタービン（95）を作動させ、発電機（96）で発電をすると同時に、燃焼時の排熱を蒸気発生装置（97）に通した蒸気で蒸気タービン（98）を作動させ、発電機（99）で発電した電気で水の電気分解装置（100）内の電気伝導性を有する水溶液を電気分解し、そこで得られた水素と酸素を燃焼室（350）に導き水素燃料のガスタービン（95）の燃料及び水素の酸化剤として利用するという発電方法である。従って、発電をする一方で当該装置の燃料及びその酸化剤をも生産するので永続的に装置が作動する。
【００３１】
請求項26は、水素燃料のロケットエンジン（101）での燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置である。動力装置の利用例としては、発電装置など。
【００３２】
請求項27は、水素燃料のロケットエンジン（101）での燃焼による噴流でタービン（102）を作動させ動力源とすると同時に、燃焼時の排熱を蒸気発生装置（104）に通した蒸気で蒸気タービン（105）を作動させ動力源とすると同時に、さらに、蒸気タービン（105）の排熱を蒸気発生装置（107）に通し、水よりも低い沸点の液体であるアンモニアの蒸気で蒸気タービン（108）を作動させ、発電機（109）で発電した電気で水の電気分解装置（110）内の電気伝導性を有する水溶液を電気分解し、そこで得られた水素と酸素を水素燃料のロケットエンジン（101）の燃料及び水素の酸化剤として利用すると同時に、アンモニア蒸気を凝縮装置（244）に通し液化するという動力源装置の運転方法である。従って、動力源とする一方で当該装置の燃料及びその酸化剤をも生産するので永続的に装置が作動する。
【００３３】
請求項28は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置である。動力装置の利用例としては、発電装置など。
【００３４】
請求項29は、燃焼室（351）で水素を燃焼させて水素燃料のガスタービン（111）を作動させ動力源とすると同時に、燃焼時の排熱を蒸気発生装置（113）に通した蒸気で蒸気タービン（114）を作動させ動力源とすると同時に、さらに、蒸気タービン（114）の排熱を蒸気発生装置（116）に通し、水よりも低い沸点の液体であるアンモニアの蒸気で蒸気タービン（117）を作動させ、発電機（118）で発電した電気で水の電気分解装置（119）内の電気伝導性を有する水溶液を電気分解し、そこで得られた水素と酸素を燃焼室（351）に導き水素燃料のガスタービン（111）の燃料及び水素の酸化剤として利用すると同時に、アンモニア蒸気を凝縮装置（245）に通し液化するという動力源装置の運転方法である。従って、動力源とする一方で当該装置の燃料及びその酸化剤をも生産するので永続的に装置が作動する。
【００３５】
請求項30は、水素燃料のロケットエンジン（120）での燃焼による噴流で、タービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置である。動力装置の利用例としては、発電装置や船舶のスクリューなど。
【００３６】
請求項31は、水素燃料のロケットエンジン（120）での燃焼による噴流で、タービン（121）を作動させ、発電機（122）で発電した電気で水の電気分解装置（123）内の電気伝導性を有する水溶液を電気分解し、そこで得られた水素を水素燃料のロケットエンジン（120）の燃料として利用すると同時に、燃焼時の排熱を蒸気発生装置（124）に通した蒸気で蒸気タービン（125）を作動させ動力源とする動力源装置の運転方法である。従って、動力源とする一方で当該装置の燃料をも生産するので永続的に装置が作動する。
【００３７】
請求項32は、水素燃料のロケットエンジン（127）での燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置である。動力装置の利用例としては、発電装置や船舶のスクリューなど。
【００３８】
請求項33は、水素燃料のロケットエンジン（127）での燃焼による噴流で、タービン（128）を作動させ動力源とすると同時に、燃焼時の排熱を蒸気発生装置（130）に通した蒸気で蒸気タービン（131）を作動させ、発電機（132）で発電した電気で水の電気分解装置（133）内の電気伝導性を有する水溶液を電気分解し、そこで得られた水素を水素燃料のロケットエンジン（127）の燃料として利用するという動力源装置の運転方法である。従って、動力源とする一方で当該装置の燃料をも生産するので永続的に装置が作動する。
【００３９】
請求項34では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置である。動力装置の利用例としては、発電装置や船舶のスクリューなど。
【００４０】
請求項35では、燃焼室（352）で水素を燃焼させて水素燃料のガスタービン（134）を作動させ、発電機（135）で発電した電気で水の電気分解装置（136）内の電気伝導性を有する水溶液を電気分解し、そこで得られた水素を燃焼室（352）に導き水素燃料のガスタービン（134）の燃料として利用すると同時に、燃焼時の排熱を蒸気発生装置（137）に通した蒸気で蒸気タービン（138）を作動させ動力源とするという動力源装置の運転方法である。従って、動力源とする一方で当該装置の燃料をも生産するので永続的に装置が作動する。
【００４１】
請求項36では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置である。動力装置の利用例としては、発電装置や船舶のスクリューなど。
【００４２】
請求項37では、燃焼室（353）で水素を燃焼させて水素燃料のガスタービン（140）を作動させ動力源とすると同時に、燃焼時の排熱を蒸気発生装置（142）に通した蒸気で蒸気タービン（143）を作動させ、発電機（144）で発電した電気で水の電気分解装置（145）内の電気伝導性を有する水溶液を電気分解し、そこで得られた水素を燃焼室（353）に導き水素燃料のガスタービン（140）の燃料として利用するという動力源装置の運転方法である。従って、動力源とする一方で当該装置の燃料をも生産するので永続的に装置が作動する。
【００４３】
請求項38では、請求項30載の動力源装置に、さらに水よりも低い沸点の液体であるアンモニアを利用した装置を組み合わせたもので、水素を燃焼させて水素燃料のロケットエンジン（146）側のタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し、液化するという動力源装置である。動力装置の利用例としては発電装置など。
【００４４】
請求項39では、請求項30記載の動力源装置に、さらに水よりも低い沸点の液体であるアンモニアを利用した装置を組み合わせたもので、水素を燃焼させて水素燃料のロケットエンジン（146）側のタービン（147）を作動させ、発電機（148）で発電した電気で水の電気分解装置（149）内の電気伝導性を有する水溶液を電気分解し、そこで得られた水素を水素燃料のロケットエンジン（146）の燃料として利用すると同時に、燃焼時の排熱を蒸気発生装置（150）に通した蒸気で蒸気タービン（151）を作動させ動力源とすると同時に、さらに、蒸気タービン（151）の排熱を蒸気発生装置（153）に通し、水よりも低い沸点の液体であるアンモニアの蒸気で、もう一方の蒸気タービン（154）を作動させ動力源として利用すると同時に、アンモニア蒸気を凝縮装置（246）に通し液化するという動力源装置の運転方法である。従って、動力源とする一方で当該装置の燃料をも生産するので永続的に装置が作動する。
【００４５】
請求項40は、請求項32記載の動力源装置に、さらに水よりも低い沸点の液体であるアンモニアを利用した装置を組み合わせたもので、水素を燃焼させて水素燃料のロケットエンジン（156）側のタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置である。動力装置の利用例としては、発電装置など。
【００４６】
請求項41は、請求項32記載の動力源装置に、さらに水よりも低い沸点の液体であるアンモニアを利用した装置を組み合わせたもので、水素を燃焼させて水素燃料のロケットエンジン（156）側のタービン（157）を作動させ動力源とすると同時に、燃焼時の排熱を蒸気発生装置（159）に通した蒸気で蒸気タービン（160）を作動させ、発電機（161）で発電した電気で水の電気分解装置（162）内の電気伝導性を有する水溶液を電気分解し、そこで得られた水素を水素燃料のロケットエンジン（156）の燃料として利用し、さらに、蒸気タービン（160）の排熱を蒸気発生装置（163）に通し、水よりも低い沸点の液体であるアンモニアの蒸気で、もう一方の蒸気タービン（164）を作動させ動力源として利用すると同時に、アンモニア蒸気を凝縮装置（247）に通し液化するという動力源装置の運転方法である。従って、動力源とする一方で当該装置の燃料をも生産するので永続的に装置が作動する。
【００４７】
請求項42は、請求項34記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置である。動力装置の利用例としては、発電装置など。
【００４８】
請求項43は、請求項34記載の動力源装置に、さらに水よりも低い沸点の液体であるアンモニアを利用した装置を組み合わせたもので、燃焼室（354）で水素を燃焼させて水素燃料のガスタービン（166）を作動させ、発電機（167）で発電した電気で水の電気分解装置（168）内の電気伝導性を有する水溶液を電気分解し、そこで得られた水素を燃焼室（354）に導き水素燃料のガスタービン（166）の燃料として利用すると同時に、燃焼時の排熱を蒸気発生装置（169）に通した蒸気で蒸気タービン（170）を作動させ動力源とすると同時に、さらに、蒸気タービン（170）の排熱を蒸気発生装置（172）に通し、水よりも低い沸点の液体であるアンモニアの蒸気で、もう一方の蒸気タービン（173）を作動させ動力源として利用すると同時に、アンモニア蒸気を凝縮装置（248）に通し液化するという動力源装置の運転方法である。従って、動力源とする一方で当該装置の燃料をも生産するので永続的に装置が作動する。
【００４９】
請求項44は、請求項36記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置である。動力装置の利用例としては、発電装置など。
【００５０】
請求項45は、請求項36記載の動力源装置に、さらに水よりも低い沸点の液体であるアンモニアを利用した装置を組み合わせたもので、燃焼室（355）で水素を燃焼させて水素燃料のガスタービン（175）を作動させ動力源とすると同時に、燃焼時の排熱を蒸気発生装置（177）に通した蒸気で蒸気タービン（178）を作動させ、発電機（179）で発電した電気で水の電気分解装置（180）内の電気伝導性を有する水溶液を電気分解し、そこで得られた水素を燃焼室（355）に導き水素燃料のガスタービン（175）の燃料として利用し、さらに、蒸気タービン（178）の排熱を蒸気発生装置（181）に通し、水よりも低い沸点の液体であるアンモニアの蒸気で、もう一方の蒸気タービン（182）を作動させ動力源として利用すると同時に、アンモニア蒸気を凝縮装置（249）に通し液化するという動力源装置の運転方法である。従って、動力源とする一方で当該装置の燃料をも生産するので永続的に装置が作動する。
【００５１】
請求項46は、水素燃料のロケットエンジン（194）での燃焼による噴流でタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電装置である。
【００５２】
請求項47は、水素燃料のロケットエンジン（194）での燃焼による噴流でタービン（195）を作動させ、発電機（196）で発電した電気で水の電気分解装置（197）内の電気伝導性を有する水溶液を電気分解し、そこで得られた水素を水素燃料のロケットエンジン（194）の燃料として利用すると同時に、燃焼時の排熱を蒸気発生装置（198）に通した蒸気で蒸気タービン（199）を作動させ、発電機（200）で発電するという発電方法である。従って、発電をする一方で当該装置の燃料をも生産するので永続的に装置が作動する。
【００５３】
請求項48は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電装置である。
【００５４】
請求項49は、燃焼室（356）で水素を燃焼させて水素燃料のガスタービン（201）を作動させ、発電機（202）で発電した電気で水の電気分解装置（203）内の電気伝導性を有する水溶液を電気分解し、そこで得られた水素を燃焼室（356）に導き水素燃料のガスタービン（201）の燃料として利用すると同時に、燃焼時の排熱を蒸気発生装置（204）に通した蒸気で蒸気タービン（205）を作動させ、発電機（206）で発電するという発電方法である。従って、発電をする一方で当該装置の燃料をも生産するので永続的に装置が作動する。
【００５５】
請求項50は、水素燃料のロケットエンジン（207）での燃焼による噴流でタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電装置である。
【００５６】
請求項51は、水素燃料のロケットエンジン（207）での燃焼による噴流でタービン（208）を作動させ、発電機（209）で発電をすると同時に、燃焼時の排熱を蒸気発生装置（210）に通した蒸気で蒸気タービン（211）を作動させ、発電機（212）で発電した電気で水の電気分解装置（213）内の電気伝導性を有する水溶液を電気分解し、そこで得られた水素を水素燃料のロケットエンジン（207）の燃料として利用するという発電方法である。従って、発電をする一方で当該装置の燃料をも生産するので永続的に装置が作動する。
【００５７】
請求項52は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電装置である。
【００５８】
請求項53は、燃焼室（357）で水素を燃焼させて水素燃料のガスタービン（214）を作動させ、発電機（215）で発電をすると同時に、燃焼時の排熱を蒸気発生装置（216）に通した蒸気で蒸気タービン（217）を作動させ、発電機（218）で発電した電気で水の電気分解装置（219）内の電気伝導性を有する水溶液を電気分解し、そこで得られた水素を燃焼室（357）に導き水素燃料のガスタービン（214）の燃料として利用するという発電方法である。従って、発電をする一方で当該装置の燃料をも生産するので永続的に装置が作動する。
【００５９】
請求項54は、水素燃料のロケットエンジン（220）での燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置である。動力装置の利用例としては、発電装置など。
【００６０】
請求項55は、水素燃料のロケットエンジン（220）での燃焼による噴流でタービン（221）を作動させ動力源とすると同時に、燃焼時の排熱を蒸気発生装置（223）に通した蒸気で蒸気タービン（224）を作動させ動力源とすると同時に、さらに、蒸気タービン（224）の排熱を蒸気発生装置（226）に通し、水よりも低い沸点の液体であるアンモニアの蒸気で蒸気タービン（227）を作動させ、発電機（228）で発電した電気で水の電気分解装置（229）内の電気伝導性を有する水溶液を電気分解し、そこで得られた水素を水素燃料のロケットエンジン（220）の燃料として利用すると同時に、アンモニア蒸気を凝縮装置（251）に通し液化するという動力源装置の運転方法である。従って、動力源とする一方で当該装置の燃料をも生産するので永続的に装置が作動する。
【００６１】
請求項56は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置である。動力装置の利用例としては、発電装置など。
【００６２】
請求項57は、燃焼室（358）で水素を燃焼させて水素燃料のガスタービン（230）を作動させ動力源とすると同時に、燃焼時の排熱を蒸気発生装置（232）に通した蒸気で蒸気タービン（233）を作動させ動力源とすると同時に、さらに、蒸気タービン（233）の排熱を蒸気発生装置（235）に通し、水よりも低い沸点の液体であるアンモニアの蒸気で蒸気タービン（236）を作動させ、発電機（237）で発電した電気で水の電気分解装置（238）内の電気伝導性を有する水溶液を電気分解し、そこで得られた水素を燃焼室（358）に導き水素燃料のガスタービン（230）の燃料として利用すると同時に、アンモニア蒸気を凝縮装置（252）に通し液化するという動力源装置の運転方法である。従って、動力源とする一方で当該装置の燃料をも生産するので永続的に装置が作動する。
【００６３】
請求項58は、液体水素燃料のロケットエンジン（253）での燃焼による噴流で、タービン（254）を作動させ、発電機（255）で発電した電気で水の電気分解装置（256）内の電気伝導性を有する水溶液を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置である。動力装置の利用例としては、発電装置や船舶のスクリューなど。
【００６４】
請求項59は、液体水素燃料のロケットエンジン（253）での燃焼による噴流で、タービン（254）を作動させ、発電機（255）で発電した電気で水の電気分解装置（256）内の電気伝導性を有する水溶液を電気分解し、そこで得られた水素と酸素を液化装置及び貯蔵タンク（257）及び（258）に通して液体水素燃料のロケットエンジン（253）の燃料及び液体水素の酸化剤として利用すると同時に、燃焼時の排熱を蒸気発生装置（259）に通した蒸気で蒸気タービン（260）を作動させ動力源とする動力源装置の運転方法である。従って、動力源とする一方で当該装置の燃料及びその酸化剤をも生産するので永続的に装置が作動する。
【００６５】
請求項60は、液体水素燃料のロケットエンジン（262）での燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置及び貯蔵タンク（269）及び（270）に通して液体水素燃料のロケットエンジン（262）の燃料及び液体水素の酸化剤として利用するという動力源装置である。動力装置の利用例としては、発電装置や船舶のスクリューなど。
【００６６】
請求項61は、液体水素燃料のロケットエンジン（262）での燃焼による噴流で、タービン（263）を作動させ動力源とすると同時に、燃焼時の排熱を蒸気発生装置（265）に通した蒸気で蒸気タービン（266）を作動させ、発電機（267）で発電した電気で水の電気分解装置（268）内の電気伝導性を有する水溶液を電気分解し、そこで得られた水素と酸素を液化装置及び貯蔵タンク（269）及び（270）に通して液体水素燃料のロケットエンジン（262）の燃料及び液体水素の酸化剤として利用するという動力源装置の運転方法である。従って、動力源とする一方で当該装置の燃料及びその酸化剤をも生産するので永続的に装置が作動する。
【００６７】
請求項62は、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置である。動力装置の利用例としては、発電装置や船舶のスクリューなど。
【００６８】
請求項63は、燃焼室（359）で液体水素を燃焼させて液体水素燃料のガスタービン（271）を作動させ、発電機（272）で発電した電気で水の電気分解装置（273）内の電気伝導性を有する水溶液を電気分解し、そこで得られた水素と酸素を液化装置及び貯蔵タンク（274）及び（275）に通して燃焼室（359）に導き液体水素燃料のガスタービン（271）の燃料及び液体水素の酸化剤として利用すると同時に、燃焼時の排熱を蒸気発生装置（276）に通した蒸気で蒸気タービン（277）を作動させ動力源とするという動力源装置の運転方法である。従って、動力源とする一方で当該装置の燃料及びその酸化剤をも生産するので永続的に装置が作動する。
【００６９】
請求項64は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用するという動力源装置である。動力装置の利用例としては、発電装置や船舶のスクリューなど。
【００７０】
請求項65は、燃焼室（360）で液体水素を燃焼させて液体水素燃料のガスタービン（279）を作動させ動力源とすると同時に、燃焼時の排熱を蒸気発生装置（281）に通した蒸気で蒸気タービン（282）を作動させ、発電機（283）で発電した電気で水の電気分解装置（284）内の電気伝導性を有する水溶液を電気分解し、そこで得られた水素と酸素を液化装置及び貯蔵タンク（285）及び（286）に通して燃焼室（360）に導き液体水素燃料のガスタービン（279）の燃料及び液体水素の酸化剤として利用するという動力源装置の運転方法である。従って、動力源とする一方で当該装置の燃料及びその酸化剤をも生産するので永続的に装置が作動する。
【００７１】
請求項66は、液体水素燃料のロケットエンジン（294）での燃焼による噴流で、タービン（295）を作動させ、発電機（296）で発電した電気で水の電気分解装置（297）内の電気伝導性を有する水溶液を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置である。動力装置の利用例としては、発電装置や船舶のスクリューなど。
【００７２】
請求項67は、液体水素燃料のロケットエンジン（294）での燃焼による噴流で、タービン（295）を作動させ、発電機（296）で発電した電気で水の電気分解装置（297）内の電気伝導性を有する水溶液を電気分解し、そこで得られた水素を液化装置及び貯蔵タンク（298）に通して液体水素燃料のロケットエンジン（294）の燃料として利用すると同時に、燃焼時の排熱を蒸気発生装置（299）に通した蒸気で蒸気タービン（300）を作動させ動力源とする動力源装置の運転方法である。従って、動力源とする一方で当該装置の燃料をも生産するので永続的に装置が作動する。
【００７３】
請求項68は、液体水素燃料のロケットエンジン（302）での燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置及び貯蔵タンク（309）に通して液体水素燃料のロケットエンジン（302）の燃料として利用するという動力源装置である。動力装置の利用例としては、発電装置や船舶のスクリューなど。
【００７４】
請求項69は、液体水素燃料のロケットエンジン（302）での燃焼による噴流で、タービン（303）を作動させ動力源とすると同時に、燃焼時の排熱を蒸気発生装置（305）に通した蒸気で蒸気タービン（306）を作動させ、発電機（307）で発電した電気で水の電気分解装置（308）内の電気伝導性を有する水溶液を電気分解し、そこで得られた水素を液化装置及び貯蔵タンク（309）に通して液体水素燃料のロケットエンジン（302）の燃料として利用するという動力源装置の運転方法である。従って、動力源とする一方で当該装置の燃料をも生産するので永続的に装置が作動する。
【００７５】
請求項70は、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置である。動力装置の利用例としては、発電装置や船舶のスクリューなど。
【００７６】
請求項71は、燃焼室（361）で液体水素を燃焼させて液体水素燃料のガスタービン（310）を作動させ、発電機（311）で発電した電気で水の電気分解装置（312）内の電気伝導性を有する水溶液を電気分解し、そこで得られた水素を液化装置及び貯蔵タンク（313）に通して燃焼室（361）に導き液体水素燃料のガスタービン（310）の燃料として利用すると同時に、燃焼時の排熱を蒸気発生装置（314）に通した蒸気で蒸気タービン（315）を作動させて動力源とするという動力源装置の運転方法である。従って、動力源とする一方で当該装置の燃料をも生産するので永続的に装置が作動する。
【００７７】
請求項72は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置及び貯蔵タンク（323）に通して燃焼室（362）に導き液体水素燃料のガスタービン（317）の燃料として利用するという動力源装置である。動力装置の利用例としては、発電装置や船舶のスクリューなど。
【００７８】
請求項73は、燃焼室（362）で液体水素を燃焼させて液体水素燃料のガスタービン（317）を作動させ動力源とすると同時に、燃焼時の排熱を蒸気発生装置（319）に通した蒸気で蒸気タービン（320）を作動させ、発電機（321）で発電した電気で水の電気分解装置（322）内の電気伝導性を有する水溶液を電気分解し、そこで得られた水素を液化装置及び貯蔵タンク（323）に通して燃焼室（362）に導き液体水素燃料のガスタービン（317）の燃料として利用するという動力源装置の運転方法である。従って、動力源とする一方で当該装置の燃料をも生産するので永続的に装置が作動する。
【００７９】
請求項74は、液体水素燃料のロケットエンジン（363）での燃焼による噴流で、タービン（364）を作動させ、発電機（365）で発電した電気で水の電気分解装置（366）内の電気伝導性を有する水溶液を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置である。動力装置の利用例としては、発電装置や船舶のスクリューなど。
【００８０】
請求項75は、液体水素燃料のロケットエンジン（363）での燃焼による噴流で、タービン（364）を作動させ、発電機（365）で発電した電気で水の電気分解装置（366）内の電気伝導性を有する水溶液を電気分解し、そこで得られた水素と酸素を液化装置（367）及び（368）に通して液体水素燃料のロケットエンジン（363）の燃料及び液体水素の酸化剤として利用すると同時に、燃焼時の排熱を蒸気発生装置（371）に通した蒸気で蒸気タービン（372）を作動させ動力源とする動力源装置の運転方法である。従って、動力源とする一方で当該装置の燃料及びその酸化剤をも生産するので永続的に装置が作動する。
【００８１】
請求項76は、液体水素燃料のロケットエンジン（374）での燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水溶液を電気分解し、そこで得られた水素と酸素を液化装置（381）及び（382）に通して液体水素燃料のロケットエンジン（374）の燃料及び液体水素の酸化剤として利用するという動力源装置である。動力装置の利用例としては、発電装置や船舶のスクリューなど。
【００８２】
請求項77は、液体水素燃料のロケットエンジン（374）での燃焼による噴流で、タービン（375）を作動させ動力源とすると同時に、燃焼時の排熱を蒸気発生装置（377）に通した蒸気で蒸気タービン（378）を作動させ、発電機（379）で発電した電気で水の電気分解装置（380）内の電気伝導性を有する水溶液を電気分解し、そこで得られた水素と酸素を液化装置（381）及び（382）に通して液体水素燃料のロケットエンジン（374）の燃料及び液体水素の酸化剤として利用するという動力源装置の運転方法である。従って、動力源とする一方で当該装置の燃料及びその酸化剤をも生産するので永続的に装置が作動する。
【００８３】
請求項78は、燃焼室（385）で液体水素を燃焼させて液体水素燃料のガスタービン（386）を作動させ、発電機（387）で発電した電気で水の電気分解装置（388）内の電気伝導性を有する水溶液を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させ動力源とするという動力源装置である。動力装置の利用例としては、発電装置や船舶のスクリューなど。
【００８４】
請求項79は、燃焼室（385）で液体水素を燃焼させて液体水素燃料のガスタービン（386）を作動させ、発電機（387）で発電した電気で水の電気分解装置（388）内の電気伝導性を有する水溶液を電気分解し、そこで得られた水素と酸素を液化装置（389）及び（390）に通して燃焼室（385）に導き液体水素燃料のガスタービン（386）の燃料及び液体水素の酸化剤として利用すると同時に、燃焼時の排熱を蒸気発生装置（393）に通した蒸気で蒸気タービン（394）を作動させ動力源とするという動力源装置の運転方法である。従って、動力源とする一方で当該装置の燃料及びその酸化剤をも生産するので永続的に装置が作動する。
【００８５】
請求項80は、燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水溶液を電気分解し、そこで得られた水素と酸素を液化装置（403）及び（404）に通して燃焼室（396）に導き液体水素燃料のガスタービン（397）の燃料及び液体水素の酸化剤として利用するという動力源装置である。動力装置の利用例としては、発電装置や船舶のスクリューなど。
【００８６】
請求項81は、燃焼室（396）で液体水素を燃焼させて液体水素燃料のガスタービン（397）を作動させ動力源とすると同時に、燃焼時の排熱を蒸気発生装置（399）に通した蒸気で蒸気タービン（400）を作動させ、発電機（401）で発電した電気で水の電気分解装置（402）内の電気伝導性を有する水溶液を電気分解し、そこで得られた水素と酸素を液化装置（403）及び（404）に通して燃焼室（396）に導き液体水素燃料のガスタービン（397）の燃料及び液体水素の酸化剤として利用するという動力源装置の運転方法である。従って、動力源とする一方で当該装置の燃料及びその酸化剤をも生産するので永続的に装置が作動する。
【００８７】
請求項82は、液体水素燃料のロケットエンジン（407）での燃焼による噴流で、タービン（408）を作動させ、発電機（409）で発電した電気で水の電気分解装置（410）内の電気伝導性を有する水溶液を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置である。動力装置の利用例としては、発電装置や船舶のスクリューなど。
【００８８】
請求項83は、液体水素燃料のロケットエンジン（407）での燃焼による噴流で、タービン（408）を作動させ、発電機（409）で発電した電気で水の電気分解装置（410）内の電気伝導性を有する水溶液を電気分解し、そこで得られた水素を液化装置（411）に通して液体水素燃料のロケットエンジン（407）の燃料として利用すると同時に、燃焼時の排熱を蒸気発生装置（413）に通した蒸気で蒸気タービン（414）を作動させ動力源とする動力源装置の運転方法である。従って、動力源とする一方で当該装置の燃料をも生産するので永続的に装置が作動する。
【００８９】
請求項84は、液体水素燃料のロケットエンジン（416）での燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水溶液を電気分解し、そこで得られた水素を液化装置（423）に通して液体水素燃料のロケットエンジン（416）の燃料として利用するという動力源装置である。動力装置の利用例としては、発電装置や船舶のスクリューなど。
【００９０】
請求項85は、液体水素燃料のロケットエンジン（416）での燃焼による噴流で、タービン（417）を作動させ動力源とすると同時に、燃焼時の排熱を蒸気発生装置（419）に通した蒸気で蒸気タービン（420）を作動させ、発電機（421）で発電した電気で水の電気分解装置（422）内の電気伝導性を有する水溶液を電気分解し、そこで得られた水素を液化装置（423）に通して液体水素燃料のロケットエンジン（416）の燃料として利用するという動力源装置の運転方法である。従って、動力源とする一方で当該装置の燃料をも生産するので永続的に装置が作動する。
【００９１】
請求項86は、燃焼室（425）で液体水素を燃焼させて液体水素燃料のガスタービン（426）を作動させ、発電機（427）で発電した電気で水の電気分解装置（428）内の電気伝導性を有する水溶液を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とするという動力源装置である。動力装置の利用例としては、発電装置や船舶のスクリューなど。
【００９２】
請求項87は、燃焼室（425）で液体水素を燃焼させて液体水素燃料のガスタービン（426）を作動させ、発電機（427）で発電した電気で水の電気分解装置（428）内の電気伝導性を有する水溶液を電気分解し、そこで得られた水素を液化装置（429）に通して燃焼室（425）に導き液体水素燃料のガスタービン（426）の燃料として利用すると同時に、燃焼時の排熱を蒸気発生装置（431）に通した蒸気で蒸気タービン（432）を作動させて動力源とするという動力源装置の運転方法である。従って、動力源とする一方で当該装置の燃料をも生産するので永続的に装置が作動する。
【００９３】
請求項88は、燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水溶液を電気分解し、そこで得られた水素を液化装置（441）に通して燃焼室（434）に導き液体水素燃料のガスタービン（435）の燃料として利用するという動力源装置である。動力装置の利用例としては、発電装置や船舶のスクリューなど。
【００９４】
請求項89は、燃焼室（434）で液体水素を燃焼させて液体水素燃料のガスタービン（435）を作動させ動力源とすると同時に、燃焼時の排熱を蒸気発生装置（437）に通した蒸気で蒸気タービン（438）を作動させ、発電機（439）で発電した電気で水の電気分解装置（440）内の電気伝導性を有する水溶液を電気分解し、そこで得られた水素を液化装置（441）に通して燃焼室（434）に導き液体水素燃料のガスタービン（435）の燃料として利用するという動力源装置の運転方法である。従って、動力源とする一方で当該装置の燃料をも生産するので永続的に装置が作動する。
【００９５】
請求項90は、請求項2、4、6、8、10、12、14、16、26，28、58、60、62、64、74、76、78、80のいずれかに記載の動力源装置、請求項18、20、22、24のいずれかに記載の発電装置を水素と酸素の増殖炉として利用するもので、当該装置の作動中に、消費される水素や酸素量よりも、生産される水素や酸素量が上回った分を他の分野で利用することを目的とした水素と酸素の製造装置である。
【００９６】
請求項91は、請求項2、4、6、8、10、12、14、16、26，28、58、60、62、64、74、76、78、80のいずれかに記載の動力源装置、請求項18、20、22、24のいずれかに記載の発電装置を水素と酸素の増殖炉として利用するもので、当該装置の作動中に、消費される水素や酸素量よりも、生産される水素や酸素量が上回った分を他の分野で利用することを目的とした水素と酸素の製造方法である。
【図面の簡単な説明】
【００９７】
【図１】本発明のシステムフロー図
【図２】本発明のシステムフロー図
【図３】本発明のシステムフロー図
【図４】本発明のシステムフロー図
【図５】本発明のシステムフロー図
【図６】本発明のシステムフロー図
【図７】本発明のシステムフロー図
【図８】本発明のシステムフロー図
【図９】本発明のシステムフロー図
【図１０】本発明のシステムフロー図
【図１１】本発明のシステムフロー図
【図１２】本発明のシステムフロー図
【図１３】本発明のシステムフロー図
【図１４】本発明のシステムフロー図
【図１５】本発明のシステムフロー図
【図１６】本発明のシステムフロー図
【図１７】本発明のシステムフロー図
【図１８】本発明のシステムフロー図
【図１９】本発明のシステムフロー図
【図２０】本発明のシステムフロー図
【図２１】本発明のシステムフロー図
【図２２】本発明のシステムフロー図
【図２３】本発明のシステムフロー図
【図２４】本発明のシステムフロー図
【図２５】本発明のシステムフロー図
【図２６】本発明のシステムフロー図
【図２７】本発明のシステムフロー図
【図２８】本発明のシステムフロー図
【図２９】本発明のシステムフロー図
【図３０】本発明のシステムフロー図
【図３１】本発明のシステムフロー図
【図３２】本発明のシステムフロー図
【図３３】本発明のシステムフロー図
【図３４】本発明のシステムフロー図
【図３５】本発明のシステムフロー図
【図３６】本発明のシステムフロー図
【図３７】本発明のシステムフロー図
【図３８】本発明のシステムフロー図
【図３９】本発明のシステムフロー図
【図４０】本発明のシステムフロー図
【図４１】本発明のシステムフロー図
【図４２】本発明のシステムフロー図
【図４３】本発明のシステムフロー図
【図４４】本発明のシステムフロー図
【符号の説明】
【００９８】
1は水素燃料のロケットエンジン
2はタービン
3は発電機
4は水の電気分解装置
5は蒸気発生装置
6は蒸気タービン
7は動力装置
8は水素燃料のロケットエンジン
9はタービン
10は動力装置
11は蒸気発生装置
12は蒸気タービン
13は発電機
14は水の電気分解装置
15は水素燃料のガスタービン
16は発電機
17は水の電気分解装置
18は蒸気発生装置
19は蒸気タービン
20は動力装置
21は水素燃料のガスタービン
22は動力装置
23は蒸気発生装置
24は蒸気タービン
25は発電機
26は水の電気分解装置
27は水素燃料のロケットエンジン
28はタービン
29は発電機
30は水の電気分解装置
31は蒸気発生装置
32は蒸気タービン
33は動力装置
34は蒸気発生装置
35は蒸気タービン
36は動力装置
37は水素燃料のロケットエンジン
38はタービン
39は動力装置
40は蒸気発生装置
41は蒸気タービン
42は発電機
43は水の電気分解装置
44は蒸気発生装置
45は蒸気タービン
46は動力装置
47は水素燃料のガスタービン
48は発電機
49は水の電気分解装置
50は蒸気発生装置
51は蒸気タービン
52は動力装置
53は蒸気発生装置
54は蒸気タービン
55は動力装置
56は水素燃料のガスタービン
57は動力装置
58は蒸気発生装置
59は蒸気タービン
60は発電機
61は水の電気分解装置
62は蒸気発生装置
63は蒸気タービン
64は動力装置
75は水素燃料のロケットエンジン
76はタービン
77は発電機
78は水の電気分解装置
79は蒸気発生装置
80は蒸気タービン  
81は発電機
82は水素燃料のガスタービン
83は発電機
84は水の電気分解装置
85は蒸気発生装置
86は蒸気タービン
87は発電機
88は水素燃料のロケットエンジン
89はタービン
90は発電機
91は蒸気発生装置
92は蒸気タービン
93は発電機
94は水の電気分解装置
95は水素燃料のガスタービン
96は発電機
97は蒸気発生装置
98は蒸気タービン
99は発電機
100は水の電気分解装置
101は水素燃料のロケットエンジン
102はタービン
103は動力装置
104は蒸気発生装置
105は蒸気タービン
106は動力装置
107は蒸気発生装置
108は蒸気タービン
109は発電機
110は水の電気分解装置
111は水素燃料のガスタービン
112は動力装置
113は蒸気発生装置
114は蒸気タービン
115は動力装置
116は蒸気発生装置
117は蒸気タービン
118は発電機
119は水の電気分解装置
120は水素燃料のロケットエンジン
121はタービン
122は発電機
123は水の電気分解装置
124は蒸気発生装置
125は蒸気タービン
126は動力装置
127は水素燃料のロケットエンジン
128はタービン
129は動力装置
130は蒸気発生装置
131は蒸気タービン
132は発電機
133は水の電気分解装置
134は水素燃料のガスタービン
135は発電機
136は水の電気分解装置
137は蒸気発生装置
138は蒸気タービン
139は動力装置
140は水素燃料のガスタービン
141は動力装置
142は蒸気発生装置
143は蒸気タービン
144は発電機
145は水の電気分解装置
146は水素燃料のロケットエンジン
147はタービン
148は発電機
149は水の電気分解装置
150は蒸気発生装置
151は蒸気タービン
152は動力装置
153は蒸気発生装置
154は蒸気タービン
155は動力装置
156は水素燃料のロケットエンジン
157はタービン
158は動力装置
159は蒸気発生装置
160は蒸気タービン
161は発電機
162は水の電気分解装置
163は蒸気発生装置
164は蒸気タービン
165は動力装置
166は水素燃料のガスタービン
167は発電機
168は水の電気分解装置
169は蒸気発生装置
170は蒸気タービン
171は動力装置
172は蒸気発生装置
173は蒸気タービン
174は動力装置
175は水素燃料のガスタービン
176は動力装置
177は蒸気発生装置
178は蒸気タービン
179は発電機
180は水の電気分解装置
181は蒸気発生装置
182は蒸気タービン
183は動力装置
194は水素燃料のロケットエンジン
195はタービン
196は発電機
197は水の電気分解装置
198は蒸気発生装置
199は蒸気タービン
200は発電機
201は水素燃料のガスタービン
202は発電機
203は水の電気分解装置
204は蒸気発生装置
205は蒸気タービン
206は発電機
207は水素燃料のロケットエンジン
208はタービン
209は発電機
210は蒸気発生装置
211は蒸気タービン
212は発電機
213は水の電気分解装置
214は水素燃料のガスタービン
215は発電機
216は蒸気発生装置
217は蒸気タービン
218は発電機
219は水の電気分解装置
220は水素燃料のロケットエンジン
221はタービン
222は動力装置
223は蒸気発生装置
224は蒸気タービン
225は動力装置
226は蒸気発生装置
227は蒸気タービン
228は発電機
229は水の電気分解装置
230は水素燃料のガスタービン
231は動力装置
232は蒸気発生装置
233は蒸気タービン
234は動力装置
235は蒸気発生装置
236は蒸気タービン
237は発電機
238は水の電気分解装置
239は凝縮装置
240は凝縮装置
241は凝縮装置
242は凝縮装置
244は凝縮装置
245は凝縮装置
246は凝縮装置
247は凝縮装置
248は凝縮装置
249は凝縮装置
251は凝縮装置
252は凝縮装置
253は液体水素燃料のロケットエンジン
254はタービン
255は発電機
256は水の電気分解装置
257は液化装置及び貯蔵タンク
258は液化装置及び貯蔵タンク
259は蒸気発生装置
260は蒸気タービン
261は動力装置
262は液体水素燃料のロケットエンジン
263はタービン
264は動力装置
265は蒸気発生装置
266は蒸気タービン
267は発電機
268は水の電気分解装置
269は液化装置及び貯蔵タンク
270は液化装置及び貯蔵タンク
271は液体水素燃料のガスタービン
272は発電機
273は水の電気分解装置
274は液化装置及び貯蔵タンク
275は液化装置及び貯蔵タンク
276は蒸気発生装置
277は蒸気タービン
278は動力装置
279は液体水素燃料のガスタービン
280は動力装置
281は蒸気発生装置
282は蒸気タービン
283は発電機
284は水の電気分解装置
285は液化装置及び貯蔵タンク
286は液化装置及び貯蔵タンク
294は液体水素燃料のロケットエンジン
295はタービン
296は発電機
297は水の電気分解装置
298は液化装置及び貯蔵タンク
299は蒸気発生装置
300は蒸気タービン
301は動力装置
302は液体水素燃料のロケットエンジン
303はタービン
304は動力装置
305は蒸気発生装置
306は蒸気タービン
307は発電機
308は水の電気分解装置
309は液化装置及び貯蔵タンク
310は液体水素燃料のガスタービン
311は発電機
312は水の電気分解装置
313は液化装置及び貯蔵タンク
314は蒸気発生装置
315は蒸気タービン
316は動力装置
317は液体水素燃料のガスタービン
318は動力装置
319は蒸気発生装置
320は蒸気タービン
321は発電機
322は水の電気分解装置
323は液化装置及び貯蔵タンク
330は制御装置
331は制御装置
332は制御装置
333は制御装置
334は制御装置
335は制御装置
336は制御装置
337は制御装置
340は制御装置
341は制御装置
342は制御装置
343は制御装置
345は燃焼室
346は燃焼室
347は燃焼室
348は燃焼室
349は燃焼室
350は燃焼室
351は燃焼室
352は燃焼室
353は燃焼室
354は燃焼室
355は燃焼室
356は燃焼室
357は燃焼室
358は燃焼室
359は燃焼室
360は燃焼室
361は燃焼室
362は燃焼室
363は液体水素燃料のロケットエンジン
364はタービン
365は発電機
366は水の電気分解装置
367は液化装置
368は液化装置
369は制御装置
370は制御装置
371は蒸気発生装置
372は蒸気タービン
373は動力装置
374は液体水素燃料のロケットエンジン
375はタービン
376は動力装置
377は蒸気発生装置
378は蒸気タービン
379は発電機
380は水の電気分解装置
381は液化装置
382は液化装置
383は制御装置
384は制御装置
385は燃焼室
386は液体水素燃料のガスタービン
387は発電機
388は水の電気分解装置
389は液化装置
390は液化装置
391は制御装置
392は制御装置
393は蒸気発生装置
394は蒸気タービン
395は動力装置
396は燃焼室
397は液体水素燃料のガスタービン
398は動力装置
399は蒸気発生装置
400は蒸気タービン
401は発電機
402は水の電気分解装置
403は液化装置
404は液化装置
405は制御装置
406は制御装置
407は液体水素燃料のロケットエンジン
408はタービン
409は発電機
410は水の電気分解装置
411は液化装置
412は制御装置
413は蒸気発生装置
414は蒸気タービン
415は動力装置
416は液体水素燃料のロケットエンジン
417はタービン
418は動力装置
419は蒸気発生装置
420は蒸気タービン
421は発電機
422は水の電気分解装置
423は液化装置
424は制御装置
425は燃焼室
426は液体水素燃料のガスタービン
427は発電機
428は水の電気分解装置
429は液化装置
430は制御装置
431は蒸気発生装置
432は蒸気タービン
433は動力装置
434は燃焼室
435は液体水素燃料のガスタービン
436は動力装置
437は蒸気発生装置
438は蒸気タービン
439は発電機
440は水の電気分解装置
441は液化装置
442は制御装置
【手続補正３】
【補正対象書類名】図面
【補正対象項目名】全図
【補正方法】変更
【補正の内容】
【図１】
2006233951.tif 000099
【図２】
2006233951.tif 000100
【図３】
2006233951.tif 000101
【図４】
2006233951.tif 000102
【図５】
2006233951.tif 000103
【図６】
2006233951.tif 000104
【図７】
2006233951.tif 000105
【図８】
2006233951.tif 000106
【図９】
2006233951.tif 000107
【図１０】
2006233951.tif 000108
【図１１】
2006233951.tif 000109
【図１２】
2006233951.tif 000110
【図１３】
2006233951.tif 000111
【図１４】
2006233951.tif 000112
【図１５】
2006233951.tif 000113
【図１６】
2006233951.tif 000114
【図１７】
2006233951.tif 000115
【図１８】
2006233951.tif 000116
【図１９】
2006233951.tif 000117
【図２０】
2006233951.tif 000118
【図２１】
2006233951.tif 000119
【図２２】
2006233951.tif 000120
【図２３】
2006233951.tif 000121
【図２４】
2006233951.tif 000122
【図２５】
2006233951.tif 000123
【図２６】
2006233951.tif 000124
【図２７】
2006233951.tif 000125
【図２８】
2006233951.tif 000126
【図２９】
2006233951.tif 000127
【図３０】
2006233951.tif 000128
【図３１】
2006233951.tif 000129
【図３２】
2006233951.tif 000130
【図３３】
2006233951.tif 000131
【図３４】
2006233951.tif 000132
【図３５】
2006233951.tif 000133
【図３６】
2006233951.tif 000134
【図３７】
2006233951.tif 000135
【図３８】
2006233951.tif 000136
【図３９】
2006233951.tif 000137
【図４０】
2006233951.tif 000138
【図４１】
2006233951.tif 000139
【図４２】
2006233951.tif 000140
【図４３】
2006233951.tif 000141
【図４４】
2006233951.tif 000142